(57)【特許請求の範囲】
【請求項１】
高速個別物理制御チャネル（ＨＳ−ＤＰＣＣＨ）を介して、複数のサービングセルのためのフィードバック情報を提供する方法であって、
フィードバック情報を送信するためのスロットフォーマットを、構成されたセカンダリサービングセルの数、および、多入力多出力（ＭＩＭＯ）が前記複数のサービングセル内で構成されるかどうかに基づいて決定するステップと、
前記決定されたスロットフォーマットに従って前記フィードバック情報を送信するステップであって、前記複数のサービングセルが、プライマリサービングセルおよび２つの使用可能なセカンダリサービングセルを備え、および前記２つの使用可能なセカンダリサービングセルが、アクティブなセカンダリサービングセルおよび非アクティブ化されたセカンダリサービングセルを備える時、前記プライマリサービングセルのためのＨＡＲＱフィードバックおよび前記アクティブなセカンダリサービングセルのためのＨＡＲＱフィードバックは、合同でエンコードされて合同で符号化されたＨＡＲＱフィードバックを形成し、前記合同でエンコードされたＨＡＲＱフィードバックは、ＨＡＲＱフィードバック送信のために割り振られたタイムスロットの第１の部分内で送信され、前記合同でエンコードされたＨＡＲＱフィードバックは、ＨＡＲＱフィードバック送信のために割り振られた前記タイムスロットの第２の部分内で繰り返される、ステップと
を備えることを特徴とする方法。
【請求項２】
前記ＨＳ−ＤＰＣＣＨのための拡散係数を、前記決定されたスロットフォーマットに基づいて調整するステップであって、第１のスロットフォーマットに関連付けられた拡散係数は、第２のスロットフォーマットに関連付けられた拡散係数よりも低い、ステップをさらに備えることを特徴とする請求項１に記載の方法。
【請求項３】
前記フィードバック情報は、ハイブリッド自動再送要求（ＨＡＲＱ）肯定確認応答／否定確認応答（ＡＣＫ／ＮＡＣＫ）情報およびチャネル品質表示（ＣＱＩ）情報を備え、
前記ＣＱＩ情報は、ＣＱＩレポート、プリコーディング制御表示（ＰＣＩ）／ＣＱＩレポートの少なくとも１つを備えることを特徴とする請求項１に記載の方法。
【請求項４】
第１のスロットフォーマットは、以下のこと、
ＨＳ−ＤＰＣＣＨのための拡散係数は、１２８であること、
サブフレームは、６０ビットを搬送すること、
チャネルビットレートは、毎秒３０キロビット（ｋｂｐｓ）であること、
タイムスロットは、２０ビットを搬送すること、および
１サブフレーム当たり、３つのスロットが送信されること
の少なくとも１つを示すことを特徴とする請求項１に記載の方法。
【請求項５】
第２のスロットフォーマットは、以下のこと、
ＨＳ−ＤＰＣＣＨのための拡散係数は、２５６であること、
サブフレームは、３０ビットを搬送すること、
チャネルビットレートは、毎秒１５キロビット（ｋｂｐｓ）であること、
タイムスロットは、１０ビットを搬送すること、および
１サブフレーム当たり、３つのスロットが送信されること
の少なくとも１つを示すことを特徴とする請求項１に記載の方法。
【請求項６】
前記複数のサービングセルを、第１のフィードバックグループおよび第２のフィードバックグループにグループ化するステップであって、各フィードバックグループは、少なくとも１つのサービングセルを備える、ステップと、
前記第１のフィードバックグループのためのＨＡＲＱフィードバックを、ＨＡＲＱフィードバック送信のために割り振られたタイムスロットの第１の部分内で送信するステップと、
前記第２のフィードバックグループのためのＨＡＲＱフィードバックを、前記タイムスロットの第２の部分内で送信するステップと
をさらに備えることを特徴とする請求項１に記載の方法。
【請求項７】
前記複数のサービングセルを、第１のフィードバックグループおよび第２のフィードバックグループにグループ化するステップであって、各フィードバックグループは、少なくとも１つのサービングセルを備える、ステップと、
前記第１のフィードバックグループのためのＣＱＩフィードバックを、ＣＱＩフィードバック送信のために割り振られた第１のタイムスロット内で送信するステップと、
前記第２のフィードバックグループのためのＣＱＩフィードバックを、ＣＱＩフィードバック送信のために割り振られた第２のタイムスロット内で送信するステップと
をさらに備えることを特徴とする請求項１に記載の方法。
【請求項８】
２つのセカンダリサービングセルが構成され、かつ、ＭＩＭＯが前記２つの構成されたセカンダリサービングセルの少なくとも１つにおいて構成される時、または、３つのセカンダリサービングセルが構成される時、第１のスロットフォーマットが使用され、２つに満たないセカンダリサービングセルが構成される時、第２のスロットフォーマットが使用されることを特徴とする請求項１に記載の方法。
【請求項９】
前記合同でエンコードされたＨＡＲＱフィードバックが繰り返されて、ＨＳ−ＤＰＣＣＨサブフレーム内のＨＡＲＱスロット全体を満たすことを特徴とする請求項１に記載の方法。
【請求項１０】
前記複数のサービングセルは、プライマリサービングセルおよび３つの構成されたセカンダリサービングセルを備え、および前記３つの構成されたセカンダリサービングセルは、アクティブなセカンダリサービングセルおよび２つの非アクティブ化されたセカンダリサービングセルを備える時、前記方法は、
前記プライマリサービングセルのためのＨＡＲＱフィードバックおよび前記アクティブなセカンダリサービングセルのためのＨＡＲＱフィードバックを合同でエンコードして、合同で符号化されたＨＡＲＱフィードバックを形成するステップと、
前記合同でエンコードされたＨＡＲＱフィードバックを、ＨＡＲＱフィードバック送信のために割り振られたタイムスロットの第１の部分内で送信するステップと、
前記合同でエンコードされたＨＡＲＱフィードバックを、前記タイムスロットの第２の部分内で繰り返すステップと
をさらに備えることを特徴とする請求項１に記載の方法。
【請求項１１】
前記複数のサービングセルは、アクティブなサービングセルおよび少なくとも１つの非アクティブ化されたサービングセルを備え、前記方法は、
前記アクティブなサービングセルのためのＣＱＩフィードバックを繰り返して、ＨＳ−ＤＰＣＣＨサブフレーム内のＣＱＩフィードバック送信のために割り振られた２つのタイムスロットを満たすステップ
をさらに備えることを特徴とする請求項１に記載の方法。
【請求項１２】
非アクティブ化されたセルのためのＣＱＩフィードバックは送信されないことを特徴とする請求項１に記載の方法。
【請求項１３】
前記複数のサービングセルは、１つまたは２つのアクティブなサービングセルを備え、前記方法は、
前記アクティブなサービングセルのためのフィードバック情報を繰り返して、ＨＳ−ＤＰＣＣＨサブフレームを満たすステップ
をさらに備えることを特徴とする請求項１に記載の方法。
【請求項１４】
無線送受信ユニット（ＷＴＲＵ）であって、前記ＷＴＲＵは、
高速個別物理制御チャネル（ＨＳ−ＤＰＣＣＨ）を介して、複数のサービングセルのためのフィードバック情報を送信するためのスロットフォーマットを、構成されたセカンダリサービングセルの数、および、多入力多出力（ＭＩＭＯ）が前記複数のサービングセル内で構成されるかどうかに基づいて、決定するように、および
前記決定されたスロットフォーマットに従って前記フィードバック情報を送信し、前記複数のサービングセルが、プライマリサービングセルおよび２つの使用可能なセカンダリサービングセルを備え、および前記２つの使用可能なセカンダリサービングセルが、アクティブなセカンダリサービングセルおよび非アクティブ化されたセカンダリサービングセルを備える時、前記プライマリサービングセルのためのＨＡＲＱフィードバックおよび前記アクティブなセカンダリサービングセルのためのＨＡＲＱフィードバックは、合同でエンコードされて合同で符号化されたＨＡＲＱフィードバックを形成し、前記合同でエンコードされたＨＡＲＱフィードバックは、ＨＡＲＱフィードバック送信のために割り振られたタイムスロットの第１の部分内で送信され、前記合同でエンコードされたＨＡＲＱフィードバックは、ＨＡＲＱフィードバック送信のために割り振られた前記タイムスロットの第２の部分内で繰り返される、ように
構成されたプロセッサ
を備えることを特徴とするＷＴＲＵ。
【請求項１５】
前記プロセッサは、
前記ＨＳ−ＤＰＣＣＨのための拡散係数を、前記決定されたスロットフォーマットに基づいて調整するようにさらに構成され、
第１のスロットフォーマットに関連付けられた拡散係数は、第２のスロットフォーマットに関連付けられた拡散係数よりも低いことを特徴とする請求項１４に記載のＷＴＲＵ。
【請求項１６】
前記複数のサービングセルは、アクティブなサービングセルおよび少なくとも１つの非アクティブ化されたサービングセルを備え、前記プロセッサは、
前記アクティブなサービングセルのためのＣＱＩフィードバックを繰り返して、ＨＳ−ＤＰＣＣＨサブフレーム内のＣＱＩフィードバック送信のために割り振られた２つのタイムスロットを満たすようにさらに構成されることを特徴とする請求項１４に記載のＷＴＲＵ。
【請求項１７】
前記フィードバック情報は、チャネル品質表示（ＣＱＩ）情報を備え、
前記プロセッサは、各サービングセルのためのＣＱＩ情報を独立してエンコードするようにさらに構成されることを特徴とする請求項１４に記載のＷＴＲＵ。
【請求項１８】
前記フィードバック情報は、チャネル品質表示（ＣＱＩ）情報を備え、
前記プロセッサは、不連続送信（ＤＴＸ）メッセージを、非アクティブ化されたサービングセルのためのＣＱＩ情報送信のために割り振られたＨＳ−ＤＰＣＣＨサブフレーム内のフィールド内で送信するように、さらに構成されることを特徴とする請求項１４に記載のＷＴＲＵ。
【請求項１９】
前記複数のサービングセルは、非アクティブ化されたサービングセルを備え、
前記プロセッサは、不連続送信（ＤＴＸ）メッセージを、前記非アクティブ化されたサービングセルのためのハイブリッド自動再送要求（ＨＡＲＱ）肯定確認応答（ＡＣＫ）／否定確認応答（ＮＡＣＫ）情報のために割り振られたＨＳ−ＤＰＣＣＨサブフレーム内のフィールド内で送信するように、さらに構成されることを特徴とする請求項１４に記載のＷＴＲＵ。
【請求項２０】
前記フィードバック情報は、ハイブリッド自動再送要求（ＨＡＲＱ）肯定確認応答（ＡＣＫ）／否定確認応答（ＮＡＣＫ）情報を備え、ＭＩＭＯは、サービングセル内で構成され、
前記プロセッサは、
前記ＨＡＲＱ  ＡＣＫ／ＮＡＣＫ情報が少なくとも１つのＡＣＫを備え、およびＮＡＣＫを備えない場合、信号で送られた値ΔACK＋２から変換された量子化された振幅比（Ａhs）により、前記ＨＡＲＱ  ＡＣＫ／ＮＡＣＫ情報を送信するように、
前記ＨＡＲＱ  ＡＣＫ／ＮＡＣＫ情報が少なくとも１つのＮＡＣＫを備え、およびＡＣＫを備えない場合、信号で送られた値ΔNACK＋２から変換された前記Ａhsにより、前記ＨＡＲＱ  ＡＣＫ／ＮＡＣＫ情報を送信するように、
前記ＨＡＲＱ  ＡＣＫ／ＮＡＣＫ情報がＡＣＫおよびＮＡＣＫを備える場合、前記信号で送られた値ΔACK＋２と前記信号で送られた値ΔNACK＋２の間の最大値から変換された前記Ａhsにより、前記ＨＡＲＱ  ＡＣＫ／ＮＡＣＫ情報を送信するように、
前記ＨＡＲＱ  ＡＣＫ／ＮＡＣＫ情報がＰＲＥを備える場合、前記信号で送られた値ΔACK＋２と前記信号で送られた値ΔNACK＋２の間の最大値から変換された前記Ａhsにより、前記ＨＡＲＱ  ＡＣＫ／ＮＡＣＫ情報を送信するように、および
前記ＨＡＲＱ  ＡＣＫ／ＮＡＣＫ情報がＰＯＳＴを備える場合、前記信号で送られた値ΔACK＋２と前記信号で送られた値ΔNACK＋２の間の最大値から変換された前記Ａhsにより、前記ＨＡＲＱ  ＡＣＫ／ＮＡＣＫ情報を送信するように
さらに構成されることを特徴とする請求項１４に記載のＷＴＲＵ。
【請求項２１】
前記フィードバック情報は、ハイブリッド自動再送要求（ＨＡＲＱ）肯定確認応答（ＡＣＫ）／否定確認応答（ＮＡＣＫ）情報を備え、ＭＩＭＯは、サービングセル内で構成されず、
前記プロセッサは、
前記ＨＡＲＱ  ＡＣＫ／ＮＡＣＫ情報が少なくとも１つのＡＣＫを備え、およびＮＡＣＫを備えない場合、信号で送られた値ΔACK＋１から変換された量子化された振幅比（Ａhs）により、前記ＨＡＲＱ  ＡＣＫ／ＮＡＣＫ情報を送信するように、
前記ＨＡＲＱ  ＡＣＫ／ＮＡＣＫ情報が少なくとも１つのＮＡＣＫを備え、およびＡＣＫを備えない場合、信号で送られた値ΔNACK＋１から変換された前記Ａhsにより、前記ＨＡＲＱ  ＡＣＫ／ＮＡＣＫ情報を送信するように、
前記ＨＡＲＱ  ＡＣＫ／ＮＡＣＫ情報がＡＣＫおよびＮＡＣＫを備える場合、前記信号で送られた値ΔACK＋１と前記信号で送られた値ΔNACK＋１の間の最大値から変換された前記Ａhsにより、前記ＨＡＲＱ  ＡＣＫ／ＮＡＣＫ情報を送信するように、
前記ＨＡＲＱ  ＡＣＫ／ＮＡＣＫ情報がＰＲＥを備える場合、前記信号で送られた値ΔACK＋１と前記信号で送られた値ΔNACK＋１の間の最大値から変換された前記Ａhsにより、前記ＨＡＲＱ  ＡＣＫ／ＮＡＣＫ情報を送信するように、および
前記ＨＡＲＱ  ＡＣＫ／ＮＡＣＫ情報がＰＯＳＴを備える場合、前記信号で送られた値ΔACK＋１と前記信号で送られた値ΔNACK＋１の間の最大値から変換された前記Ａhsにより、前記ＨＡＲＱ  ＡＣＫ／ＮＡＣＫ情報を送信するように
さらに構成されることを特徴とする請求項１４に記載のＷＴＲＵ。
【請求項２２】
前記プロセッサは、
信号で送られた値ΔACK、信号で送られた値ΔNACK、および、信号で送られた値ΔCQIの少なくとも１つが１０である時、４８／１５の量子化された振幅比により、前記フィードバック情報を送信するようにさらに構成されることを特徴とする請求項１４に記載のＷＴＲＵ。
【請求項２３】
前記フィードバック情報は、ハイブリッド自動再送要求（ＨＡＲＱ）肯定確認応答（ＡＣＫ）／否定確認応答（ＮＡＣＫ）情報を備え、
前記プロセッサは、
サービングセルのためのＡＣＫおよびＮＡＣＫの少なくとも１つがサブフレームｎ−１内で送信されることになっていない限り、ＨＡＲＱプリアンブルＰＲＥ／ＰＲＥを、サブフレームｎ−１内のＨＡＲＱ＿ＡＣＫに割り振られたスロット内で送信するようにさらに構成されることを特徴とする請求項１４に記載のＷＴＲＵ。
【請求項２４】
前記フィードバック情報は、ハイブリッド自動再送要求（ＨＡＲＱ）肯定確認応答（ＡＣＫ）／否定確認応答（ＮＡＣＫ）情報を備え、
前記プロセッサは、
ＨＡＲＱポストアンブルＰＯＳＴ／ＰＯＳＴを、サブフレームｎ＋２×N_acknack_transmit−２内のＨＡＲＱ＿ＡＣＫに割り振られたスロット内で送信するようにさらに構成され、
N_acknack_transmitは、ＡＣＫ／ＮＡＣＫの反復係数を備え、
ＡＣＫおよびＮＡＣＫの少なくとも１つがサブフレームｎ＋２×N_acknack_transmit−２内で送信されることになっていない限り、ＨＡＲＱ−ＡＣＫは送信され、フィードバックグループはサブフレームｎで送信されることを特徴とする請求項１４に記載のＷＴＲＵ。
【請求項２５】
前記フィードバック情報は、ハイブリッド自動再送要求（ＨＡＲＱ）肯定確認応答（ＡＣＫ）／否定確認応答（ＮＡＣＫ）情報を備え、
前記プロセッサは、
ＤＴＸコードワードが、各サービングセルのために前記サブフレーム内で送信されることになっており、かつ、ＡＣＫおよびＮＡＣＫの少なくとも１つが、後続のサブフレーム内で送信されることになっている時、ＨＡＲＱプリアンブルＰＲＥ／ＰＲＥを、サブフレーム内のＨＡＲＱ＿ＡＣＫに割り振られたスロット内で送信するようにさらに構成されることを特徴とする請求項１４に記載のＷＴＲＵ。
【請求項２６】
前記フィードバック情報は、ハイブリッド自動再送要求（ＨＡＲＱ）肯定確認応答（ＡＣＫ）／否定確認応答（ＮＡＣＫ）情報を備え、
前記プロセッサは、
ＤＴＸコードワードが、各サービングセルのために前記サブフレーム内で送信されることになっている時、ＨＡＲＱポストアンブルＰＯＳＴ／ＰＯＳＴを、サブフレーム内のＨＡＲＱ＿ＡＣＫに割り振られたスロット内で送信するようにさらに構成されることを特徴とする請求項１４に記載のＷＴＲＵ。
【請求項２７】
前記プロセッサは、
ＣＱＩ情報のために割り振られた第１のスロット上でチャネル品質表示（ＣＱＩ）情報を送信することを、回避するようにさらに構成され、前記第１のスロットは、関連付けられた個別物理チャネル（ＤＰＣＨ）上のアップリンク送信ギャップと重なり、
ＣＱＩ情報のために割り振られた第２のスロット上でＣＱＩ情報を送信するようにさらに構成され、前記第２のスロットは、前記第１のスロットと同じサブフレーム内にあり、前記第２のスロットは、前記関連付けられた個別物理チャネル（ＤＰＣＨ）上の前記アップリンク送信ギャップと重ならないことを特徴とする請求項１４に記載のＷＴＲＵ。
【請求項２８】
前記プロセッサは、前記ＨＳ−ＤＰＣＣＨのための拡散係数を、前記決定されたスロットフォーマットに基づいて調整するようにさらに構成され、第１のスロットフォーマットに関連付けられた拡散係数は、第２のスロットフォーマットに関連付けられた拡散係数よりも低い、ことを特徴とする請求項１４に記載のＷＴＲＵ。
【請求項２９】
前記フィードバック情報は、ハイブリッド自動再送要求（ＨＡＲＱ）肯定確認応答／否定確認応答（ＡＣＫ／ＮＡＣＫ）情報およびチャネル品質表示（ＣＱＩ）情報を備え、前記ＣＱＩ情報は、ＣＱＩレポート、プリコーディング制御表示（ＰＣＩ）／ＣＱＩレポートの少なくとも１つを備えることを特徴とする請求項１４に記載のＷＴＲＵ。
【請求項３０】
第１のスロットフォーマットは、以下のこと、
ＨＳ−ＤＰＣＣＨのための拡散係数は、１２８であること、
サブフレームは、６０ビットを搬送すること、
チャネルビットレートは、毎秒３０キロビット（ｋｂｐｓ）であること、
タイムスロットは、２０ビットを搬送すること、および
１サブフレーム当たり、３つのスロットが送信されること
の少なくとも１つを示すことを特徴とする請求項１４に記載のＷＴＲＵ。
【請求項３１】
第２のスロットフォーマットは、以下のこと、
ＨＳ−ＤＰＣＣＨのための拡散係数は、２５６であること、
サブフレームは、３０ビットを搬送すること、
チャネルビットレートは、毎秒１５キロビット（ｋｂｐｓ）であること、
タイムスロットは、１０ビットを搬送すること、および
１サブフレーム当たり、３つのスロットが送信されること
の少なくとも１つを示すことを特徴とする請求項１４に記載のＷＴＲＵ。
【請求項３２】
前記プロセッサは、
前記複数のサービングセルを、第１のフィードバックグループおよび第２のフィードバックグループにグループ化し、各フィードバックグループは、少なくとも１つのサービングセルを備え、
前記第１のフィードバックグループのためのＨＡＲＱフィードバックを、ＨＡＲＱフィードバック送信のために割り振られたタイムスロットの第１の部分内で送信し、
前記第２のフィードバックグループのためのＨＡＲＱフィードバックを、前記タイムスロットの第２の部分内で送信する
ようにさらに構成されることを特徴とする請求項１４に記載のＷＴＲＵ。
【請求項３３】
前記プロセッサは、
前記複数のサービングセルを、第１のフィードバックグループおよび第２のフィードバックグループにグループ化し、各フィードバックグループは、少なくとも１つのサービングセルを備え、
前記第１のフィードバックグループのためのＣＱＩフィードバックを、ＣＱＩフィードバック送信のために割り振られた第１のタイムスロット内で送信し、
前記第２のフィードバックグループのためのＣＱＩフィードバックを、ＣＱＩフィードバック送信のために割り振られた第２のタイムスロット内で送信する
ようにさらに構成されることを特徴とする請求項１４に記載のＷＴＲＵ。
【請求項３４】
２つのセカンダリサービングセルが構成され、かつ、ＭＩＭＯが前記２つの構成されたセカンダリサービングセルの少なくとも１つにおいて構成される時、または、３つのセカンダリサービングセルが構成される時、第１のスロットフォーマットを使用するように、および２つに満たないセカンダリサービングセルが構成される時、第２のスロットフォーマットを使用するように構成されることを特徴とする請求項１４に記載のＷＴＲＵ。
【請求項３５】
前記合同でエンコードされたＨＡＲＱフィードバックが繰り返されて、ＨＳ−ＤＰＣＣＨサブフレーム内のＨＡＲＱスロット全体を満たすことを特徴とする請求項１４に記載のＷＴＲＵ。
【請求項３６】
前記複数のサービングセルは、プライマリサービングセルおよび３つの構成されたセカンダリサービングセルを備え、および前記３つの構成されたセカンダリサービングセルは、アクティブなセカンダリサービングセルおよび２つの非アクティブ化されたセカンダリサービングセルを備える時、前記プロセッサは、
前記プライマリサービングセルのためのＨＡＲＱフィードバックおよび前記アクティブなセカンダリサービングセルのためのＨＡＲＱフィードバックを合同でエンコードして、合同で符号化されたＨＡＲＱフィードバックを形成し、
前記合同でエンコードされたＨＡＲＱフィードバックを、ＨＡＲＱフィードバック送信のために割り振られたタイムスロットの第１の部分内で送信し、
前記合同でエンコードされたＨＡＲＱフィードバックを、ＨＡＲＱフィードバック送信のために割り振られた前記タイムスロットの第２の部分内で繰り返す
ように構成されることを特徴とする請求項１４に記載のＷＴＲＵ。
【請求項３７】
前記複数のサービングセルは、アクティブなサービングセルおよび少なくとも１つの非アクティブ化されたサービングセルを備え、前記プロセッサは、
前記アクティブなサービングセルのためのＣＱＩフィードバックを繰り返して、ＨＳ−ＤＰＣＣＨサブフレーム内のＣＱＩフィードバック送信のために割り振られた２つのタイムスロットを満たす
ようにさらに構成されることを特徴とする請求項１４に記載のＷＴＲＵ。
【請求項３８】
非アクティブ化されたセルのためのＣＱＩフィードバックは送信されないことを特徴とする請求項１４に記載のＷＴＲＵ。
【請求項３９】
前記複数のサービングセルは、１つまたは２つのアクティブなサービングセルを備え、前記プロセッサは、
前記アクティブなサービングセルのためのフィードバック情報を繰り返して、ＨＳ−ＤＰＣＣＨサブフレームを満たす
ようにさらに構成されることを特徴とする請求項１４に記載のＷＴＲＵ。
【発明の詳細な説明】
【技術分野】
【０００１】
本願は無線通信に関する。
【背景技術】
【０００２】
２つの高速ダウンリンクパケットアクセス（ＨＳＤＰＡ）ダウンリンクキャリアの同時使用は、非特許文献１の一部として導入された。この特徴は、周波数ダイバーシティおよびリソースプーリングを介して帯域幅使用を改善する。データ使用量が急速に増大し続けるにつれて、高速パケットアクセス（ＨＳＰＡ）の配置は、３つ以上のダウンリンクキャリアに配置されることが予測される。例えば、４キャリアＨＳＤＰＡ（４Ｃ−ＨＳＤＰＡ）は、最大４つのキャリアが同時に動作して、より高いダウンリンクスループットを達成可能にすることができる。
【０００３】
ハイブリッド自動再送要求（ＨＡＲＱ）のための肯定確認応答／否定確認応答（ＡＣＫ／ＮＡＣＫ）情報、および、チャネル品質指示（ＣＱＩ）情報などのフィードバック情報は、ダウンリンクチャネル状態を示すことができる。フィードバック情報を、アップリンクの高速個別物理制御チャネル（ＨＳ−ＤＰＣＣＨ）フィードバックチャネル上で、ネットワークへ送信することができる。しかし、現在の技術は、３つ以上のキャリアなど、複数のキャリアのためのフィードバック情報の送信に対処しないことがある。したがって、ネットワークが３つ以上のキャリア内で同時に送信することを可能にし、無線送受信ユニット（ＷＴＲＵ）が３つ以上のキャリアのためのデータ受信を認めることを可能にし、かつ、ＭＩＭＯが構成される場合、複数のデータストリームを可能にすることができる、フィードバック送信機構が必要である。
【先行技術文献】
【特許文献】
【０００４】
【非特許文献１】3GPP WCDMA Release 8
【非特許文献２】3GPP TS 25.212 v9.0.0, "Multiplexing and Channel Coding (FDD)"
【非特許文献３】3GPP TS 25.214
【非特許文献４】3GPP TS 25.214 v9.0.0
【発明の概要】
【０００５】
複数のサービングセル／ダウンリンクキャリアのためのフィードバックを送信することに備えることができるシステム、方法および手段が開示される。サービングセルは、プライマリサービングセル、および、１つまたは複数のセカンダリサービングセルを含んでもよい。フィードバック情報は、高速個別物理制御チャネル（ＨＳ−ＤＰＣＣＨ）を介して送信されてもよい。フィードバック情報は、ハイブリッド自動再送要求（ＨＡＲＱ）肯定確認応答／否定確認応答（ＡＣＫ／ＮＡＣＫ）およびチャネル品質指示（ＣＱＩ）／プリコーディング制御指示（ＰＣＩ）を含んでもよい。
【０００６】
一実施形態では、フィードバック情報を送信するためのスロットフォーマットは、構成されたセカンダリサービングセルの数、および、多入力多出力（ＭＩＭＯ）がサービングセル内で構成されるかどうかに基づいて、決定されてもよい。例えば、あるスロットフォーマットは、２５６の拡散係数（spreading factor）を使用してもよく、あるスロットフォーマットは、高速ダウンリンクパケットアクセス（ＨＳＤＰＡ）では、２５６から１２８に低減された拡散係数を使用してもよい。例えば、２つのセカンダリサービングセルが構成され、かつ、ＭＩＭＯがこれら２つの構成されたセカンダリサービングセルのうち少なくとも１つにおいて構成される時、１２８の拡散係数を有するスロットフォーマットが選択されてもよい。例えば、３つのセカンダリサービングセルが構成される時、１２８の拡散係数を有するスロットフォーマットが選択されてもよい。
【０００７】
一実施形態では、これらのサービングセルは、フィードバックグループにグループ化されてもよい。フィードバックグループは、１つまたは複数のサービングセルを含んでもよい。チャネル符号化が、これらのフィードバックグループのためのフィードバック情報に適用されてもよい。結果として生じる、これらのフィードバックグループのためのエンコードされたフィードバック情報が連結されて、合成フィードバック情報が形成されてもよい。合成フィードバック情報は、物理チャネルにマップされてもよい。
【０００８】
例えば、フィードバックグループ内のサービングセルのためのＨＡＲＱフィードバック情報は、合同でエンコード（jointly encoded）されてもよい。あるフィードバックグループのためのＨＡＲＱフィードバック情報は、ＨＡＲＱフィードバック送信のために割り振られたタイムスロットの一部内で送信されてもよい。このタイムスロットの他の部分を使用して、他のフィードバックグループのためのＨＡＲＱフィードバック情報が送信されてもよい。例えば、サービングセルのためのＣＱＩ／ＰＣＩフィードバック情報は、個々にエンコードされてもよい。あるフィードバックグループのためのＣＱＩ／ＰＣＩ情報は、ＣＱＩフィードバック送信のために割り振られたタイムスロット内で送信されてもよく、ＣＱＩ／ＰＣＩ送信のために割り振られたサブフレーム内の他のタイムスロットを使用して、他のフィードバックグループのためのＣＱＩ／ＰＣＩ情報が送信されてもよい。
【０００９】
一実施形態では、サービングセルは、非アクティブ化されたセルを含んでもよい。フィードバック情報は、非アクティブ化されたセルについては送信されないことがある。例えば、不連続送信（ＤＴＸ）メッセージが、ＨＳ−ＤＰＣＣＨサブフレームのフィードバックフィールド内の非アクティブ化されたセルのために指示されてもよい。例えば、アクティブなセルのためのフィードバック情報が繰り返されて、ＨＳ−ＤＰＣＣＨサブフレーム内のフィードバックフィールド全体が満たされてもよい。
【００１０】
一実施形態では、異なる電力オフセットがフィードバックグループに適用されてもよい。ＨＡＲＱフィールドおよびＣＱＩフィールドのための電力オフセットは、使用されたコードブックに応じて決定されてもよい。ＣＱＩフィードバックサイクルは、キャリア固有、キャリアグループ固有、または、共通のベースで構成されてもよい。
【図面の簡単な説明】
【００１１】
添付図面と共に例として与えられる以下の説明から詳細な理解を得ることができる。
【００１２】
【図１Ａ】１つまたは複数の開示された実施形態が実行されうる、通信システムの一例のシステム図である。
【図１Ｂ】図１Ａに例示された通信システム内で使用されうる、無線送受信ユニット（ＷＴＲＵ）の一例のシステム図である。
【図１Ｃ】図１Ａに例示された通信システム内で使用されうる、無線アクセスネットワークの一例およびコアネットワークの一例のシステム図である。
【図２Ａ】シングルキャリア動作のためのＨＳ−ＤＰＣＣＨフォーマットの一例を示す図である。
【図２Ｂ】シングルキャリア動作のためのＨＳ−ＤＰＣＣＨフォーマットの一例を示す図である。
【図２Ｃ】デュアルキャリア動作のためのＨＳ−ＤＰＣＣＨフォーマットの一例を示す図である。
【図２Ｄ】デュアルキャリア動作のためのＨＳ−ＤＰＣＣＨフォーマットの一例を示す図である。
【図３】ＨＳ−ＤＰＣＣＨサブフレームフォーマットの一例を示す図である。
【図４】ＨＳ−ＤＰＣＣＨサブフレームフォーマットの一例を示す図である。
【図５】ＨＳ−ＤＰＣＣＨサブフレームフォーマットの一例を示す図である。
【図６】フィードバックレポートのための符号化フローの一例を示す図である。
【図７】フィードバックレポートのための符号化フローの一例を示す図である。
【図８】ＨＳ−ＤＰＣＣＨサブフレームフォーマットの一例を示す図である。
【図９】ＨＳ−ＤＰＣＣＨサブフレームフォーマットの一例を示す図である。
【図１０】ＰＲＥ／ＰＯＳＴが満たされている送信信号の一例を示す図である。
【図１１】ＰＲＥ／ＰＯＳＴが満たされている送信信号の一例を示す図である。
【図１２】フィードバック情報送信の一例を示す図である。
【図１３】フィードバック情報送信の一例を示す図である。
【図１４】ＨＳ−ＤＰＣＣＨサブフレームフォーマットの一例を示す図である。
【図１５】ＨＳ−ＤＰＣＣＨサブフレームフォーマットの一例を示す図である。
【図１６】ＨＳ−ＤＰＣＣＨサブフレームフォーマットの一例を示す図である。
【図１７】ＨＳ−ＤＰＣＣＨサブフレームフォーマットの一例を示す図である。
【図１８】ＨＳ−ＤＰＣＣＨサブフレームフォーマットの一例を示す図である。
【図１９】ＨＳ−ＤＰＣＣＨサブフレームフォーマットの一例を示す図である。
【図２０】ＨＳ−ＤＰＣＣＨサブフレームフォーマットの一例を示す図である。
【図２１】ＨＳ−ＤＰＣＣＨサブフレームフォーマットの一例を示す図である。
【図２２】ＨＳ−ＤＰＣＣＨサブフレームフォーマットの一例を示す図である。
【図２３】ＨＳ−ＤＰＣＣＨサブフレームフォーマットの一例を示す図である。
【図２４】ＨＳ−ＤＰＣＣＨサブフレームフォーマットの一例を示す図である。
【図２５】ＨＳ−ＤＰＣＣＨサブフレームフォーマットの一例を示す図である。
【図２６】ＨＳ−ＤＰＣＣＨサブフレームフォーマットの一例を示す図である。
【図２７】ＨＳ−ＤＰＣＣＨサブフレームフォーマットの一例を示す図である。
【図２８】ＨＳ−ＤＰＣＣＨサブフレームフォーマットの一例を示す図である。
【図２９】ＨＳ−ＤＰＣＣＨサブフレームフォーマットの一例を示す図である。
【図３０】ＨＳ−ＤＰＣＣＨサブフレームフォーマットの一例を示す図である。
【図３１】ＨＳ−ＤＰＣＣＨサブフレームフォーマットの一例を示す図である。
【図３２】ＨＳ−ＤＰＣＣＨサブフレームフォーマットの一例を示す図である。
【図３３】ＨＳ−ＤＰＣＣＨサブフレームフォーマットの一例を示す図である。
【図３４】ＨＳ−ＤＰＣＣＨサブフレームフォーマットの一例を示す図である。
【図３５】ＨＳ−ＤＰＣＣＨサブフレームフォーマットの一例を示す図である。
【図３６】ＨＳ−ＤＰＣＣＨサブフレームフォーマットの一例を示す図である。
【図３７】ＨＳ−ＤＰＣＣＨサブフレームフォーマットの一例を示す図である。
【図３８】フィードバック情報の符号化フローの一例を示す図である。
【図３９】フィードバック情報の符号化フローの一例を示す図である。
【図４０】フィードバック情報の符号化フローの一例を示す図である。
【図４１】フィードバック情報の符号化フローの一例を示す図である。
【図４２】延長された電力ブースト期間の図を例示する図である。
【図４３】一対のキャリアのためのキャリア固有のフィードバックサイクルの一例を示す図である。
【図４４】ＨＳ−ＤＰＣＣＨレイアウトの一例を示す図である。
【図４５】ＨＳ−ＤＰＣＣＨレイアウトの一例を示す図である。
【図４６】ＨＳ−ＤＰＣＣＨレイアウトの一例を示す図である。
【図４７】ＨＳ−ＤＰＣＣＨレイアウトの一例を示す図である。
【図４８】ＨＳ−ＤＰＣＣＨレイアウトの一例を示す図である。
【図４９】ＨＳ−ＤＰＣＣＨレイアウトの一例を示す図である。
【図５０】ＨＳ−ＤＰＣＣＨレイアウトの一例を示す図である。
【図５１】ＨＳ−ＤＰＣＣＨレイアウトの一例を示す図である。
【図５２】ＨＳ−ＤＰＣＣＨレイアウトの一例を示す図である。
【図５３】ＨＳ−ＤＰＣＣＨレイアウトの一例を示す図である。
【図５４】ＨＳ−ＤＰＣＣＨレイアウトの一例を示す図である。
【図５５】ＨＳ−ＤＰＣＣＨレイアウトの一例を示す図である。
【図５６】一連のサブフレームを介した、ＨＳ−ＤＰＣＣＨ上のＡＣＫ／ＮＡＣＫ情報の送信の一例を示す図である。
【図５７】一連のサブフレームを介した、ＨＳ−ＤＰＣＣＨ上のＡＣＫ／ＮＡＣＫ情報の送信の一例を示す図である。
【図５８】一連のサブフレームを介した、ＨＳ−ＤＰＣＣＨ上のＡＣＫ／ＮＡＣＫ情報の送信の一例を示す図である。
【図５９】一連のサブフレームを介した、ＨＳ−ＤＰＣＣＨ上のＡＣＫ／ＮＡＣＫ情報の送信の一例を示す図である。
【図６０】一連のサブフレームを介した、ＨＳ−ＤＰＣＣＨ上のＡＣＫ／ＮＡＣＫ情報の送信の一例を示す図である。
【図６１】一連のサブフレームを介した、ＨＳ−ＤＰＣＣＨ上のＡＣＫ／ＮＡＣＫ情報の送信の一例を示す図である。
【図６２】エンコード処理の一例を示す図である。
【図６３】エンコード処理の一例を示す図である。
【図６４】符号化方式の一例を示す図である。
【図６５】ＨＳ−ＤＰＣＣＨレイアウトへの例を例示する図である。
【図６６】符号化方式の一例を示す図である。
【図６７】符号化方式の一例を示す図である。
【図６８】反復符号化を介した符号化方式の性能向上を示す図である。
【発明を実施するための形態】
【００１３】
図１Ａは、１つまたは複数の開示された実施形態が実行されうる通信システム１００の一例の図である。通信システム１００は、音声、データ、ビデオ、メッセージング、ブロードキャストなどのコンテンツを複数の無線ユーザに提供する、多重アクセスシステムであってもよい。通信システム１００は、無線帯域幅を含むシステムリソースの共有を通じて、複数の無線ユーザがそのようなコンテンツにアクセスできるようにしてもよい。例えば、通信システム１００は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を採用してもよい。
【００１４】
図１Ａに示すように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含んでもよいが、開示する実施形態が任意の数のＷＴＲＵ、基地局、ネットワークおよび／またはネットワーク要素を企図することは理解されよう。ＷＴＲＵ１０２ａ、１０２ｂ、１０２ｃ、１０２ｄの各々は、無線環境内で動作かつ／または通信するように構成された任意のタイプのデバイスであってもよい。例えば、ＷＴＲＵ１０２ａ、１０２ｂ、１０２ｃ、１０２ｄは、無線信号を送信かつ／または受信するように構成可能であり、ユーザ機器（ＵＥ）、移動局、固定またはモバイルの加入者ユニット、ページャ、携帯電話、ＰＤＡ、スマートフォン、ラップトップ、ネットブック、パーソナルコンピュータ、無線センサ、家庭用電化製品などが含まれうる。
【００１５】
通信システム１００はまた、基地局１１４ａおよび基地局１１４ｂを含んでもよい。基地局１１４ａ、１１４ｂの各々は、ＷＴＲＵ１０２ａ、１０２ｂ、１０２ｃ、１０２ｄのうち少なくとも１つと無線でインタフェースして、コアネットワーク１０６、インターネット１１０および／またはネットワーク１１２などの１つまたは複数の通信ネットワークへのアクセスを容易にするように構成された、任意のタイプのデバイスであってもよい。例えば、基地局１１４ａ、１１４ｂは、無線基地局（ＢＴＳ）、ノードＢ、ｅノードＢ、ホームノードＢ、ホームｅノードＢ、サイトコントローラ、アクセスポイント（ＡＰ）、無線ルータなどであってもよい。基地局１１４ａ、１１４ｂは、それぞれ単一の要素として示されるが、基地局１１４ａ、１１４ｂが任意の数の相互接続された基地局および／またはネットワーク要素を含みうることは理解されよう。
【００１６】
基地局１１４ａはＲＡＮ１０４の一部でよく、ＲＡＮ１０４は、基地局コントローラ（ＢＳＣ）、無線ネットワークコントローラ（ＲＮＣ）、中継ノードなどの他の基地局および／またはネットワーク要素（図示せず）をも含むことができる。セル（図示せず）と呼ばれることがある特定の地理的領域内の無線信号を送信および／または受信するように基地局１１４ａおよび／または基地局１１４ｂを構成することができる。セルはさらに、セルセクタに分割することができる。例えば、基地局１１４ａに関連するセルを３つのセクタに分割することができる。このため、一実施形態では、基地局１１４ａは、３つのトランシーバ、すなわちセルの各セクタについて１つのトランシーバを含むことができる。別の実施形態では、基地局１１４ａはＭＩＭＯ技術を利用することができ、したがってセルの各セクタについて複数のトランシーバを使用することができる。
【００１７】
基地局１１４ａ、１１４ｂは、エアインタフェース１１６を介してＷＴＲＵ１０２ａ、１０２ｂ、１０２ｃ、１０２ｄのうちの１つまたは複数と通信することができ、エアインタフェース１１６は、任意の適切な無線通信リンク（例えば、無線周波数（ＲＦ）、マイクロ波、赤外線（ＩＲ）、紫外線（ＵＶ）、可視光線など）でよい。任意の適切な無線アクセス技術（ＲＡＴ）を使用してエアインタフェース１１６を確立することができる。
【００１８】
より具体的には、上記のように、通信システム１００は多元接続システムでよく、ＣＤＭＡ、ＴＤＭＡ、ＦＤＭＡ、ＯＦＤＭＡ、ＳＣ−ＦＤＭＡなどの１つまたは複数のチャネルアクセス方式を利用することができる。例えば、ＲＡＮ１０４内の基地局１１４ａ、およびＷＴＲＵ１０２ａ、１０２ｂ、１０２ｃは、広帯域ＣＤＭＡ（ＷＣＤＭＡ）を使用してエアインタフェース１１６を確立することのできるＵＴＲＡ（Universal Mobile Telecommunications System (UMTS) Terrestrial Radio Access）などの無線技術を実装することができる。ＷＣＤＭＡは、ＨＳＰＡ（High-Speed Packet Access）および／またはＨＳＰＡ＋（Evolved HSPA）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１９】
別の実施形態では、基地局１１４ａ、およびＷＴＲＵ１０２ａ、１０２ｂ、１０２ｃは、ＬＴＥ（Long Term Evolution）および／またはＬＴＥ−Ａｄｖａｎｃｅｄ（LTE-A）を使用してエアインタフェース１１６を確立することのできるＥ−ＵＴＲＡ（Evolved UMTS Terrestrial Radio Access）などの無線技術を実装することができる。
【００２０】
他の実施形態では、基地局１１４ａおよびＷＴＲＵ１０２ａ、１０２ｂ、１０２ｃは、ＩＥＥＥ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００  ＥＶ−ＤＯ、ＩＳ−２０００（Interim Standard 2000）、ＩＳ−９５（Interim Standard 95）、ＩＳ−８５６（Interim Standard 856）、ＧＳＭ（登録商標）（Global System for Mobile communications）、ＥＤＧＥ（Enhanced Data rates for GSM Evolution）、ＧＥＲＡＮ（GSM EDGE）などの無線技術を実装することができる。
【００２１】
図１Ａの基地局１１４ｂは、例えば、無線ルータ、ホームノードＢ、ホームｅノードＢまたはアクセスポイントであってもよく、職場、自宅、車両、キャンパスなどの局所的なエリア内の無線接続性を容易にするための任意の適切なＲＡＴを利用することができる。一実施形態では、基地局１１４ｂおよびＷＴＲＵ１０２ｃ、１０２ｄは、ＩＥＥＥ８０２．１１などの無線技術を実装して、無線ローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実装して、無線パーソナルエリアネットワーク（ＷＰＡＮ）を確立することができる。さらに別の実施形態では、基地局１１４ｂおよびＷＴＲＵ１０２ｃ、１０２ｄは、セルラーベースのＲＡＴ（例えば、ＷＣＤＭＡ、ＣＤＭＡ２０００、ＧＳＭ、ＬＴＥ、ＬＴＥ−Ａなど）を利用してピコセルまたはフェムトセルを確立することができる。図１Ａに示すように、基地局１１４ｂは、インターネット１１０への直接接続を有してもよい。このように、基地局１１４ｂは、コアネットワーク１０６を介してインターネット１１０にアクセスする必要がないことがある。
【００２２】
ＲＡＮ１０４は、コアネットワーク１０６と通信していてもよく、コアネットワーク１０６は、音声、データ、アプリケーション、および／または、ＶｏＩＰ（voice over internet protocol）サービスを、ＷＴＲＵ１０２ａ、１０２ｂ、１０２ｃ、１０２ｄのうち１つまたは複数に提供するように構成された、任意のタイプのネットワークであってもよい。例えば、コアネットワーク１０６は、呼制御、課金サービス、モバイル位置情報サービス、プリペイド通話、インターネット接続性、ビデオ配信などを提供し、かつ／または、ユーザ認証など、高レベルのセキュリティ機能を行うことができる。図１Ａに図示しないが、ＲＡＮ１０４および／またはコアネットワーク１０６は、ＲＡＮ１０４と同じＲＡＴまたは異なるＲＡＴを採用する他のＲＡＮと、直接的または間接的に通信していてもよいことは理解されよう。例えば、Ｅ−ＵＴＲＡ無線技術を利用中でありうる、ＲＡＮ１０４に接続されることに加えて、コアネットワーク１０６はまた、ＧＳＭ無線技術を採用する別のＲＡＮ（図示せず）と通信していてもよい。
【００２３】
コアネットワーク１０６はまた、ＷＴＲＵ１０２ａ、１０２ｂ、１０２ｃ、１０２ｄがＰＳＴＮ１０８、インターネット１１０および／または他のネットワーク１１２にアクセスするための、ゲートウェイとしての機能を果たすこともできる。ＰＳＴＮ１０８は、一般電話サービス（ＰＯＴＳ）を提供する、回線交換電話網を含んでもよい。インターネット１１０は、ＴＣＰ／ＩＰインターネットプロトコルスイートにおける、ＴＣＰ、ＵＤＰおよびＩＰなどの共通の通信プロトコルを使用する、相互接続されたコンピュータネットワークおよびデバイスのグローバルなシステムを含みうる。ネットワーク１１２には、他のサービスプロバイダによって所有かつ／または運用される、有線または無線通信ネットワークが含まれうる。例えば、ネットワーク１１２には、１つまたは複数のＲＡＮに接続された別のコアネットワークが含まれてもよく、これらのＲＡＮは、ＲＡＮ１０４と同じＲＡＴまたは異なるＲＡＴを採用してもよい。
【００２４】
通信システム１００内のＷＴＲＵ１０２ａ、１０２ｂ、１０２ｃ、１０２ｄの一部または全部は、マルチモード能力を含んでもよく、すなわち、ＷＴＲＵ１０２ａ、１０２ｂ、１０２ｃ、１０２ｄは、異なる無線リンクを介して異なる無線ネットワークと通信するための複数のトランシーバを含んでもよい。例えば、図１Ａに示すＷＴＲＵ１０２ｃは、セルラーベースの無線技術を採用することがある基地局１１４ａと、かつ、ＩＥＥＥ８０２無線技術を採用することがある基地局１１４ｂと、通信するように構成されてもよい。
【００２５】
図１Ｂは、ＷＴＲＵ１０２の一例のシステム図である。図１Ｂに示すように、ＷＴＲＵ１０２は、プロセッサ１１８、トランシーバ１２０、送受信素子１２２、スピーカ／マイクロフォン１２４、キーパッド１２６、ディスプレイ／タッチパッド１２８、非リムーバブルメモリ１３０、リムーバブルメモリ１３２、電源１３４、ＧＰＳチップセット１３６および他の周辺機器１３８を含んでもよい。ＷＴＲＵ１０２は、一実施形態と矛盾しないままで、前述の要素の任意のサブコンビネーションを含んでもよいことは理解されよう。
【００２６】
プロセッサ１１８は、汎用プロセッサ、専用プロセッサ、従来のプロセッサ、デジタル信号プロセッサ（ＤＳＰ）、複数のマイクロプロセッサ、また、ＤＳＰコア、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシンなどに関連した、１つまたは複数のマイクロプロセッサであってもよい。プロセッサ１１８は、信号符号化、データ処理、電力制御、入出力処理、および／または、ＷＴＲＵ１０２が無線環境内で動作できるようにする任意の他の機能性を行うことができる。プロセッサ１１８は、トランシーバ１２０に結合されてもよく、トランシーバ１２０は、送受信素子１２２に結合されてもよい。図１Ｂは、プロセッサ１１８およびトランシーバ１２０を別々のコンポーネントとして示すが、プロセッサ１１８およびトランシーバ１２０は、電子パッケージまたはチップ内で共に統合可能であることは理解されよう。
【００２７】
送受信素子１２２は、エアインタフェース１１６を介して、基地局（例えば、基地局１１４ａ）へ信号を送信し、または、基地局から信号を受信するように構成されてもよい。例えば、一実施形態では、送受信素子１２２は、ＲＦ信号を送受信するように構成されたアンテナであってもよい。もう１つの実施形態では、送受信素子１２２は、例えば、ＩＲ、ＵＶまたは可視光信号を送受信するように構成されたエミッタ／検出器であってもよい。さらにもう１つの実施形態では、送受信素子１２２は、ＲＦおよび光信号を共に送受信するように構成されてもよい。送受信素子１２２は、任意の組み合わせの無線信号を送受信するように構成されてもよいことは理解されよう。
【００２８】
加えて、送受信素子１２２は、図１Ｂで単一の素子として示されるが、ＷＴＲＵ１０２は、任意の数の送受信素子１２２を含んでもよい。より具体的には、ＷＴＲＵ１０２は、ＭＩＭＯ技術を採用してもよい。一実施形態では、ＷＴＲＵ１０２は、エアインタフェース１１６を介して無線信号を送受信するための、２つ以上の送受信素子１２２（例えば、複数のアンテナ）を含んでもよい。
【００２９】
トランシーバ１２０は、送受信素子１２２によって送信される信号を変調するように、かつ、送受信素子１２２によって受信される信号を復調するように構成されてもよい。上述のように、ＷＴＲＵ１０２は、マルチモード能力を有してもよい。トランシーバ１２０は、ＷＴＲＵ１０２が、例えば、ＵＴＲＡおよびＩＥＥＥ８０２．１１などの複数のＲＡＴを介して通信できるようにするための複数のトランシーバを含んでもよい。
【００３０】
ＷＴＲＵ１０２のプロセッサ１１８は、スピーカ／マイクロフォン１２４、キーパッド１２６、および／または、ディスプレイ／タッチパッド１２８（例えば、液晶ディスプレイ（ＬＣＤ）表示ユニット、もしくは、有機発光ダイオード（ＯＬＥＤ）表示ユニット）に結合されてもよく、それらからユーザ入力データを受信することができる。プロセッサ１１８はまた、ユーザデータを、スピーカ／マイクロフォン１２４、キーパッド１２６、および／または、ディスプレイ／タッチパッド１２８に出力することもできる。加えて、プロセッサ１１８は、非リムーバブルメモリ１３０および／またはリムーバブルメモリ１３２などの任意のタイプの適切なメモリからの情報にアクセスし、そのメモリにデータを格納することができる。非リムーバブルメモリ１３０には、ＲＡＭ、ＲＯＭ、ハードディスク、または任意の他のタイプのメモリ記憶装置が含まれうる。リムーバブルメモリ１３２には、加入者識別モジュール（ＳＩＭ）カード、メモリスティック、セキュアデジタル（ＳＤ）メモリカードなどが含まれうる。他の実施形態では、プロセッサ１１８は、サーバまたはホームコンピュータ（図示せず）上など、ＷＴＲＵ１０２上に物理的に位置していないメモリからの情報にアクセスし、そのメモリにデータを格納することができる。
【００３１】
プロセッサ１１８は、電源１３４から電力を受信することができ、ＷＴＲＵ１０２内の他のコンポーネントへの電力を分配かつ／または制御するように構成されてもよい。電源１３４は、ＷＴＲＵ１０２に電力を供給するための任意の適切なデバイスであってもよい。例えば、電源１３４には、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などが含まれうる。
【００３２】
プロセッサ１１８はまた、ＧＰＳチップセット１３６にも結合されてもよく、ＧＰＳチップセット１３６は、ＷＴＲＵ１０２の現在位置に関する位置情報（例えば、経度および緯度）を提供するように構成されてもよい。ＧＰＳチップセット１３６からの情報に加えて、またはその代わりに、ＷＴＲＵ１０２は、エアインタフェース１１６を介して、基地局（例えば、基地局１１４ａ、１１４ｂ）から位置情報を受信し、かつ／または、信号が２つ以上の近くの基地局から受信されるタイミングに基づいて、その位置を決定することができる。ＷＴＲＵ１０２は、一実施形態と矛盾しないままで、任意の適切な位置決定方法を通じて位置情報を獲得できることは理解されよう。
【００３３】
プロセッサ１１８は、他の周辺機器１３８にさらに結合されてもよく、他の周辺機器１３８には、追加の特徴、機能性、および／または有線もしくは無線接続性を提供する１つまたは複数のソフトウェアおよび／またはハードウェアモジュールが含まれうる。例えば、周辺機器１３８には、加速度計、ｅコンパス、衛星トランシーバ、デジタルカメラ（写真またはビデオ用）、ＵＳＢ（universal serial bus）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレイヤ、メディアプレイヤ、ビデオゲームプレイヤモジュール、インターネットブラウザなどが含まれうる。
【００３４】
図１Ｃは、一実施形態によるＲＡＮ１０４およびコアネットワーク１０６のシステム図である。上述のように、ＲＡＮ１０４は、ＵＴＲＡ無線技術を採用して、エアインタフェース１１６を介して、ＷＴＲＵ１０２ａ、１０２ｂ、１０２ｃと通信することができる。ＲＡＮ１０４はまた、コアネットワーク１０６と通信していてもよい。図１Ｃに示すように、ＲＡＮ１０４は、ノードＢ１４０ａ、１４０ｂ、１４０ｃを含んでもよく、ノードＢ１４０ａ、１４０ｂ、１４０ｃは、エアインタフェース１１６を介してＷＴＲＵ１０２ａ、１０２ｂ、１０２ｃと通信するための、１つまたは複数のトランシーバをそれぞれ含んでもよい。ノードＢ１４０ａ、１４０ｂ、１４０ｃは、ＲＡＮ１０４内の特定のセル（図示せず）にそれぞれ関連付けられてもよい。ＲＡＮ１０４はまた、ＲＮＣ１４２ａ、１４２ｂを含んでもよい。ＲＡＮ１０４は、一実施形態と矛盾しないままで、任意の数のノード−ＢおよびＲＮＣを含んでもよいことは理解されよう。
【００３５】
図１Ｃに示すように、ノードＢ１４０ａ、１４０ｂは、ＲＮＣ１４２ａと通信していてもよい。加えて、ノードＢ１４０ｃは、ＲＮＣ１４２ｂと通信していてもよい。ノードＢ１４０ａ、１４０ｂ、１４０ｃは、Ｉｕｂインタフェースを介して各ＲＮＣ１４２ａ、１４２ｂと通信してもよい。ＲＮＣ１４２ａ、１４２ｂは、Ｉｕｒインタフェースを介して互いに通信していてもよい。ＲＮＣ１４２ａ、１４２ｂの各々は、それが接続される先の各ノードＢ１４０ａ、１４０ｂ、１４０ｃを制御するように構成されてもよい。加えて、ＲＮＣ１４２ａ、１４２ｂの各々は、アウターループ電力制御、負荷制御、アドミッション制御、パケットスケジューリング、ハンドオーバ制御、マクロダイバーシティ、セキュリティ機能、データ暗号化などの他の機能性を実行またはサポートするように構成されてもよい。
【００３６】
図１Ｃに示すコアネットワーク１０６は、メディアゲートウェイ（ＭＧＷ）１４４、移動交換局（ＭＳＣ）１４６、サービングＧＰＲＳサポートノード（ＳＧＳＮ）１４８、および／またはゲートウェイＧＰＲＳサポートノード（ＧＧＳＮ）１５０を含んでもよい。前述の要素の各々は、コアネットワーク１０６の一部として示されるが、これらの要素のいずれか１つは、コアネットワークオペレータ以外のエンティティによって所有かつ／または操作されうることは理解されよう。
【００３７】
ＲＡＮ１０４内のＲＮＣ１４２ａは、ＩｕＣＳインタフェースを介して、コアネットワーク１０６内のＭＳＣ１４６に接続されてもよい。ＭＳＣ１４６は、ＭＧＷ１４４に接続されてもよい。ＭＳＣ１４６およびＭＧＷ１４４は、ＷＴＲＵ１０２ａ、１０２ｂ、１０２ｃに、ＰＳＴＮ１０８など、回路交換ネットワークへのアクセスを提供して、ＷＴＲＵ１０２ａ、１０２ｂ、１０２ｃと従来の固定電話通信デバイスの間の通信を容易にすることができる。
【００３８】
ＲＡＮ１０４内のＲＮＣ１４２ａはまた、ＩｕＰＳインタフェースを介して、コアネットワーク１０６内のＳＧＳＮ１４８にも接続されてもよい。ＳＧＳＮ１４８は、ＧＧＳＮ１５０に接続されてもよい。ＳＧＳＮ１４８およびＧＧＳＮ１５０は、ＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰ対応デバイスの間の通信を容易にすることができる。
【００３９】
上述のように、コアネットワーク１０６はまた、ネットワーク１１２にも接続されてもよく、ネットワーク１１２には、他のサービスプロバイダによって所有かつ／または運用される、他の有線または無線通信ネットワークが含まれうる。
【００４０】
図２Ａは、シングルキャリア動作（ＳＣ）のためのＨＳ−ＤＰＣＣＨフォーマットの一例を示す。図示のように、ＡＣＫ／ＮＡＣＫコードブックサイズは４であってもよく、Ａ／Ｎ（４）と示すことができる。ＨＳ−ＤＰＣＣＨフォーマットは、（２０，５）リードマラー符号によってエンコードされた５ビットのＣＱＩテーブルを含んでもよく、ＣＱＩ（２０，５）と示すことができる。
【００４１】
図２Ｂは、ＭＩＭＯを有するシングルキャリア動作（ＳＣ＋ＭＩＭＯ）のためのＨＳ−ＤＰＣＣＨフォーマットの一例を示す。図示のように、ＡＣＫ／ＮＡＣＫコードブックサイズは８であってもよく、Ａ／Ｎ（８）と示すことができる。タイプＡ送信では、ＨＳ−ＤＰＣＣＨフォーマットは、（２０，１０）リードマラー符号によってエンコードされた、８ビットのＣＱＩ＋２ビットのＰＣＩを含んでもよい。タイプＢ送信では、ＨＳ−ＤＰＣＣＨフォーマットは、（２０，７）リードマラー符号によってエンコードされた５ビットのＣＱＩテーブルを含んでもよい。図２Ｂに示すように、ＣＱＩテーブルのフォーマットは、ＣＱＩ（２０，７／１０）と示すことができる。
【００４２】
図２Ｃは、デュアルキャリア動作（ＤＣ）のためのＨＳ−ＤＰＣＣＨフォーマットの一例を示す。ＡＣＫ／ＮＡＣＫコードブックサイズは１０であってもよく、Ａ／Ｎ（１０）と示すことができる。ＨＳ−ＤＰＣＣＨフォーマットは、（２０，１０）リードマラー符号によってエンコードされた１０ビットのＣＱＩテーブルを含んでもよく、ＣＱＩ（２０，１０）と示すことができる。
【００４３】
図２Ｄは、ＭＩＭＯを有するデュアルキャリア動作（ＤＣ＋ＭＩＭＯ）のためのＨＳ−ＤＰＣＣＨフォーマットの一例を示す。ＡＣＫ／ＮＡＣＫコードブックサイズは５０であってもよく、Ａ／Ｎ（５０）と示すことができる。タイプＡ送信では、ＨＳ−ＤＰＣＣＨフォーマットは、（２０，１０）リードマラー符号によってエンコードされた、８ビットのＣＱＩ＋２ビットのＰＣＩのＣＱＩテーブルを含んでもよい。タイプＢでは、ＨＳ−ＤＰＣＣＨフォーマットは、（２０，７）リードマラー符号によってエンコードされた、５ビットのＣＱＩ＋２ビットのプリコーディング制御情報（ＰＣＩ）のＣＱＩテーブルを含んでもよい。図２Ｄに示すように、ＣＱＩテーブルのフォーマットは、ＣＱＩ（２０，７／１０）と示すことができる。図２Ｄに示すように、キャリア１およびキャリア２のためのＣＱＩ／ＰＣＩ情報を時間多重化することができる。
【００４４】
図３は、ＨＳ−ＤＰＣＣＨフォーマットを示す。図示のように、サブフレーム３１０は、３つのタイムスロット３２０、３３０および３４０を含んでもよい。ＨＳ−ＤＰＣＣＨは、２５６の拡散係数によるＢＰＳＫ変調、および、単一のチャネライゼーションコードを使用して構成されてもよい。確認応答フィードバックを搬送するために割り振られたＨＡＲＱ−ＡＣＫフィールド３５０は、１０ビットを含みうるタイムスロット３２０などの１つのタイムスロットを取ることができる。ＣＱＩ／ＰＣＩフィールド３６０には、合計２０ビットを有する、タイムスロット３３０および３４０などの２つのタイムスロットが割り当てられてもよい。ＨＡＲＱ−ＡＣＫフィールド３５０は、ＭＩＭＯにより、最大２つのＨＳ−ＤＳＣＨセルのためのフィードバックを搬送することができ、ＣＱＩ／ＰＣＩフィールド３６０は、時分割多重化（ＴＤＭ）方式で、各セル間で行き来するＭＩＭＯにより、最大２つのＨＳ−ＤＳＣＨセルのためのフィードバックを搬送することができる。ＨＡＲＱ−ＡＣＫおよびＣＱＩ／ＰＣＩフィールド３５０および３６０を、独立して符号化かつ送信することができる。
【００４５】
実施形態の例を、３ＧＰＰ  ＵＭＴＳ（Universal Mobile Telecommunications System）との関連で説明する。ＵＭＴＳとの関連での説明を簡単にするため、以下の定義が適用可能であってもよい。例えば、「Secondary_Cell_Enabled」は、ＷＴＲＵがセカンダリサービングセルにより構成されるかどうかを記述することができる。「Secondary_Cell_Active」は、ＷＴＲＵがアクティブなセカンダリサービングセルにより構成されるかどうかを記述することができる。ＷＴＲＵが１つまたは複数のセカンダリサービングＨＳ−ＤＳＣＨセルにより構成される場合、Secondary_Cell_Enabledは１であってもよく、そうでない場合は、Secondary_Cell_Enabledは０であってもよく、Secondary_Cell_Activeは０であってもよい。Secondary_Cell_Enabledが１であり、かつ、セカンダリサービングＨＳ−ＤＳＣＨセルのうち少なくとも１つが（例えば、ＨＳ−ＳＣＣＨオーダーを介して）アクティブ化される時、Secondary_Cell_Activeは１であってもよく、そうでない場合は、Secondary_Cell_Activeは０であってもよい。「Number_of_Secondary_Active_Cells」は、アクティブなセカンダリサービングセルの数を記述することができる。例えば、Secondary_Cell_Enabledが１であり、かつ、Secondary_Cell_Activeが１である場合、Number_of_Secondary_Active_Cellsは、１、２または３に等しくてもよく、アクティブ化されるＨＳ−ＤＳＣＨセルの数を示し、そうでない場合は、Number_of_Secondary_Active_Cellsは、０に設定されてもよい。
【００４６】
「ＨＳ−ＤＳＣＨセル」という用語はまた、「セル」、「サービングセル」、「キャリア」および「ダウンリンクキャリア」と呼ばれることもあり、本明細書で入れ替え可能に使用されうる。さらに、ＨＳ−ＤＳＣＨセルには、プライマリサービングＨＳ−ＤＳＣＨセル、および／または、セカンダリサービングＨＳ−ＤＳＣＨセルが含まれうる。「合成ＰＣＩ／ＣＱＩ」、「ＰＣＩ／ＣＱＩ」および「ＣＱＩ」という用語は、本明細書で入れ替え可能に使用されうる。
【００４７】
ＷＴＲＵが多重キャリア動作用に構成される時、ＨＳ−ＤＰＣＣＨサブフレーム構造は、長さ２ｍｓ（３×２５６０チップ）のものであってもよい。サブフレームは、各々の長さが２５６０チップである、３つのスロットを含んでもよい。ＨＡＲＱ−ＡＣＫは、ＨＳ−ＤＰＣＣＨサブフレームの第１のスロットにおいて搬送されてもよい。ＣＱＩ、および、ＷＴＲＵがＭＩＭＯモードで構成される場合、ＰＣＩは、ＨＳ−ＤＰＣＣＨサブフレームの第２のスロットおよび第３のスロット内で、合同で搬送されてもよい。
【００４８】
一実施形態では、ＨＳ−ＤＰＣＣＨスロットフォーマットは、３つ以上のサービングセルに対処することができる。例えば、単一のＨＳ−ＤＰＣＣＨチャネライゼーションコードを使用して、３つ、４つまたはそれ以上のサービングＨＳ−ＤＳＣＨセルからのダウンリンクＨＳ−ＤＳＣＨ送信に関連するフィードバックシグナリングを搬送することができる。
【００４９】
表１は、ＨＳ−ＤＰＣＣＨのためのスロットフォーマットの例を示す。図示のように、スロットフォーマット１は、１スロット当たり２０ビットを搬送することができる。拡散係数は、１２８であってもよく、１アップリンクＨＳ−ＤＰＣＣＨスロット当たり２０ビットがありうる。スロットフォーマット１は、サブフレームが６０ビットを搬送できること、チャネルビットレートが毎秒３０キロビット（ｋｂｐｓ）でありうること、タイムスロットが２０ビットを搬送できること、および／または、１サブフレーム当たり３つのスロットがありうることを示すことができる。
【００５０】
【表１】
0005526242.tif 000002
【００５１】
図１２は、フィードバック情報送信の一例を示す。図示のように、符号１２１０で、ＨＳ−ＤＰＣＣＨスロットフォーマットを決定することができる。例えば、この決定は、図１Ｂに関して上述されたプロセッサ１１８など、ＷＴＲＵのプロセッサを介して行われてもよい。例えば、ＨＳ−ＤＰＣＣＨスロットフォーマットは、構成されたセカンダリセルの数、および／またはＭＩＭＯにより構成可能なセルの数に基づいて決定されてもよい。
【００５２】
一実施形態では、２つ以上のセカンダリセルが構成される場合、表１に示されたＨＳ−ＤＰＣＣＨスロットフォーマット１を使用することができる。例えば、構成されたセカンダリセルの数が２に等しいか、または、パラメータSecondary_Cell_Enabledが２であり、かつ、ＭＩＭＯが少なくとも１つのセル内で構成される場合、表１に示されたＨＳ−ＤＰＣＣＨスロットフォーマット１を使用することができる。例えば、構成されたセカンダリセルの数が３に等しい場合、表１に示されたＨＳ−ＤＰＣＣＨスロットフォーマット１を使用することができる。例えば、ＷＴＲＵが２つ以上のセカンダリサービングセルにより構成され、かつ、１つのアクティブなセカンダリセルがあるか、または、パラメータSecondary_Cell_Active＝１である場合、表１に示されたＨＳ−ＤＰＣＣＨスロットフォーマット１を使用することができる。例えば、アクティブなセカンダリアクティブセルの数が１より大きいか、または、パラメータNumber_of_Secondary_Active_Cells＞１である場合、表１に示されたＨＳ−ＤＰＣＣＨスロットフォーマット１を使用することができる。
【００５３】
一実施形態では、２つに満たないセカンダリセルが構成される／使用可能にされる場合、表１に示されたＨＳ−ＤＰＣＣＨスロットフォーマット０を使用することができる。例えば、３つ以上のセカンダリサービングセルが構成され、かつ、２つに満たないセカンダリサービングセルがアクティブである場合、表１に示されたＨＳ−ＤＰＣＣＨスロットフォーマット０を使用することができる。
【００５４】
符号１２２０で、決定されたＨＳ−ＤＰＣＣＨスロットフォーマットに従ってフィードバック情報を送信することができる。例えば、フィードバック情報は、図１Ｂに関して上述されたトランシーバ１２０などのＷＴＲＵのトランシーバを介して送信されてもよい。
【００５５】
一実施形態では、ＨＳ−ＤＰＣＣＨフレーム構造のための拡散係数を低減することができる。例えば、拡散係数は、２５６から１２８に低減されてもよい。表１に示すように、ＨＳ−ＤＰＣＣＨスロットフォーマット＃１の拡散係数は１２８である。これにより、１サブフレーム当たりの送信されるビットの数を増し、３つ以上のサービングセルのためのフィードバック情報がサブフレーム内で送信可能となるようにすることができる。例えば、拡散係数を２５６から１２８に低減することができる時、ＨＳ−ＤＰＣＣＨのための使用可能なビットの数を、１サブフレームにつき倍にすることができる。同じＢＰＳＫエンコードを使用することができる。１つのスロットをＨＡＲＱ−ＡＣＫ専用にすることができ、２つのスロットをＣＱＩ／ＰＣＩに割り振ることができる。例えば、１サブフレーム当たり、ＨＡＲＱ−ＡＣＫフィールドは、２０ビットを含んでもよく、ＣＱＩ／ＰＣＩフィールドは、４０ビットを含んでもよい。
【００５６】
一実施形態では、倍のビット数を有するフィードバックフィールドを合同でエンコードすることができる。単一の合成フィードバックコードブックを、表２に記載されたサイズで送信することができる。表２は、ＨＳ−ＤＰＣＣＨフィードバック送信のためのダウンリンク構成を示す。表２は、送信されるトランスポートブロックの総数の順で提示される。表２に示すように、設計の複雑さは、表のサイズがトランスポートブロックの数に応じて指数関数的に増大するにつれて、より相当なものとなる。
【００５７】
【表２】
0005526242.tif 000003
【００５８】
一実施形態では、フィードバックフィールドは、２つのフィードバックチャネルなど、複数のフィードバックチャネルに分割されうる。各フィードバックチャネルは、１つまたは複数のダウンリンクキャリア／サービングセルのための、ＡＣＫ／ＮＡＣＫまたはＣＱＩ／ＰＣＩフィードバックのために生成された情報フィールドを含んでもよい。フィードバックチャネルはまた、「フィードバックグループ」、「フィードバック対」、「フィードバックメッセージ」または「フィードバックコードワード」を指すこともあり、これらの用語は本願において入れ替え可能に使用されうる。フィードバックグループは、１つまたは複数のサービングセルを含んでもよい。フィードバックチャネルは、フィードバックグループのためのフィードバック情報を含んでもよく、または、搬送してもよい。一実施形態では、広範囲な最適コードブック探索を必要とすることなく、ＡＣＫ／ＮＡＣＫまたはＣＱＩ／ＰＣＩフィードバックのための従来の符号化方式を再使用することができる。
【００５９】
一実施形態では、異なるフィードバックチャネルのためのフィードバック情報を合同で符号化（jointly coded）して、符号化利得を実現できるようにすることができる。一実施形態では、異なるフィードバックチャネルのためのフィードバック情報を、独立して符号化することができる。フィードバックチャネルの分離は、物理層マッピングで実行可能である。フィードバックチャネルからの符号化されたビットは、時分割多重化手法を使用して、ＨＳ−ＤＰＣＣＨシンボルへマップされうる。
【００６０】
フィードバックチャネル／グループは、複数のＨＡＲＱ−ＡＣＫフィールドおよび複数のＣＱＩ／ＰＣＩフィードバックフィールドを有するＨＳ−ＤＰＣＣＨサブフレームフォーマットを介して、分離されてもよい。例えば、ＨＳ−ＤＰＣＣＨサブフレームは、２つのＨＡＲＱ−ＡＣＫフィールドおよび２つのＣＱＩ／ＰＣＩフィードバックフィールドを含んでもよい。各フィードバックチャネルのためのチャネル符号化は、各フィールドに独立して定義かつ適用されてもよい。符号化されたビットは、ＨＳ−ＤＰＣＣＨフレームフォーマットによって定義された順序でＨＳ−ＤＰＣＣＨシンボルへマップされてもよい。
【００６１】
一実施形態では、フィードバックチャネルは、最大２つのダウンリンクＨＳ−ＤＳＣＨサービングセル／キャリアのための、ＡＣＫ／ＮＡＣＫおよびＣＱＩ／ＰＣＩフィードバックフィールドを搬送することができる。各フィードバックフィールドは、合同で符号化されてもよい。例えば、フィードバックチャネルは、通常および／または合成ＨＡＲＱ−ＡＣＫコードワード、並びに、通常のＣＱＩおよび／または合成ＰＣＩ／ＣＱＩコードワードを搬送することができる。合成ＨＡＲＱ−ＡＣＫコードワードは、最大２つのサービングセルのためのフィードバック情報を搬送することができるＨＡＲＱ−ＡＣＫコードワードを含んでもよい。合成ＰＣＩ／ＣＱＩコードワードは、ＭＩＭＯサポートを有する最大１つのセル、および、ＴＤＭ方式で使用される時にＭＩＭＯサポートを有する２つのセルのためのフィードバックを搬送することができる。２つのフィードバックチャネルは、ＭＩＭＯが構成されたサービングセルを含む、最大４つのダウンリンクＨＳ−ＤＳＣＨサービングセルをサポートすることができる。以下で、２つのフィードバックチャネル／フィードバックコードワード／フィードバックグループを、ＨＳ−ＤＰＣＣＨ１およびＨＳ−ＤＰＣＣＨ２と示すことがある。
【００６２】
図１３は、フィードバック情報送信の一例を示す。図示のように、符号１３１０で、サービングセルをフィードバックグループにグループ化することができる。例えば、サービングセルは、図１Ｂに関して上述されたプロセッサ１１８などのＷＴＲＵのプロセッサを介して、かつ／または、図１Ｂに関して上述されたトランシーバ１２０などのＷＴＲＵのトランシーバを介してグループ化されてもよい。
【００６３】
一実施形態では、複数のＨＳ−ＤＳＣＨサービングセルからのフィードバック情報は、フィードバック対またはフィードバックグループに編成されてもよい。例えば、サービングセルは、２つのフィードバックグループにグループ化されてもよい。フィードバックグループは、１つまたは複数のＨＳ−ＤＳＣＨサービングセルを含んでもよい。例えば、フィードバックグループは、最大２つのＨＳ−ＤＳＣＨサービングセルを含んでもよい。フィードバックグループは、まとめて処理されてもよい。例えば、ＨＡＲＱ−ＡＣＫフィードバックは、１０ビットのフィールドにエンコードされてもよく、ＣＱＩ／ＰＣＩフィードバックは、２０ビットのバイナリフィールドにエンコードされてもよい。
【００６４】
例えば、サービングＨＳ−ＤＳＣＨセルおよび第１のセカンダリサービングＨＳ−ＤＳＣＨセルがグループ化されて、第１のフィードバックグループが形成されてもよく、第３のセカンダリサービングＨＳ−ＤＳＣＨセルおよび第４のセカンダリサービングＨＳ−ＤＳＣＨセルをグループ化して、第２のフィードバックグループを形成することができる。例えば、ＷＴＲＵは、３つのキャリアにより構成されてもよく、例えば、２つのセカンダリサービングＨＳ−ＤＳＣＨセルが構成される。これらのフィードバックグループのうち一方は、２つのＨＳ−ＤＳＣＨセルを含んでもよく、他方のフィードバックグループは、残りのセルを含んでもよい。残りのセルは、サービングＨＳ−ＤＳＣＨセル、または、これらのセカンダリサービングＨＳ−ＤＳＣＨセルのうち１つを含んでもよい。
【００６５】
より小さい１２８の拡散係数を有するＨＳ−ＤＰＣＣＨフレームフォーマットが分割されて、２つのフィードバックコードワードが送信されてもよい。フィードバックコードワードは、フィードバックグループまたはフィードバックチャネルのためのフィードバック情報を搬送することができる。フィードバックグループは、複数のＨＳ−ＤＳＣＨセルまたはキャリアのフィードバック情報をグループ化することによって、形成されてもよい。フィードバックコードワードは、３０ビットを含んでもよい。
【００６６】
一実施形態では、ＨＳ−ＤＰＣＣＨフレームフォーマットは、フィールド毎の分割を介して分割されてもよい。ＨＡＲＱ−ＡＣＫフィールドおよびＣＱＩ／ＰＣＩフィールドなどの個々のフィードバックフィールドは、複数の部分に分割されてもよい。例えば、個々のフィードバックフィールドは、半分ずつに分割されてもよい。フィードバックコードワードは、各フィードバックグループに対応するＨＡＲＱ−ＡＣＫフィールドの部分、および、各フィードバックグループに対応するＣＱＩ／ＰＣＩフィールドの部分を集めることによって、形成されてもよい。ＨＡＲＱ−ＡＣＫフィールドは、サブフレーム内のフィードバックコードワードの第１の部分にマップされてもよく、ＰＣＩ／ＣＱＩフィールドは、フィードバックコードワードの第２の部分にマップされてもよい。
【００６７】
図４は、ＨＳ−ＤＰＣＣＨフレームフォーマットの一例を示す。図示のように、サブフレーム４１０は、３つのタイムスロット４２０、４３０および４４０を含んでもよい。例えば、タイムスロット４２０などの第１のタイムスロットは、ＨＡＲＱ−ＡＣＫ情報を送信するために割り振られてもよい。第２のタイムスロットおよび第３のタイムスロットは、ＣＱＩ／ＰＣＩ情報を送信するために割り振られてもよい。図示のように、タイムスロット４２０などのタイムスロットは、２つの部分４５０および４６０に区画されてもよい。コードワード１およびコードワード２は、サブフレーム４１０内で送信されてもよい。例えば、コードワード１は、第１のフィードバックグループのためのフィードバック情報を含んでもよく、コードワード２は、第２のフィードバックグループのためのフィードバック情報を含んでもよい。例えば、サービングＨＳ−ＤＳＣＨセルおよび第１のセカンダリサービングＨＳ−ＤＳＣＨセルのためのＡＣＫ／ＮＡＣＫフィードバックは、コードワード１にグループ化され、１０ビットのＨＡＲＱ−ＡＣＫフィールドにエンコードされてもよい。図示のように、部分４５０が使用されて、コードワード１のＨＡＲＱ−ＡＣＫ情報が送信されてもよい。第２のセカンダリサービングＨＳ−ＤＳＣＨセルおよび第３のセカンダリサービングＨＳ−ＤＳＣＨセルのためのＡＣＫ／ＮＡＣＫフィードバックは、コードワード２にグループ化され、もう１つの１０ビットのＨＡＲＱ−ＡＣＫフィールドにエンコードされてもよい。図示のように、部分４６０が使用されて、コードワード２のＨＡＲＱ−ＡＣＫ情報が送信されてもよい。例えば、サービングＨＳ−ＤＳＣＨセルおよび第１のセカンダリサービングＨＳ−ＤＳＣＨセルのためのＣＱＩ／ＰＣＩフィードバックは、コードワード１にグループ化され、２０ビットのＣＱＩ／ＰＣＩフィールドにエンコードされてもよい。図示のように、タイムスロット４３０は、コードワード１のＣＱＩ／ＰＣＩフィードバック情報を送信するためにマップされてもよい。第２のセカンダリサービングＨＳ−ＤＳＣＨセルおよび第３のセカンダリサービングＨＳ−ＤＳＣＨセルのためのＣＱＩ／ＰＣＩフィードバックは、コードワード２にグループ化され、もう１つの２０ビットのＣＱＩ／ＰＣＩフィールドにエンコードされてもよい。図示のように、タイムスロット４４０は、コードワード２のＣＱＩ／ＰＣＩフィードバック情報を送信するためにマップされてもよい。
【００６８】
一実施形態では、ＨＳ−ＤＰＣＣＨフレームフォーマットは、タイムスロット毎の分割を介して分割されてもよい。ＨＳ−ＤＰＣＣＨサブフレーム内のタイムスロットは、複数の部分に分割されてもよい。例えば、ＨＳ−ＤＰＣＣＨサブフレーム内の各タイムスロットは、半分ずつに分割されてもよい。フィードバックコードワードは、各タイムスロットの部分を集めることによって形成されてもよい。例えば、第１のフィードバックコードワードは、各タイムスロットの前半を集めることによって形成されてもよく、第２のフィードバックコードワードは、各タイムスロットの残りの半分を集めることによって形成されてもよい。フィードバックコードワードは、それぞれ１０ビットの３つのパートに渡って分散された３０ビットの集合サイズを有してもよい。例えば、各ＨＳ−ＤＳＣＨセル、または、複数のＨＳ−ＤＳＣＨセルのグループに関連付けられたＨＡＲＱ−ＡＣＫフィールドは、コードワードの第１の部分にマップされてもよく、ＰＣＩ／ＣＱＩフィールドは次いで、コードワードの第２の部分および第３の部分にマップされてもよい。
【００６９】
図５は、ＨＳ−ＤＰＣＣＨフレームフォーマットの一例を示す。図示のように、コードワード１およびコードワード２は、３つのタイムスロット５２０、５３０および５４０を含みうるサブフレーム５１０内で送信されてもよい。例えば、各タイムスロットは、２つの部分に区画されてもよい。図示のように、タイムスロット５２０は２つの部分５５０および５６０に、タイムスロット５３０は部分５７０および５８０に、タイムスロット５４０は部分５９０および５９５に区画されてもよい。例えば、コードワード１は、第１のフィードバックグループのためのフィードバック情報を含んでもよく、コードワード２は、第２のフィードバックグループのためのフィードバック情報を含んでもよい。図示のように、コードワード１は、３つのパートであるパート１、パート２およびパート３に区画されてもよく、コードワード２は、３つのパートであるパート１、パート２およびパート３に区画されてもよい。各コードワードパートは、タイムスロット部分内で送信されてもよい。
【００７０】
一例では、ＨＡＲＱ−ＡＣＫフィールドは、フィードバックコードワード１のパート１にマップされてもよく、タイムスロット部分５５０内で送信されてもよい。ＰＣＩ／ＣＱＩフィールドは、フィードバックコードワード１のパート２および３にマップされてもよく、タイムスロット部分５７０および５９０内で送信されてもよい。
【００７１】
一例では、ＨＡＲＱ−ＡＣＫフィールドは、フィードバックコードワード１のパート２にマップされてもよく、タイムスロット部分５７０内で送信されてもよい。ＰＣＩ／ＣＱＩフィールドは、フィードバックコードワード１のパート１および３にマップされてもよく、タイムスロット部分５５０および５９０内で送信されてもよい。
【００７２】
図１３へ戻ると、符号１３２０で、チャネル符号化を、フィードバックグループのためのフィードバック情報に適用することができる。例えば、チャネル符号化は、図１Ｂに関して上述されたプロセッサ１１８などのＷＴＲＵのプロセッサを介して、かつ／または、図１Ｂに関して上述されたトランシーバ１２０など、ＷＴＲＵのトランシーバを介して適用されてもよい。
【００７３】
符号１３３０で、フィードバックグループのためのフィードバック情報を連結して、合成フィードバック情報を形成することができる。一実施形態では、複数のフィードバックグループの各々のフィールドのためのチャネル符号化は独立して行われてもよい。例えば、フィードバックグループのためのフィードバック情報は、図１Ｂに関して上述されたプロセッサ１１８などのＷＴＲＵのプロセッサを介して、かつ／または、図１Ｂに関して上述されたトランシーバ１２０などのＷＴＲＵのトランシーバを介して連結されてもよい。
【００７４】
表１に記載されたＨＳ−ＤＰＣＣＨスロットフォーマット１が使用される時、複数のフィードバックグループに対応するフィードバック情報が連結されてもよい。フィードバックコードワードは、物理チャネルにマップされる前に連結されてもよい。一実施形態では、物理チャネルマッピングブロックまたはエンティティが、適切なチャネルマッピングが行われることを保証する場合、連結が行われないことがある。
【００７５】
図６は、ＨＡＲＱ−ＡＣＫメッセージのための符号化フローの一例を示す。例えば、符号化ユニットへのデータ入力ビットは、ＨＳ−ＤＳＣＨセルのためのＨＡＲＱ−ＡＣＫメッセージを含んでもよい。ＨＳ−ＤＳＣＨセルのためのフィードバック情報データは、２つのセットなど、複数にグループ化されてもよく、別々のフィードバックコードワードを介して送信されてもよい。例えば、１つのセットは、最大２つのＨＳ−ＤＳＣＨセルのためのフィードバック情報を搬送してもよく、フィードバックコードワード内に含まれてもよい。
【００７６】
図６に示すように、第１のフィードバックグループに関連付けられたＨＡＲＱ−ＡＣＫ６１０は、第１のフィードバックグループのためのフィードバック情報を含んでもよく、第２のフィードバックグループに関連付けられたＨＡＲＱ−ＡＣＫ６２０は、第２のフィードバックグループのためのフィードバック情報を含む。第１のフィードバックグループに関連付けられたＨＡＲＱ−ＡＣＫ６１０、および、第２のフィードバックグループに関連付けられたＨＡＲＱ−ＡＣＫ６２０のためのチャネル符号化は、チャネル符号化ユニット／機能６５０およびチャネル符号化ユニット／機能６６０を介して、独立して、または別々に行われてもよい。チャネル符号化は、並列または順次に行われてもよく、時間多重化されてもよい。
【００７７】
図６に示すように、２つのチャネル符号化ユニット６５０および６６０の出力は、連結されてもよい。第１のフィードバックグループに関連付けられたＨＡＲＱ−ＡＣＫメッセージ６３０、および、第２のフィードバックグループに関連付けられたＨＡＲＱ−ＡＣＫメッセージ６４０が、連結ユニット６７０を介して連結されて、出力ビット６７５が形成されてもよい。例えば、第１のフィードバックグループに関連付けられたＨＡＲＱ−ＡＣＫメッセージ６３０を、ｗ10、ｗ11、．．．、ｗ19と示すことができ、第２のフィードバックグループに関連付けられたＨＡＲＱ−ＡＣＫメッセージ６４０を、ｗ20、ｗ21、．．．、ｗ29と示すことができる。ビットｗ10、ｗ11、．．．、ｗ19およびｗ20、ｗ21、．．．、ｗ29が連結されて、ｗ0、ｗ1、．．．、ｗ19が形成されてもよい。図示のように、連結ユニットの出力ビット６７５は、物理チャネルマッピング機能６８０に供給されて、物理チャネル６９０にマップされてもよい。
【００７８】
図７は、ＣＱＩまたはＰＣＩ／ＣＱＩレポートのための符号化フローの一例を示す。例えば、符号化ユニットへのデータ入力ビットは、１つまたは複数のＨＳ−ＤＳＣＨセルのためのＣＱＩ、タイプＡ  ＣＱＩ／ＰＣＩ、および／または、タイプＢ  ＣＱＩ／ＰＣＩを含んでもよい。例えば、フィードバックグループが、ＭＩＭＯモードで構成されたＨＳ−ＤＳＣＨセルを含む場合、フィードバックグループのための測定指示は、プリコーディング制御指示（ＰＣＩ）およびチャネル品質指示（ＣＱＩ）を含んでもよい。ＨＳ−ＤＳＣＨセルのためのフィードバック情報データは、２つのセットなど、複数にグループ化されてもよく、別々のフィードバックコードワードを介して送信されてもよい。例えば、１つのセットは、最大２つのＨＳ−ＤＳＣＨセルのためのＣＱＩ、タイプＡ  ＣＱＩ／ＰＣＩ、および／または、タイプＢ  ＣＱＩ／ＰＣＩを搬送してもよく、フィードバックコードワード内に含まれてもよい。
【００７９】
図７に示すように、第１のフィードバックグループに関連付けられたＣＱＩ、ＣＱＩ／ＰＣＩタイプＡ、および／またはＣＱＩ／ＰＣＩタイプＢ７１０は、第１のフィードバックグループのためのフィードバック情報を含んでもよく、第２のフィードバックコードワードに関連付けられたＣＱＩ、ＣＱＩ／ＰＣＩタイプＡ、および／または、ＣＱＩ／ＰＣＩタイプＢ７２０は、第２のフィードバックグループのためのフィードバック情報を含んでもよい。第１のフィードバックグループに関連付けられたＣＱＩ、ＣＱＩ／ＰＣＩタイプＡ、および／または、ＣＱＩ／ＰＣＩタイプＢレポート７１０、および、第２のフィードバックコードワードに関連付けられたＣＱＩ、ＣＱＩ／ＰＣＩタイプＡ、および／または、ＣＱＩ／ＰＣＩタイプＢレポート７２０のためのチャネル符号化は、チャネル符号化ユニット／機能７３０およびチャネル符号化ユニット／機能７４０を介して、独立して、または別々に行われてもよい。チャネル符号化は、並列または順次に行われてもよく、時間多重化されてもよい。
【００８０】
図７に示すように、２つのチャネル符号化ユニット／機能７３０および７４０の出力は、連結されてもよい。第１のフィードバックグループに関連付けられたＣＱＩ、ＣＱＩ／ＰＣＩタイプＡ、および／または、ＣＱＩ／ＰＣＩタイプＢレポート７５０、および、第２のフィードバックグループに関連付けられたＣＱＩ、ＣＱＩ／ＰＣＩタイプＡ、および／または、ＣＱＩ／ＰＣＩタイプＢレポート７６０が、連結ユニット／機能７７０を介して連結されて、出力ビット７８０が形成されてもよい。例えば、単一のＨＳ−ＤＳＣＨセルが、所与のフィードバックグループに対応可能である場合、ＣＱＩ情報ビットの総数は５であってもよく、そうでない場合は、ＣＱＩ情報ビットの総数は１０ビットであってもよい。例えば、第１のフィードバックグループに関連付けられたＣＱＩ、ＣＱＩ／ＰＣＩタイプＡ、および／または、ＣＱＩ／ＰＣＩタイプＢレポート７５０を、ｂ10、ｂ11、．．．、ｂ119と示すことができ、第２のフィードバックコードワードに関連付けられたＣＱＩ、ＣＱＩ／ＰＣＩタイプＡ、および／または、ＣＱＩ／ＰＣＩタイプＢレポート７６０を、ｂ20、ｂ21、．．．、ｂ219と示すことができる。ビットｂ10、ｂ11、．．．、ｂ119およびｂ20、ｂ21、．．．、ｂ219が連結されて、ｂ0、ｂ1、．．．、ｂ39が形成されてもよい。図示のように、連結ユニットの出力ビット７８０は、物理チャネルマッピング機能７９０に供給されて、物理チャネル７９５にマップされてもよい。
【００８１】
例えば、フィードバックコードワードが、ＭＩＭＯモードで構成されることがないデュアルＨＳ−ＤＳＣＨセルのためのフィードバック情報を搬送する時、入力ビット７１０は、第１のフィードバックグループのためのＣＱＩ、または、第１のフィードバックコードワードに関連付けられたＣＱＩを含んでもよく、入力ビット７２０は、第２のフィードバックグループのためのＣＱＩ、または、第２のフィードバックコードワードに関連付けられたＣＱＩ７２０を含んでもよい。フィードバックコードワードが、デュアルＨＳ−ＤＳＣＨセルのためのフィードバック情報を搬送し、両方のセルがＭＩＭＯモードで構成される時、入力ビット７１０は、第１のフィードバックグループのためのＣＱＩ／ＰＣＩタイプＡもしくはＣＱＩ／ＰＣＩタイプＢレポート、または、第１のフィードバックコードワードに関連付けられたＣＱＩ／ＰＣＩタイプＡもしくはＣＱＩ／ＰＣＩタイプＢレポートを含んでもよい。入力ビット７２０は、第２のフィードバックグループのためのＣＱＩ／ＰＣＩタイプＡもしくはＣＱＩ／ＰＣＩタイプＢレポート、または、第２のフィードバックコードワードに関連付けられたＣＱＩ／ＰＣＩタイプＡもしくはＣＱＩ／ＰＣＩタイプＢレポートを含んでもよい。フィードバックチャネルが、１つがＭＩＭＯモードで構成されるデュアルＨＳ−ＤＳＣＨセルのためのフィードバック情報を搬送する時、入力ビット７１０は、ＭＩＭＯにより構成されたフィードバックグループのためのＣＱＩ／ＰＣＩタイプＡまたはＣＱＩ／ＰＣＩタイプＢレポートを含んでもよく、入力ビット７２０は、ＭＩＭＯにより構成されないフィードバックグループのためのＣＱＩを含んでもよい。
【００８２】
ＨＳ−ＤＰＣＣＨが２つのフィードバックコードワードにより動作する時、ＨＳ−ＤＰＣＣＨ連結機能は、２つのフィードバックコードワードからのチャネル符号化機能の出力、ＨＡＲＱ−ＡＣＫのためのｗ1k、ｗ2kおよびＣＱＩ／ＰＣＩのためのｂ1k、ｂ2kを連結してもよい。例えば、チャネル符号化機能の出力は以下のように連結されてもよい。  
ｗ0、ｗ1、．．．、ｗ9、ｗ10、ｗ11、．．．、ｗ19＝ｗ10、ｗ11、．．．、ｗ19、ｗ20、ｗ21、．．．、ｗ29
ｂ1、．．．、ｂ9、ｂ10、．．．、ｂ19、ｂ20、．．．、ｂ29、ｂ30、．．．、ｂ39＝ｂ10、ｂ11、．．．、ｂ119、ｂ20、ｂ21、．．．、ｂ219。
【００８３】
連結機能の後、ＨＳ−ＤＰＣＣＨ物理チャネルマッピング機能は、入力ビットｗkを物理チャネルへ直接マップし、それらのビットをｋについて昇順に、または降順に無線で送信できるようにすることができる。ＨＳ−ＤＰＣＣＨ物理チャネルマッピング機能は、入力ビットｂkを物理チャネルへ直接マップし、ビットをｋについて昇順に、または降順に無線で送信できるようにすることができる。
【００８４】
一実施形態では、複数のキャリア／セルのためのフィードバック情報は、複数のフィードバックグループにグループ化されてもよい。例えば、フィードバック情報は、２つのフィードバックグループにグループ化されてもよい。各フィードバックグループは、対応するフィードバックコードワードに割り当てられてもよい。フィードバックコードワードがわずか２つのキャリア／セルのためのフィードバック情報を含む場合、ＨＡＲＱ−ＡＣＫまたはＣＱＩ／ＰＣＩのための標準の符号化方式が再使用可能である。表３は、再使用可能である符号化方式の例を列挙する。
【００８５】
【表３】
0005526242.tif 000004
【００８６】
表３に示すように、リリース８（デュアルキャリア）およびリリース９（ＭＩＭＯを有するデュアルキャリア）符号化方式は、同時に２つのキャリアのためのフィードバックを提供することができる。デュアルキャリア、または、ＭＩＭＯを有するデュアルキャリア符号化方式のためのフィードバックリソースは、本明細書で、フィードバックスロットと呼ばれることがある。
【００８７】
フィードバック情報の量は、キャリア構成の各々におけるトランスポートブロックの数によって決まることがあるので、表３の符号化方式は、異なる符号化レートを有することがあり、したがって、異なる符号化性能の結果となることがある。
【００８８】
一実施形態では、キャリアのためのフィードバック情報は、第１のフィードバックコードワードにマップされてもよい。フィードバック情報は最初に、第１のコードワードにマップされてもよい。第１のフィードバックコードワードが完全にデータで占められている場合、残りのキャリアのためのフィードバック情報は、第２のフィードバックコードワードにマップされてもよい。第２のフィードバックコードワードが、より多くのフィードバック情報を搬送するための容量を有する場合、第１のフィードバックコードにマップされたワードフィードバック情報、または、その一部は、第２のフィードバックコードワード内で繰り返されてもよい。
【００８９】
例えば、ＷＴＲＵが１つまたは２つのアクティブなサービングセルにより構成される時、アクティブなサービングセルのためのフィードバック情報が繰り返されて、サブフレームが満たされてもよい。例えば、アクティブなキャリアのためのフィードバック情報は、第１のフィードバックコードワードに適合してもよい。フィードバック情報を、第２のフィードバックコードワードに複製して、アクティブなキャリアのためのフィードバック情報が繰り返し可能となるようにすることができる。これにより、送信の信頼性を向上させることができる。
【００９０】
例えば、２つのアクティブなキャリア（例えば、Ｃ１およびＣ３、または、Ｃ１およびＣ２、または、任意の他の組み合わせ）がある時、２つのアクティブ化されたキャリアのためのフィードバック情報は、第１のフィードバックコードワードに適合してもよい。２つのアクティブ化されたキャリアのためのフィードバック情報が繰り返されて、第２のフィードバックコードワードが満たされてもよい。
【００９１】
図８は、ＨＳ−ＤＰＣＣＨフレームフォーマットの一例を示す。図示のように、サブフレーム８１０は、タイムスロット１  ８２０、タイムスロット２  ８３０およびタイムスロット３  ８４０を含んでもよい。タイムスロット１  ８２０は、フィードバック情報のＨＡＲＱ−ＡＣＫフィールドにマップされてもよく、タイムスロット２  ８３０およびタイムスロット３  ８４０は、フィードバック情報のＣＱＩフィールドにマップされてもよい。例えば、サービングＨＳ−ＤＰＣＣＨセルおよびセカンダリサービングＨＳ−ＤＰＣＣＨセルなど、２つのキャリアまたは２つのサービングセルがアクティブであってもよい。これらの２つのセルをＣ１およびＣ２と示すことがある。一実施形態では、Ｃ１およびＣ２など、２つのアクティブなキャリア／セルは、フィードバックグループ内でグループ化されてもよく、２つのキャリア／セルのためのフィードバック情報は、フィードバックコードワード内に含まれてもよい。Ｃ１およびＣ２のためのＨＡＲＱ−ＡＣＫ情報が、合同でエンコードされ、繰り返されて、ＨＳ−ＤＰＣＣＨサブフレームのスロット１  ８２０など、ＨＡＲＱ−ＡＣＫスロット全体が満たされてもよい。図８に示すように、タイムスロット１  ８２０の部分８２２にマップされた、Ｃ１およびＣ２のためのＨＡＲＱ−ＡＣＫ情報が、タイムスロット１  ８２０の部分８２６内で繰り返されてもよい。Ｃ１およびＣ２のためのＣＱＩ情報が繰り返されて、ＨＳ−ＤＰＣＣＨサブフレームのタイムスロット２  ８３０およびタイムスロット３  ８４０を含みうる２つのスロットＣＱＩフィールドが満たされてもよい。図８に示すように、タイムスロット２  ８３０にマップされたＣ１およびＣ２のためのＣＱＩ情報が、ＨＳ−ＤＰＣＣＨサブフレームのタイムスロット３  ８４０内で繰り返されてもよい。
【００９２】
例えば、ＷＴＲＵは、プライマリサービングセルおよび２つの構成されたセカンダリサービングセルなど、３つのサービングセルにより構成されてもよい。２つの使用可能にされたセカンダリサービングセルは、アクティブなセカンダリサービングセル、および、非アクティブ化されたセカンダリサービングセルを含んでもよい。ＷＴＲＵは、プライマリサービングセルおよび３つの構成されたセカンダリサービングセルなど、４つのサービングセルにより構成されてもよい。３つの構成されたセカンダリサービングセルは、アクティブなセカンダリサービングセル、および、２つの非アクティブ化されたセカンダリサービングセルを含んでもよい。プライマリサービングセルのためのＨＡＲＱ−ＡＣＫ情報、および、アクティブなセカンダリサービングセルのためのＨＡＲＱ−ＡＣＫ情報は、合同でエンコードされてもよい。例えば、合同で符号化されたＨＡＲＱフィードバック情報が形成されてもよい。合同で符号化されたＨＡＲＱフィードバック情報は、ＨＡＲＱフィードバック送信のために割り振られたタイムスロットの一部分、例えば、タイムスロット１  ８２０の部分８２２内で送信されてもよい。合同で符号化されたＨＡＲＱフィードバック情報は、ＨＡＲＱフィードバック送信のために割り振られたタイムスロットの第２の部分、例えば、タイムスロット１  ８２０の部分８２６内で繰り返されてもよい。例えば、合同で符号化されたＨＡＲＱフィードバック情報が繰り返されて、サブフレーム８１０など、サブフレームのＨＡＲＱフィールド全体が満たされてもよい。
【００９３】
例えば、ＷＴＲＵは、プライマリサービングセルおよび２つまたは３つの構成されたセカンダリサービングセルなど、３つまたは４つのサービングセルにより構成されてもよい。構成されたセカンダリサービングセルは、少なくとも１つの非アクティブ化されたセカンダリサービングセルを含んでもよい。各アクティブなセルのためのＣＱＩ情報が繰り返されて、ＣＱＩ送信のために割り振られたタイムスロットが満たされてもよい。例えば、各アクティブなセルのためのＣＱＩ情報が繰り返されて、ＨＳ−ＤＰＣＣＨサブフレーム内の２つのタイムスロットＰＣＩ／ＣＱＩフィールドを満たすことができるようにしてもよい。
【００９４】
一実施形態では、キャリアアクティブ化状況が変化して、アクティブなキャリアのためのフィードバック情報が繰り返されて、ＨＳ−ＤＳＣＨサブフレームを満たすことができるようになる時、キャリアまたはセルからフィードバックグループへのマッピングが調整されてもよい。例えば、Ｃ１およびＣ２が最初にアクティブ化されてもよく、２つのキャリアがフィードバックグループ内でグループ化されてもよい。続いて、Ｃ２が非アクティブ化されてもよく、Ｃ３がアクティブ化されてもよい。Ｃ２がフィードバックグループから取られてもよく、Ｃ３がＣ１と共にグループ化されてもよい。すなわち、Ｃ１およびＣ３のためのフィードバック情報は、繰り返されてＨＳ−ＤＳＣＨサブフレームが満たされうる、同じフィードバックコードワード上になるように再マップされてもよい。
【００９５】
例えば、ＷＴＲＵは、２つまたは３つのセカンダリサービングＨＳ−ＤＳＣＨセルにより構成されてもよい。１つのアクティブなセカンダリセルがある時、サービングＨＳ−ＤＳＣＨセルおよびアクティブなセカンダリサービングＨＳ−ＤＳＣＨセルのためのフィードバック情報は、合同でエンコードされ、繰り返されて、対応するフィードバック情報をＨＳ−ＤＳＣＨサブフレーム内で搬送することができるスロット全体が満たされてもよい。
【００９６】
一実施形態では、ＷＴＲＵは、２つのセカンダリサービングＨＳ−ＤＳＣＨセル、または、３つのサービングＨＳ−ＤＳＣＨセルにより構成されてもよい。非アクティブ化されたセルのためのＣＱＩまたはＰＣＩ／ＣＱＩフィールドは、ＤＴＸされてもよい。例えば、セカンダリサービングセルが非アクティブ化される時、そのセルのためのＣＱＩレポートは送信されないことがある。
【００９７】
図９は、ＨＳ−ＤＰＣＣＨフレームフォーマットの一例を示す。図示のように、第１のサブフレーム９１０は、タイムスロット１  ９２０、タイムスロット２  ９３０およびタイムスロット３  ９４０を含んでもよい。また、第２のサブフレーム９１５は、タイムスロット１  ９５０、タイムスロット２  ９６０およびタイムスロット３  ９７０を含んでもよい。サブフレーム１  ９１０のタイムスロット１  ９２０、および、第２のサブフレーム９１５のタイムスロット１  ９５０は、フィードバック情報のＨＡＲＱ−ＡＣＫフィールドにマップされてもよい。サブフレーム１  ９１０のタイムスロット２  ９３０およびタイムスロット３  ９４０、並びに、サブフレーム２  ９１５のタイムスロット２  ９６０およびタイムスロット３  ９７０は、フィードバック情報のＣＱＩフィールドにマップされてもよい。
【００９８】
例えば、サービングＨＳ−ＤＰＣＣＨセル、および、２つのセカンダリサービングＨＳ−ＤＰＣＣＨセルなど、３つのキャリアまたは３つのサービングセルがアクティブであってもよい。図９に示すように、これらの３つのセルを、Ｃ１、Ｃ２およびＣ３と示すことがある。一実施形態では、Ｃ１およびＣ２などの２つのアクティブなキャリア／セルは、フィードバックグループ１などのフィードバックグループにグループ化されてもよく、Ｃ３は、フィードバックグループ２などの第２のフィードバックグループに含まれてもよい。Ｃ１およびＣ２のためのＨＡＲＱ−ＡＣＫ情報は、合同でエンコードされてもよく、サブフレームのＨＡＲＱ−ＡＣＫスロットの一部分にマップされてもよい。図９に示すように、Ｃ１およびＣ２のためのＨＡＲＱ−ＡＣＫ情報は、サブフレーム１  ９１０のタイムスロット１  ９２０の部分９２２、および、サブフレーム２  ９１５のタイムスロット１  ９５０の部分９５２にマップされてもよい。Ｃ３のためのＨＡＲＱ−ＡＣＫ情報は、サブフレーム１  ９１０のタイムスロット１  ９２０の部分９２６、および、サブフレーム２  ９１５のタイムスロット１  ９５０の部分９５６にマップされてもよい。
【００９９】
一実施形態では、Ｃ３など、別のセルと共にグループ化されないセルは、（２０，５）または（２０，１０／７）リードマラー符号により個々にエンコードされてもよく、フィードバックグループ２などのフィードバックグループに割り振られたタイムスロット内で送信されてもよい。例えば、Ｃ３のためのＣＱＩレポートは、タイムスロット３  ９４０内で送信されてもよい。例えば、ＷＴＲＵは、３つのセカンダリセルまたは４つのサービングセルにより構成されてもよく、１つのサービングセルが非アクティブ化される。そのセルのためのＣＱＩレポートは、送信されないことがあり、または、ＤＴＸされてもよい。図９に示すように、サブフレーム２  ９１５のスロット３  ９７０は、非アクティブ化されたサービングセルにマップされてもよく、いかなるフィードバック情報をも送信しないことがある。
【０１００】
一実施形態では、ＣＱＩフィードバックサイクルは、２つ以上のサブフレームを含んでもよい。例えば、ＷＴＲＵは、２つ、または、３つ以上のサブフレームに等しい（例えば、≧４ｍｓ）ＣＱＩフィードバックサイクルパラメータにより構成されてもよい。グループ化または対にされたＣＱＩレポートは、時分割多重化（ＴＤＭ）方式で送信されてもよい。例えば、各サービングＨＳ−ＤＳＣＨセルのためのＣＱＩフィードバック情報は、個々にエンコードされてもよく、異なるサブフレーム内で送信されてもよい。
【０１０１】
一実施形態では、サービングセルのためのＣＱＩ／ＰＣＩレポートは、個々にエンコードされてもよい。一実施形態では、ＷＴＲＵが、これらのサービングセルのいずれにおいてもＭＩＭＯモードで構成されない時、ＷＴＲＵは、２つのＣＱＩフィードバックレポートを合同でエンコードしてもよく、ＣＱＩレポートをサブフレーム内で送信してもよい。
【０１０２】
一実施形態では、ＣＱＩレポーティングフォーマットは、これらのセルのいかなるＭＩＭＯ構成状況によっても決まらないことがある。ＣＱＩ／ＰＣＩレポートは、関連付けられたセルのＭＩＭＯ構成状況に応じて、（２０，７／１０）または（２０，５）リードマラー符号によってエンコードされてもよい。エンコードされたＣＱＩ／ＰＣＩレポートは、フィードバックグループ内でグループ化または対にされてもよい。例えば、２つのフィードバックコードワードがグループ内にあってもよく、これらのフィードバックコードワードは、連続サブフレームなどの異なるサブフレーム内で関連付けられたグループのために割り振られたタイムスロット内で、ＴＤＭ方式で送信されてもよい。
【０１０３】
例えば、図９に示すように、ＣＱＩフィードバックサイクルは、サブフレーム１  ９１０およびサブフレーム２  ９１５などの２つのサブフレームを含んでもよい。サブフレーム１  ９１０のタイムスロット２  ９３０およびタイムスロット３  ９４０、並びに、サブフレーム２  ９１５のタイムスロット２  ９６０およびタイムスロット３  ９７０は、フィードバック情報のＣＱＩフィールドにマップされてもよい。図示のように、Ｃ１およびＣ２のためのＣＱＩレポートは、サブフレーム１  ９１０内で、それぞれタイムスロット２  ９３０およびタイムスロット３  ９４０内で送信されてもよい。Ｃ３のためのＣＱＩレポートは、サブフレーム２  ９１５内で、例えば、タイムスロット２  ９６０内で送信されてもよい。
【０１０４】
一実施形態では、フィードバックグループ内の各サービングセルのためのＣＱＩ情報は、独立してエンコードされてもよい。
【０１０５】
表４は、ＨＳ−ＤＰＣＣＨ  ＣＱＩスロットのためのチャネル符号化方式および電力オフセット設定ルールを示す。表４で、「ＨＳ−ＤＰＣＣＨのＣＱＩタイプ」を示す列は、ＣＱＩレポートをエンコードするためのチャネル符号化方式に関連する。２つのＣＱＩタイプを含む表のセルは、ＣＱＩ／ＰＣＩレポートがフィードバックグループ内の２つのサービングセルの各々毎に別々にエンコードされうることを示すことができる。例えば、「ＳＣ」は（２０，５）リードマラー符号を示すことができ、「ＤＣ」は（２０，１０）符号を示すことができ、ＳＣ−ＭＩＭＯは、タイプＡ  ＣＱＩレポートでは（２０，１０）符号、または、タイプＢ  ＣＱＩレポートでは（２０，７）を示すことができる。
【０１０６】
【表４】
0005526242.tif 000005
【０１０７】
相対的電力オフセットが、ＨＳ−ＤＰＣＣＨにおける異なるフィードバック信号に適用され、ＨＡＲＱ確認応答およびＣＱＩフィードバックのための性能要件のバランスを取ることができるようにしてもよい。例えば、ΔACK、ΔNACKおよびΔCQIなど、３つの電力オフセット値が、ネットワークによって構成され、ＡＣＫ、ＮＡＣＫ、およびＣＱＩフィードバック信号にそれぞれ適用されてもよい。一実施形態では、従来の符号化方式が再使用可能である。
【０１０８】
一実施形態では、ネットワークは、複数のフィードバックグループのための複数のセットの電力オフセット値を事前構成してもよく、１つのセットの電力オフセット値は、フィードバックグループに対応する。例えば、２つのセットの電力オフセットを、最初の無線リソース制御（ＲＲＣ）接続における２つのフィードバックグループのためのΔACK1、ΔNACK1、ΔCQI1およびΔACK2、ΔNACK2、ΔCQI2と示すことができる。ＨＳ−ＤＰＣＣＨが送信される時、ＷＴＲＵは、２つのセットの値を２つのフィードバックグループにそれぞれ適用してもよい。
【０１０９】
一実施形態では、ネットワークは、１つのセットの電力オフセット値、例えば、最初のＲＲＣ接続におけるΔACK、ΔNACK、ΔCQIを構成してもよい。ＷＴＲＵがこのセットのオフセット値を適用する時、ＷＴＲＵは、より強い符号化性能を有するフィードバックチャネルに追加の電力縮小を追加してもよい。この追加の電力縮小の量は、規格内で事前定義されてもよく、または、キャリア／ＭＩＭＯ構成に応じて変わってもよい。例えば、この電力縮小は、ΔACK、ΔNACKおよびΔCQIのネットワーク信号で送られた（signaled）値を、送信器で適用された実際の電力スケーリングにマップする、量子化テーブル内の少数のエントリをステップダウンすることであってもよい。
【０１１０】
一実施形態では、同じ電力オフセット値が複数のフィードバックグループに適用され、ハーフスロットＡＣＫ／ＮＡＣＫ送信によりアップリンクスロットの途中で送信電力が変化することを回避できるようにしてもよい。例えば、ＷＴＲＵは、複数のフィードバックグループのためのＨＳ−ＤＰＣＣＨフィールドの各々の電力オフセットを、独立して計算してもよい。ＷＴＲＵは、最高の計算された電力設定値を複数のフィードバックグループに適用してもよい。例えば、ＨＳ−ＤＰＣＣＨフィールド毎に、ＷＴＲＵは、２つのフィードバックグループについて計算された２つの電力オフセットのうち、より高い値を適用してもよい。ＷＴＲＵは、計算された電力設定値の平均値を複数のフィードバックグループに適用してもよい。例えば、フィールドカテゴリ毎に、２つのフィードバックグループについて計算された２つの電力オフセットの平均が適用されてもよい。
【０１１１】
例えば、２つのフィードバックグループのためのフィードバック情報が送信される時、ＨＡＲＱ−ＡＣＫ1およびＨＡＲＱ−ＡＣＫ2と示すことができる、２つのＨＡＲＱ−ＡＣＫフィールド、並びに、ＰＣＩ／ＣＱＩ1およびＰＣＩ／ＣＱＩ2と示すことができる、２つのＰＣＩ／ＣＱＩフィールドがありうる。ＷＴＲＵは、これらのフィールドの各々のための電力オフセットを、ΔACK1、ΔNACK1、ΔCQI1、ΔACK2、ΔNACK2、ΔCQI2、および／または、送信されている実際のフィードバックなど、信号で送られた値に基づいて計算してもよい。結果として生じるＨＡＲＱ−ＡＣＫ１およびＨＡＲＱ−ＡＣＫ２のための電力オフセットを、それぞれΔH-A1およびΔH-A2と示すことができ、結果として生じるＰＣＩ／ＣＱＩ１およびＰＣＩ／ＣＱＩ２のための電力オフセットを、ΔPC1およびΔPC2と示すことができる。
【０１１２】
ＷＴＲＵは、ＨＳ−ＤＰＣＣＨフィールドについて計算された複数の電力オフセット値のうち最大のものを決定し、最大の電力オフセット値を、複数のフィードバックグループのための対応するＨＳ−ＤＰＣＣＨフィールドに適用してもよい。例えば、ＷＴＲＵは、ＨＡＲＱ  ＡＣＫについて計算された２つの値のうち、ΔH-A＝ｍａｘ（ΔH-A1，ΔH-A2）と示すことができる最大のものを選択し、最大の電力オフセットΔH-Aを、２つのフィードバックグループのＨＡＲＱ−ＡＣＫフィールドに適用してもよい。例えば、ＷＴＲＵは、ＣＱＩについて計算された２つの値のうち、ΔPC＝ｍａｘ（ΔPC1，ΔPC2）と示すことができる最大のものを選択してもよく、選択された最大の電力オフセット（ΔPC）を、２つのフィードバックグループのためのＰＣＩ／ＣＱＩフィールドに適用してもよい。
【０１１３】
一実施形態では、電力オフセットは、フィードバックグループに適用されてもよい。例えば、フィードバックグループのための符号化性能は等しくないことがあり、フィードバックグループのための送信品質は一様でないことがある。この変動は、複数のキャリア動作のアップリンクカバレッジに影響を与えることがある。異なる電力オフセットを異なるフィードバックグループに適用することで、アップリンクカバレッジへの影響を緩和することができる。例えば、より高い送信電力が、比較的より弱い符号化性能を有するフィードバックグループに印加されてもよい。例えば、第１のフィードバックグループのためのＰＣＩ／ＣＱＩフィールドのための電力オフセットは、第２のフィードバックグループのためのＰＣＩ／ＣＱＩフィールドのための電力オフセットとは異なってもよい。
【０１１４】
一実施形態では、ネットワークは、最初のＲＲＣ接続における、ΔACK、ΔNACKおよびΔCQIと示すことができる、１つのセットの電力オフセット値を構成してもよい。ＷＴＲＵがこのセットのオフセット値を適用する時、ＷＴＲＵは、より弱い符号化性能を有するフィードバックチャネルに追加の電力ブーストを追加してもよい。この追加の電力ブーストの量は、事前定義されてもよく、または、キャリア／ＭＩＭＯ構成に応じて変わってもよい。例えば、この電力ブーストは、ΔACK、ΔNACKおよびΔCQIのネットワーク信号で送られた値を、送信器で適用された実際の電力スケーリングにマップする、量子化テーブル内の少数のエントリをステップアップすることであってもよい。
【０１１５】
例えば、フィードバックグループのためのＨＡＲＱ  ＡＣＫ電力オフセット設定ルールは、以下のように実装可能である。フィードバックグループに対応するＨＳ−ＤＳＣＨセルのいずれもがＭＩＭＯモードで構成されない場合、Ａhsは、対応するＨＡＲＱ−ＡＣＫメッセージが少なくとも１つのＡＣＫを含むが、ＮＡＣＫを含まない場合、信号で送られた値ΔACK＋１から変換された量子化された振幅比に等しいことが可能であり、Ａhsは、対応するＨＡＲＱ−ＡＣＫメッセージが少なくとも１つのＮＡＣＫを含むが、ＡＣＫを含まない場合、信号で送られた値ΔNACK＋１から変換された量子化された振幅比に等しいことが可能であり、Ａhsは、対応するＨＡＲＱ−ＡＣＫメッセージがＡＣＫおよびＮＡＣＫを共に含むか、または、ＰＲＥもしくはＰＯＳＴである場合、（ΔACK＋１）および（ΔNACK＋１）のうち最大値から変換された、量子化された振幅比に等しいことが可能である。フィードバックグループに対応する少なくとも１つのＨＳ−ＤＳＣＨセルがＭＩＭＯモードで構成される場合、Ａhsは、対応するＨＡＲＱ−ＡＣＫメッセージが少なくとも１つのＡＣＫを含むが、ＮＡＣＫを含まない場合、信号で送られた値ΔACK＋２から変換された量子化された振幅比に等しいことが可能であり、Ａhsは、対応するＨＡＲＱ−ＡＣＫメッセージが少なくとも１つのＮＡＣＫを含むが、ＡＣＫを含まない場合、信号で送られた値ΔNACK＋２から変換された量子化された振幅比に等しいことが可能であり、Ａhsは、対応するＨＡＲＱ−ＡＣＫメッセージがＡＣＫおよびＮＡＣＫを共に含むか、または、ＰＲＥもしくはＰＯＳＴである場合、（ΔACK＋２）および（ΔNACK＋２）のうち最大値から変換された量子化された振幅比に等しいことが可能である。
【０１１６】
表５は、ＨＳ−ＤＰＣＣＨのための電力オフセットの量子化を示す。表５に示すように、ΔACK、ΔNACKおよび／またはΔCQIのための信号で送られた値が１０である時、量子化された振幅比Ａhs＝βhs／βcは、４８／１５に設定されうる。
【０１１７】
【表５】
0005526242.tif 000006
【０１１８】
一実施形態では、異なるフィードバックグループのためのＰＲＥまたはＰＯＳＴコードワードは、独立して送信されてもよい。ＰＲＥまたはＰＯＳＴコードワード送信は、近隣のサブフレームに渡る特定のフィードバックグループに関連付けられたＨＡＲＱ−ＡＣＫメッセージの内容に基づいて決定されてもよい。
【０１１９】
例えば、サブフレームｎ内である時、フィードバックグループ内の１つまたは複数のセルのためのＨＳ−ＳＣＣＨ上で受信された情報が廃棄されない場合、ＨＡＲＱプリアンブルは、サブフレームｎ−１内のＨＡＲＱ−ＡＣＫに割り振られたスロット内で送信されてもよい。ＨＡＲＱプリアンブルは、ＨＳ−ＤＰＣＣＨスロットフォーマット０ではＰＲＥ、または、ＨＳ−ＤＰＣＣＨスロットフォーマット１ではＰＲＥ／ＰＲＥを含んでもよい。ＰＲＥ／ＰＲＥは、サブフレーム内で、ＨＡＲＱ−ＡＣＫに割り振られたタイムスロットの前半においてＰＲＥが送信され、ＨＡＲＱ−ＡＣＫに割り振られたタイムスロットの後半においてＰＲＥが送信されることを示すことができる。例えば、ＨＡＲＱプリアンブルは、ＡＣＫもしくはＮＡＣＫ、または、ＡＣＫおよびＮＡＣＫの任意の組み合わせがサブフレームｎ−１内で送信されることになっていない限り、サブフレームｎ−１内のＨＡＲＱ−ＡＣＫに割り振られたスロット内で送信されてもよい。例えば、ＷＴＲＵは、フィードバックグループのためのＡＣＫもしくはＮＡＣＫ、または、ＡＣＫおよびＮＡＣＫの任意の組み合わせがサブフレームｎ−１内で送信されることになっていない限り、フィードバックグループのためのＰＲＥ／ＰＲＥをサブフレームｎ−１内で送信してもよい。
【０１２０】
例えば、ＷＴＲＵは、ＤＴＸコードワードがサブフレーム内の各サービングセルのためにサブフレーム内で送信されることになっており、かつ、ＡＣＫおよびＮＡＣＫのうち少なくとも１つが、ｎなど、後続のサブフレーム内で送信されることになっている時、サブフレームｎ−１など、サブフレーム内のＨＡＲＱ−ＡＣＫに割り振られたスロット内で、ＰＲＥ／ＰＲＥを送信してもよい。ＷＴＲＵは、サービングセルのためのＨＡＲＱ−ＡＣＫメッセージがサブフレームｎ−１内でＤＴＸされることになっており、かつ、少なくとも１つのサービングセルのためのＨＡＲＱ−ＡＣＫメッセージが、ｎなど、後続のサブフレーム内でＤＴＸされない時、サブフレームｎ−１など、サブフレーム内でＰＲＥ／ＰＲＥを送信してもよい。
【０１２１】
ＡＣＫもしくはＮＡＣＫ、または、ＡＣＫおよびＮＡＣＫの任意の組み合わせが、フィードバックグループサブフレームｎ内でセルまたはセルの対のために送信される場合、ＷＴＲＵは、ＡＣＫもしくはＮＡＣＫもしくはＰＲＥ、または、ＡＣＫおよびＮＡＣＫの任意の組み合わせがこのサブフレーム内でフィードバックグループのために送信されることになっていない限り、サブフレームｎ＋２×N_acknack_transmit−１内でフィードバックグループのためのポストアンブルを送信してもよい。パラメータN_acknack_transmitは、ＡＣＫ／ＮＡＣＫの反復係数（repetition factor）を含んでもよい。パラメータN_acknack_transmitは、システムにより構成されたパラメータであってもよい。
【０１２２】
例えば、ＨＡＲＱが、サブフレームｎでフィードバックグループのために送信される時、ＨＡＲＱポストアンブルは、サブフレームｎ＋２×N_acknack_transmit−２内のＨＡＲＱ−ＡＣＫに割り振られたスロット内で送信されてもよい。ＨＡＲＱポストアンブルは、ＨＳ−ＤＰＣＣＨスロットフォーマット０ではＰＯＳＴを含んでもよく、または、ＨＳ−ＤＰＣＣＨスロットフォーマット１ではＰＯＳＴ／ＰＯＳＴを含んでもよい。ＰＯＳＴ／ＰＯＳＴは、サブフレーム内で、ＨＡＲＱ−ＡＣＫに割り振られたタイムスロットの前半においてＰＯＳＴが送信され、ＨＡＲＱ−ＡＣＫに割り振られたタイムスロットの後半においてＰＯＳＴが送信されることを示すことができる。例えば、ＡＣＫもしくはＮＡＣＫもしくはＰＲＥもしくはＰＲＥ／ＰＲＥ、または、ＡＣＫおよびＮＡＣＫの任意の組み合わせがこのサブフレーム内で送信されることになっていない限り、ＨＡＲＱポストアンブルは、サブフレームｎ＋２×N_acknack_transmit−２内で送信されてもよい。例えば、ＨＡＲＱが送信され、フィードバックグループが送信され、サブフレームｎであり、かつ、パラメータN_acknack_transmitが１より大きい時、ＨＡＲＱポストアンブルは、サブフレームｎ＋２×N_acknack_transmit−２内で送信されてもよい。例えば、サービングセルのためのＨＡＲＱ−ＡＣＫメッセージがＤＴＸされることになっている時、ＰＯＳＴ／ＰＯＳＴは、サブフレーム内で送信されてもよい。ＷＴＲＵは、ＤＴＸコードワードが、構成されたサービングセルの各々のためにサブフレーム内で送信されることになっている時、ＨＡＲＱポストアンブルＰＯＳＴ／ＰＯＳＴを、サブフレーム内のＨＡＲＱ−ＡＣＫに割り振られたスロット内で送信してもよい。
【０１２３】
図１０は、ＰＲＥ／ＰＯＳＴが満たされている、送信された信号の例を示す。図示のように、ＰＲＥ／ＰＲＥは、サブフレームｎ−１内で送信されてもよい。第１のフィードバックグループのためのＰＲＥは、サブフレームｎ−１の前半スロット１０１０内で送信されてもよく、第２のフィードバックグループのためのＰＲＥは、サブフレームｎ−１の後半スロット１０２０内で送信されてもよい。第１のフィードバックグループのためのＰＯＳＴは、サブフレームｎ＋９など、サブフレームｎ＋２×N_acknack_transmit−２の前半スロット１０３０内で送信されてもよく、第２のフィードバックグループのためのＰＯＳＴは、サブフレームｎ＋９など、サブフレームｎ＋２×N_acknack_transmit−２の後半スロット１０４０内で送信されてもよい。
【０１２４】
その間に渡って不連続送信（ＤＴＸ）検出を回避することができる、サブフレームの持続時間を決定することができる。この持続時間は、例えば、ＰＲＥ／ＰＲＥなど、ＨＡＲＱプリアンブル、および、ＰＯＳＴ／ＰＯＳＴなど、ポストアンブルの位置に基づいて決定することができる。図１０に示すように、ＤＴＸ検出は、ＰＲＥ／ＰＲＥとＰＯＳＴ／ＰＯＳＴの間で回避可能である。ノードＢ受信器におけるＰＲＥおよびＰＯＳＴの検出信頼性を、２つなど、複数のＨＡＲＱ−ＡＣＫメッセージを介した反復送信により向上させることができる。
【０１２５】
一実施形態では、ＰＲＥ／ＰＯＳＴは、第１のＨＡＲＱ−ＡＣＫメッセージ上で送信されてもよい。ＰＲＥ／ＰＯＳＴは、前半スロットまたは後半スロットなど、タイムスロットの一部分における送信に限定されてもよく、この部分は、プライマリセルのためのＡＣＫ／ＮＡＣＫ情報を搬送してもよい。他方のハーフスロットなど、タイムスロットの残りの部分では、ＤＣＷが送信されてもよい。
【０１２６】
図１１は、ＰＲＥ／ＰＯＳＴが満たされている、送信された信号のもう１つの例を示す。図示のように、ＰＲＥは、サブフレームｎ−１の前半スロット１１１０上で送信されてもよく、ＤＴＸコードワード（ＤＣＷ）は、サブフレームｎ−１の後半スロット１１２０内で送信されてもよい。例えば、ＤＣＷは、フィードバックコードワードのうち１つがＤＴＸされる時、送信されてもよい。ＷＴＲＵは、ＷＴＲＵがそのコードワードに関連付けられたセル／キャリア上でデータを検出していない時、ＤＣＷを送信してもよい。例えば、ＤＴＸは、全てのフィードバックコードワードがＤＴＸされる時、送信されてもよい。第１のフィードバックグループのためのＰＯＳＴは、サブフレームｎ＋９など、サブフレームｎ＋２×N_acknack_transmit−２の前半スロット１１３０内で送信されてもよく、ＤＣＷは、サブフレームｎ＋９の後半スロット１１４０内で送信されてもよい。図１１に示すように、ＤＴＸ検出は、ＰＲＥ／ＤＣＷとＰＯＳＴ／ＤＣＷの間で必要とされないことがある。
【０１２７】
一実施形態では、フィードバックグループのためのＣＱＩまたは合成ＰＣＩ／ＣＱＩは、圧縮モードギャップ中に送信されないことがある。例えば、アップリンクギャップのパートが、圧縮モードギャップ中に、フィードバックグループのためのＨＳ−ＤＰＣＣＨ上でＰＣＩ／ＣＱＩ情報レポートを搬送するスロットのパートと重なる場合、そのタイムスロット上のＰＣＩ／ＣＱＩレポートは送信されないことがある。そのフィードバックグループのためのＰＣＩ／ＣＱＩ情報レポートは、ＤＴＸされてもよい。同じサブフレーム内で、第２のフィードバックグループのためのＰＣＩ／ＣＱＩレポートを搬送する別のタイムスロットが、アップリンクギャップと重ならない場合、第２のフィードバックグループのためのＰＣＩ／ＣＱＩレポートが送信されてもよい。一実施形態では、アップリンクギャップのパートが、圧縮モードギャップ中に、フィードバックグループのためのＨＳ−ＤＰＣＣＨ上でＰＣＩ／ＣＱＩ情報レポートを搬送するスロットのパートと重なる場合、そのサブフレーム上のＰＣＩ／ＣＱＩレポートは送信されないことがある。
【０１２８】
例えば、関連付けられた個別物理チャネル（ＤＰＣＨ）またはフラクショナル個別物理チャネル（Ｆ−ＤＰＣＨ）上の圧縮モード中に、ＨＳ−ＤＰＣＣＨの送信、並びに、ＨＳ−ＳＣＣＨおよびＨＳ−ＰＤＳＣＨの受信について、ＷＴＲＵについて以下が当てはまる。ＨＳ−ＤＰＣＣＨサブフレーム内で、ＣＱＩ情報のために割り振られたスロットのパートが、関連付けられたＤＰＣＨ上のアップリンク送信ギャップと重なる場合、ＷＴＲＵは、表１に示されたＨＳ−ＤＰＣＣＨスロットフォーマット１が使用される場合、そのスロット内でＣＱＩまたは合成ＰＣＩ／ＣＱＩ情報を送信しないことがある。例えば、表１に示されたＨＳ−ＤＰＣＣＨスロットフォーマット０が使用される場合、ＷＴＲＵは、そのサブフレーム内でＣＱＩまたは合成ＰＣＩ／ＣＱＩ情報を送信しないことがある。
【０１２９】
例えば、ＷＴＲＵが３つ以上のセカンダリサービングＨＳ−ＤＳＣＨセルにより構成される場合、かつ、ＨＳ−ＤＰＣＣＨサブフレーム内で、ＣＱＩ情報のために割り振られたスロットのパートが、関連付けられたＤＰＣＨ上のアップリンク送信ギャップと重なる場合、ＷＴＲＵは、そのタイムスロット内でＣＱＩまたは合成ＰＣＩ／ＣＱＩ情報を送信しないことがある。例えば、ＷＴＲＵが２つに満たないセカンダリサービングＨＳ−ＤＳＣＨセルにより構成される場合、かつ、ＨＳ−ＤＰＣＣＨサブフレーム内で、ＣＱＩ情報のために割り振られたスロットのパートが、関連付けられたＤＰＣＨ上のアップリンク送信ギャップと重なる場合、ＷＴＲＵは、そのサブフレーム内でＣＱＩまたは合成ＰＣＩ／ＣＱＩ情報を送信しないことがある。
【０１３０】
表５．１は、ＨＳ−ＤＰＣＣＨフィードバックのためのダウンリンク構成の例を示す。表５．１は、送信されるトランスポートブロックの総数に関して順に提示される。図示のように、表のサイズは、トランスポートブロックの数に応じて指数関数的に増大する。
【０１３１】
【表６】
0005526242.tif 000007
【０１３２】
ＨＳ−ＤＰＣＣＨフレームフォーマットは、図１４に示すように、インターリーブ分割によって分割されてもよい。フィードバックチャネルは、ビットをインターリーブすることによって分割されてもよい。拡散係数１２８を有する合計６０ビットのＨＳ−ＤＰＣＣＨは、Ｎビットのブロックに均等に分割されてもよく、２つのフィードバックチャネルは次いで、インターリーブ方式で割り振られてもよい。この手法では、２つのＨＳ−ＤＰＣＣＨのＨＡＲＱ−ＡＣＫ／ＮＡＣＫフィールドは、第１のタイムスロット中に、フィードバックチャネル１およびフィードバックチャネル２シンボルにマップされてもよく、ＨＳ−ＤＰＣＣＨのためのＣＱＩ／ＰＣＩは、第２のタイムスロットおよび第３のタイムスロット内のチャネル１およびチャネル２にそれぞれマップされてもよい。
【０１３３】
一実施形態では、総数６０ビットのＨＳ−ＤＰＣＣＨは、複数のブロックに不均等に分割されてもよい。インターリーブ分割の一例を図１５に示す。ここでは、各ブロックのサイズは事前定義され、信号で送られてもよく、または、一様でないパターンは、１スロット当たりなど、周期的であってもよい。任意選択で、一様でないパターンは、周期的でなくてもよい。
【０１３４】
ＨＳ−ＤＰＣＣＨフレームフォーマットは、ハイブリッドの方法を使用して分割されてもよい。ＨＡＲＱ−ＡＣＫ／ＮＡＣＫおよびＣＱＩ／ＰＣＩフィールドは、上記の異なる実装を使用して分割されてもよい。例えば、ＨＡＲＱ−ＡＣＫ／ＮＡＣＫフィールドは、タイムスロット毎の分割実装に従って送信されてもよく、ＣＱＩ／ＰＣＩフィールドは、インターリービング分割実装に従って送信されてもよい。図１６は、ＨＡＲＱ−ＡＣＫおよびＣＱＩ／ＰＣＩフィールドのための記載された分割実装の混合された使用を示す。実装のもう１つの例を図１７に示し、この実装では、ＨＡＲＱ−ＡＣＫフィールドがインターリービング分割実装を使用し、ＣＱＩ／ＰＣＩフィールドがフィールド毎の実装を使用する。
【０１３５】
図１８は、ＭＩＭＯのない３つのキャリアのためのＨＳ−ＤＰＣＣＨレイアウトの一例を示す。一例では、３つのキャリアは、ダウンリンクデータ送信のために同時に構成されてもよく、これらのキャリアのいずれもＭＩＭＯにより構成されなくてもよい。図１８に示すように、２つのキャリアのフィードバックが結合され、ＨＳ−ＤＰＣＣＨ１などのフィードバックチャネル内で送信されてもよく、第３のキャリアは、ＨＳ−ＤＰＣＣＨ２などの別のフィードバックチャネルに割り振られてもよい。例えば、フィードバック情報は、あらゆるサブフレーム上であらゆるキャリアのために送信されてもよい。ＣＱＩフィードバックサイクルは、１サブフレーム、例えば、２ｍｓに等しくてもよい。
【０１３６】
図１９は、冗長性を有する、ＭＩＭＯのない３つのキャリアのためのＨＳ−ＤＰＣＣＨレイアウトの一例を示す。冗長性により、あるキャリアのためのフィードバック情報は、２つ以上のフィードバックチャネル上で送信されてもよい。
【０１３７】
キャリアＣ１のためのフィードバックスロットまたはリソースは、サービングＨＳ−ＤＳＣＨセルに関連付けられてもよいが、キャリアＣ２およびキャリアＣ３のためのフィードバックスロットは、より高い層によって得られた構成メッセージ（ＲＲＣシグナリング）内でリストされる順序で、セカンダリサービングＨＳ−ＤＳＣＨセルに関連付けられてもよい。
【０１３８】
一実施形態では、ＣＱＩ／ＰＣＩフィールドは、図２０に示すように、時分割多重化（ＴＤＭ）方式で配置されてもよい。２つのキャリアからのフィードバックは、（２０，５）リードマラー符号によって独立して符号化されてもよく、複数の、例えば連続する、サブフレーム内でマップされてもよい。ＣＱＩフィードバックサイクルは、２サブフレームであってもよい。一実施形態では、キャリアＣ３のためのＣＱＩレポートは、第２のサブフレーム内で送信されないことがある。一実施形態では、Ｃ３のためのＣＱＩレポートは、第２のサブフレーム内で繰り返されてもよい。
【０１３９】
図２１は、１つのキャリアがＭＩＭＯモードで構成される、３つのキャリアのためのＨＳ−ＤＰＣＣＨレイアウトの一例を示す。例えば、３つのキャリアは、ダウンリンクデータ送信のために同時に構成されてもよく、１つのキャリアはＭＩＭＯにより構成されてもよい。例えば、キャリアＣ３は、ＭＩＭＯキャリアであってもよい。キャリアＣ１のためのフィードバックスロットは、サービングＨＳ−ＤＳＣＨセルに関連付けられてもよく、キャリアＣ２およびキャリアＣ３のためのフィードバックスロットは、それに対してＭＩＭＯが構成されない、および、それに対してＭＩＭＯが構成されてもよい、セカンダリサービングＨＳ−ＤＳＣＨセルに、それぞれ関連付けられてもよい。
【０１４０】
図２２は、２つのＭＩＭＯキャリアを有する３つのキャリアのための平衡負荷を有するＨＳ−ＤＰＣＣＨレイアウトの一例を示す。例えば、３つのキャリアは、ダウンリンクデータ送信のために同時に構成されてもよく、ＭＩＭＯが２つのキャリアにおいて構成される。例えば、キャリアＣ２およびキャリアＣ３は、ＭＩＭＯキャリアであってもよい。
【０１４１】
図２３は、２つのＭＩＭＯキャリアを有する３つのキャリアのための不平衡負荷を有するＨＳ−ＤＰＣＣＨレイアウトの一例を示す。
【０１４２】
図２４は、２つのＭＩＭＯキャリアを有する３つのキャリアのための冗長負荷を有するＨＳ−ＤＰＣＣＨレイアウトの一例を示す。キャリアＣ１は、サービングＨＳ−ＤＳＣＨセルに関連付けられてもよいのに対して、キャリアＣ２およびキャリアＣ３は、それらが構成される順序で、セカンダリサービングＨＳ−ＤＳＣＨに関連付けられてもよい。この順序は、例えば、無線リソース制御（ＲＲＣ）メッセージ内で指示されてもよい。
【０１４３】
図２５は、ＭＩＭＯで構成された３つのキャリアのためのＨＳ−ＤＰＣＣＨレイアウトの一例を示す。例えば、３つのキャリアは、ダウンリンクデータ送信のために同時に構成されてもよく、これらの３つのキャリアは、ＭＩＭＯで構成されてもよい。
【０１４４】
図２６は、１２８の拡散係数により全てがＭＩＭＯで構成された３つのキャリアのための冗長負荷を有するＨＳ−ＤＰＣＣＨレイアウトの一例を示す。図示のように、２つのフィードバックチャネル／またはグループは、異なる陰影でマークが付けられ、フィードバックグループ１には薄い陰影、フィードバックグループ２には濃い陰影が付いている。
【０１４５】
図２７は、全てがＭＩＭＯで構成された３つのキャリアのための冗長負荷を有するＨＳ−ＤＰＣＣＨレイアウトの一例を示す。Ｃ１は、サービングＨＳ−ＤＳＣＨセルに関連付けられてもよいのに対して、Ｃ２およびＣ３は、それらが（例えば、ＲＲＣメッセージ内で）構成される順序で、セカンダリサービングＨＳ−ＤＳＣＨに関連付けられてもよい。例えば、フレームフォーマットを図９に示すように取り、拡散係数が１２８に設定されて、２つのフィードバックチャネル／グループが含まれるという状況下で、ＭＩＭＯが構成された３つのキャリアのためのキャリアマッピングを図２７に示す。図示のように、２つのフィードバックチャネル／またはグループは、異なる陰影でマークが付けられ、フィードバックグループ１には薄い陰影、フィードバックグループ２には濃い陰影が付いている。例えば、最小のＣＱＩフィードバックサイクルは、４ｍｓであってもよい。４つのキャリアのためのＣＱＩレポーティングは、２つに満たないサブフレーム内では完了されないことがある。
【０１４６】
図２８は、ＭＩＭＯのない４つのキャリアのためのＨＳ−ＤＰＣＣＨレイアウトの一例を示す。４つのキャリアが構成されてもよく、これらのキャリアのいずれもＭＩＭＯにより構成されなくてもよい。これらの４つのキャリアを、Ｃ１、Ｃ２、Ｃ３およびＣ４と示す。例えば、Ｃ１は、サービングＨＳ−ＤＳＣＨセルに関連付けられてもよく、Ｃ２、Ｃ３およびＣ４は、例えば、ＲＲＣメッセージ内で、それらが構成される順序で、セカンダリサービングＨＳ−ＤＳＣＨセルに関連付けられてもよい。
【０１４７】
図２９は、１つのＭＩＭＯキャリアを有する４つのキャリアのためのＨＳ−ＤＰＣＣＨレイアウトの一例を示す。４つのキャリアが構成されてもよく、ＭＩＭＯが４つのキャリアのうち１つにより構成されてもよい。例えば、キャリアＣ４は、ＭＩＭＯにより構成されたキャリアであってもよい。
【０１４８】
図３０は、１つのＭＩＭＯキャリアを有する４つのキャリアのためのＨＳ−ＤＰＣＣＨレイアウトの一例を示す。例えば、（２０，１５）の符号化レートがタイプＡ  ＣＱＩに対して適用されてもよく、または（２０，１２）がタイプＢ  ＣＱＩに対して適用されてもよい。この符号化方式を、ＣＱＩ（２０，１２／１５）と示す。この符号化方式は、ダウンリンク送信に対する影響を最小限にするために、ＣＱＩフィードバックサイクルを縮小することができる。キャリアＣ１は、サービングＨＳ−ＤＳＣＨセルに関連付けられてもよく、キャリアＣ４は、ＭＩＭＯモードで構成されるセカンダリサービングＨＳ−ＤＳＣＨセルに関連付けられてもよく、キャリアＣ２およびキャリアＣ３は、例えば、それらがＲＲＣメッセージ内で構成される順序で、他の２つのセカンダリサービングＨＳ−ＤＳＣＨセルに関連付けられてもよい。一例では、サービングＨＳ−ＤＳＣＨセルは、ＭＩＭＯにより構成されたものであってもよく、サービングＨＳ−ＤＳＣＨセルは、Ｃ４に関連付けられてもよいが、Ｃ１、Ｃ２およびＣ３は、例えば、それらがＲＲＣメッセージ内で構成される順序で、セカンダリサービングＨＳ−ＤＳＣＨセルに関連付けられてもよい。
【０１４９】
図３１は、２つのキャリアがＭＩＭＯにおけるものである、４つのキャリアのための平衡負荷（balanced loading）を有するＨＳ−ＤＰＣＣＨレイアウトの一例を示す。例えば、キャリアＣ３およびＣ４は、ＭＩＭＯキャリアであってもよい。
【０１５０】
図３２は、２つのキャリアがＭＩＭＯにおけるものである、４つのキャリアのための不平衡負荷を有するＨＳ−ＤＰＣＣＨレイアウトの一例を示す。
【０１５１】
図３３は、２つのキャリアがＭＩＭＯにおけるものである、４つのキャリアのための不平衡負荷を有するＨＳ−ＤＰＣＣＨレイアウトの一例を示す。図示のように、ＣＱＩフィードバックサイクルは、これらのキャリアについて等しくてもよい。
【０１５２】
図３４は、単一のＣＱＩフィードバックサイクルを有する、２つのキャリアがＭＩＭＯにおけるものである、４つのキャリアのためのＨＳ−ＤＰＣＣＨレイアウトの一例を示す。例えば、（２０，１５）の符号化レートがタイプＡ  ＣＱＩに対して適用されてもよく、または、（２０，１２）がタイプＢ  ＣＱＩに対して適用されてもよい。この符号化方式を、ＣＱＩ（２０，１２／１５）と示す。
【０１５３】
サービングＨＳ−ＤＳＣＨセルがＭＩＭＯで構成されない場合、サービングＨＳ−ＤＳＣＨセルは、Ｃ１に関連付けられてもよく、Ｃ２は、ＭＩＭＯで構成されない他のＨＳ−ＤＳＣＨセルに関連付けられてもよい。Ｃ３およびＣ４は、例えば、それらがより高い層によって構成される順序で、セカンダリサービングＨＳ−ＤＳＣＨセルに関連付けられてもよい。サービングＨＳ−ＤＳＣＨセルがＭＩＭＯモードで構成される場合、サービングＨＳ−ＤＳＣＨセルは、Ｃ３に関連付けられてもよい。Ｃ１およびＣ２は次いで、（例えば、それらが構成される順序で）ＭＩＭＯで構成されない最初の２つのセカンダリＨＳ−ＤＳＣＨセルに関連付けられてもよく、Ｃ４は、ＭＩＭＯで構成されたセカンダリサービングＨＳ−ＤＳＣＨセルに関連付けられてもよい。
【０１５４】
図３５は、３つのキャリアがＭＩＭＯにおけるものである、４つのキャリアのためのＨＳ−ＤＰＣＣＨレイアウトの一例を示す。例えば、Ｃ２、Ｃ３、Ｃ４は、ＭＩＭＯキャリアであってもよく、Ｃ１は、非ＭＩＭＯキャリアであってもよい。この場合、サービングＨＳ−ＤＳＣＨセルがＭＩＭＯで構成されない場合、サービングＨＳ−ＤＳＣＨセルは、Ｃ１に関連付けられてもよい。キャリアＣ２、Ｃ３およびＣ４は、例えば、それらがより高い層によって構成される順序で、セカンダリサービングＨＳ−ＤＳＣＨセルに関連付けられてもよい。サービングＨＳ−ＤＳＣＨセルがＭＩＭＯモードで構成される場合、サービングＨＳ−ＤＳＣＨセルは、Ｃ２に関連付けられてもよい。Ｃ１は次いで、ＭＩＭＯモードで構成されないセカンダリＨＳ−ＤＳＣＨセルに関連付けられてもよい。キャリアＣ３およびＣ４は、例えば、それらがＲＲＣメッセージ内で構成される順序で、ＭＩＭＯで構成されたセカンダリサービングＨＳ−ＤＳＣＨセルに関連付けられてもよい。
【０１５５】
図３６は、全てのキャリアがＭＩＭＯにおけるものである、４つのキャリアのためのＨＳ−ＤＰＣＣＨレイアウトの一例を示す。
【０１５６】
図３７は、全てのキャリアがＭＩＭＯにおけるものである、４つのキャリアのためのＨＳ−ＤＰＣＣＨレイアウトの一例を示す。
【０１５７】
例えば、拡散係数が１２８に設定されて、２つのフィードバックチャネルが含まれる。図９に示すフレームフォーマットにて、ＭＩＭＯが全てのキャリアにおいて構成された４つのキャリアのためのキャリアマッピングを、図３７に例示することができる。図示のように、２つのフィードバックチャネル／グループは、異なる陰影でマークが付けられ、例えば、フィードバックチャネル１には薄い陰影、フィードバックチャネル２には濃い陰影が付いている。例えば、４つのキャリアのためのＣＱＩレポーティングは、２つに満たないサブフレーム内では完了されないことがある。最小のＣＱＩフィードバックサイクルは、４ｍｓであってもよい。
【０１５８】
上記の例において開示されたフィードバックレイアウトは、拡散係数を低減することによって生成されたデュアルチャネル／デュアルグループフォーマットとの関連で説明されるが、他の機構を実装して、追加のフィードバックチャネルを生成することができ、これらの機構には、限定されないが、追加のチャネライゼーションコードを使用して、同じアップリンク送信内で第２のフィードバックチャネルを作成すること、２つのキャリア上のアップリンクに渡る２つのフィードバックチャネルを使用すること、または、同じチャネライゼーションコードを使用しながら、同じアップリンクの同相および直交信号に渡る２つのフィードバックチャネルを使用することが含まれる。Ｃ１は、サービング高速ダウンリンク共有チャネル（ＨＳ−ＤＳＣＨ）セルに関連付けられてもよく、キャリアＣ２、Ｃ３およびＣ４は、より高い層またはＲＲＣシグナリングによって構成される順序で、セカンダリサービングＨＳ−ＤＳＣＨセルに関連付けられてもよい。
【０１５９】
一実施形態では、レガシーコードブックコードが再使用可能である。一実施形態では、ＷＴＲＵがキャリアからトランスポートブロックを検出することができない、不連続送信（ＤＴＸ）状態のためのコードワードは、レガシーコードブックに存在しないことがある。ＨＡＲＱ−ＡＣＫ／ＮＡＣＫスロットは、ＤＴＸモード（ＤＴＸされた）であってもよい。
【０１６０】
例えば、ＰＯＳＴコードワードが送信されて、ＤＴＸが指示されてもよい。ＨＡＲＱ−ＡＣＫスロットは、フルスロットのためのＤＴＸがある場合、ＤＴＸされてもよい。例えば、生成された新しいコードワードは、さらに２つのレガシーコードブックを結合することによって、生成することができる。例えば、表５．１に示されたケース８などの構成では、１０２８個の可能にされる状態がありうるが、２つのリリース９  ＤＣ−ＨＳＤＰＡ  ＭＩＭＯコードブックの組み合わせは、最大４８×４８＝２３０４個の異なるコードワードをサポートすることができる。レガシーコードブックの結合により、デコードの複雑さを低減することができる。
【０１６１】
これらのコードワードのうちいくつかは、４Ｃ−ＨＳＤＰＡコードワードを生成する際に使用するために、有効なコードワードでないことがある。表５．１に示されたケース８を一例として使用すると、リリース９コードワードテーブルを、以下に示すような複数の小さいテーブルに分割することができる。表６は、ＷＴＲＵがＭＩＭＯモードで構成され、かつ、Secondary_Cell_Activeが０でない場合の、ＨＡＲＱ−ＡＣＫのコードブックマッピングを示す。表６〜１４はコードワードマッピングテーブルＡ〜Ｈを示す。キャリアのうち一方がＭＩＭＯなしで構成される、あるキャリア対では、テーブルＥ、Ｇ、Ｈ（または、逆に、テーブルＤ、Ｆ、Ｈ）は、それらを再ラベル付けする前に４Ｃ−ＨＳＤＰＡのための符号化に関与することができない無効なコードワードを含みうる、合計２８個のエントリを有する。一実施形態では、４Ｃ−ＨＳＤＰＡコードワードのサブセットは、再ラベル付けを必要としないことがある。例えば、４８×（４８−２８）＝９６０個の４Ｃ−ＨＳＤＰＡコードワードは、再ラベル付けされないことがある。一実施形態では、４Ｃ−ＨＳＤＰＡコードワードのサブセットは、再解釈されてもよい。例えば、１０２８−９６０＝６８個のコードワードは、レガシーコードワードの意味を再解釈することによって必要とされる。４Ｃ−ＨＳＤＰＡのためのコードワードが、レガシーコードワードのうちいくつかを再ラベル付けすることによって、ＤＴＸを指示するように構築されてもよい。
【０１６２】
これらの未使用コードワードを識別する利益の１つは、基地局およびＷＴＲＵが共に、基地局およびＷＴＲＵの両方に共通である無効なコードワードを知るように、設計ルールが定義される場合、デコードの複雑さを著しく低減することである。これは、基地局およびＷＴＲＵの両方が共通のセットの無効なコードワードを使用することを防ぐことによって、行うことができる。例えば、表５．１に示されたケース８による上記の例では、テーブルＥ、Ｇ、Ｈの使用は、（それらに基づいて、６８個の４Ｃ−ＨＳＤＰＡコードワードを取った後）基地局およびＷＴＲＵの両方で許可されないことがある。
【０１６３】
【表７】
0005526242.tif 000008
【０１６４】
【表８】
0005526242.tif 000009
【０１６５】
【表９】
0005526242.tif 000010
【０１６６】
【表１０】
0005526242.tif 000011
【０１６７】
【表１１】
0005526242.tif 000012
【０１６８】
【表１２】
0005526242.tif 000013
【０１６９】
【表１３】
0005526242.tif 000014
【０１７０】
【表１４】
0005526242.tif 000015
【０１７１】
【表１５】
0005526242.tif 000016
【０１７２】
図３８は、アクティブＨＳ−ＤＳＣＨセルのいずれもＭＩＭＯモードで構成されない、符号化フローの一例を示す。チャネル符号化は、並列または順次に行われてもよい。フィードバック情報は、別々に符号化されてもよく、時間多重化されてもよい。例えば、単一のＨＳ−ＤＳＣＨセルが所与のフィードバックチャネル／グループに割り振られる場合、ＣＱＩ情報ビットの総数は５であってもよい。２つのＨＳ−ＤＳＣＨセルが所与のフィードバックチャネル／グループに割り振られる場合、ＣＱＩ情報ビットの総数は１０ビットであってもよい。チャネル符号化の後、第１のフィードバックチャネルおよびセカンダリフィードバックチャネルからのＨＡＲＱ−ＡＣＫおよびＣＱＩデータは共に、多重化され、物理チャネルマッピング機能へそれぞれ供給されてもよい。
【０１７３】
一例では、フィードバックチャネルは、ＭＩＭＯモードで構成されてもよい少なくとも１つのＨＳ−ＤＳＣＨセルのためのフィードバック情報を搬送してもよく、そのフィードバックチャネル上の測定指示は、プリコーディング制御指示（ＰＣＩ）およびチャネル品質指示（ＣＱＩ）を含んでもよい。フィードバックチャネルの両方が、ＭＩＭＯモードにおける少なくとも１つのＨＳ−ＤＳＣＨセルを含む時、符号化フローの一例を図３９に示す。図４０は、一方のフィードバックチャネルが、ＭＩＭＯモードで構成されるＨＳ−ＤＳＣＨセルをサポートする、符号化フローの一例を示す。
【０１７４】
一実施形態では、多重化が含まれないことがある。例えば、物理チャネルマッピングブロックまたはエンティティが、適切なチャネルマッピングが行われることを保証する場合、図３８〜４０に示された、例示された多重化ブロックまたはエンティティが含まれないことがある。図４１は、図３３に例示された場合についての多重化のない同等の構造を例示する。同じ手法を図３８〜４０に例示された他の場合に対して使用することができる。
【０１７５】
個々のフィードバックチャネル毎のチャネル符号化は、独立して行われてもよい。チャネル符号化は、標準仕様（参照により本明細書に組み込まれている、非特許文献２参照）で規定されたものと同じエンコード方式を、本明細書で規定された異なるケースに対してそれぞれ再使用することができる。
【０１７６】
表１５〜１７は、チャネル符号化方式の例を示す。表１５〜１７では、チャネル符号化ケース「Ａ」は、フィードバックチャネルが、ＭＩＭＯモードで構成されないシングルＨＳ−ＤＳＣＨセルのためのフィードバック情報を搬送する時、そのチャネル符号化を、非特許文献２の４．７．２節に従って行うことができることを示すことができる。チャネル符号化ケース「Ｂ」は、フィードバックチャネルが、ＭＩＭＯモードで構成されたシングルＨＳ−ＤＳＣＨセルのためのフィードバック情報を搬送する時、そのチャネル符号化を、非特許文献２の４．７．３節に従って行うことができることを示すことができる。チャネル符号化ケース「Ｃ」は、フィードバックチャネルが、いずれもＭＩＭＯモードで構成されないデュアルＨＳ−ＤＳＣＨセルのためのフィードバック情報を搬送する時、そのチャネル符号化を、非特許文献２の４．７．３Ａ節に従って行うことができることを示すことができる。チャネル符号化ケース「Ｄ」は、フィードバックチャネルが、少なくとも１つがＭＩＭＯモードで構成されるデュアルＨＳ−ＤＳＣＨセルのためのフィードバック情報を搬送する時、そのチャネル符号化を、非特許文献２の４．７．３Ｂ節に従って行うことができることを示すことができる。
【０１７７】
本明細書に記載の平衡の設計原理が適用される場合、フィードバックチャネルにおいて使用されたチャネル符号化方式を、表１５に従って、多重セル送信の特定の構成に関連付けることができる。
【０１７８】
【表１６】
0005526242.tif 000017
【０１７９】
本明細書に記載の不平衡の設計原理が適用される場合、フィードバックチャネルにおいて使用されたチャネル符号化方式を、表１６に従って、多重セル送信の特定の構成に関連付けることができる。
【０１８０】
【表１７】
0005526242.tif 000018
以前の標準リリースからの符号化方式を使用することができる。例えば、ある符号化方式を、フィードバックチャネル内のキャリアのいずれもがＭＩＭＯモードで構成されない構成ケースに対して使用することができ、ある符号化方式を、フィードバックチャネル内の少なくとも１つキャリアがＭＩＭＯモードで構成される構成ケースに対して使用することができる。いくつかの構成におけるコードワードの実際の数が、使用されたコードブックにおけるものより少ない場合、ノードＢは、よりよいデコード性能のために、コードブックのサブセットをデコードすることを検討してもよい。２つの符号化方式の使用例を、表１７に示す。フィードバックチャネルの間にそれらのラベルによる違いはなく、したがって、これらのフィードバックチャネルは、符号化方式と関連付ける時、いかなる行においても入れ替え可能であることに留意されたい。ＣＱＩ／ＰＣＩ符号化方式が別の形式のエンコードを取る場合、表１７がＨＡＲＱ−ＡＣＫコードブックに適用されてもよい。表１７は、２つのコードブックを使用することによってセル構成に関連付けられた、チャネル符号化方式を示す。
【０１８１】
【表１８】
0005526242.tif 000019
【０１８２】
一実施形態では、電力オフセットが、ＨＡＲＱ  ＡＣＫスロットについて決定されてもよい。３つまたは４つのキャリアがアクティブ化される４Ｃ−ＨＳＤＰＡシステムでは、ＨＳ−ＤＰＣＣＨ１およびＨＳ−ＤＰＣＣＨ２  ＨＡＲＱ  ＡＣＫスロットのための電力オフセッティングは、表１８に示すルールに従ってもよい。電力オフセット設定は、ＨＳ−ＤＰＣＣＨ１およびＨＳ−ＤＰＣＣＨ２で使用されたＡＣＫ／ＮＡＣＫコードブックによって決まってもよい。
【０１８３】
例えば、表１８に示す電力オフセット設定ルールを適用して、ＨＳ−ＤＰＣＣＨ１  ＨＡＲＱ  ＡＣＫスロットのための電力オフセットＡｈｓ１を決定することができる。表１８のルールを適用して、ＨＳ−ＤＰＣＣＨ２  ＨＡＲＱ  ＡＣＫスロットのための電力オフセットＡｈｓ２を決定することができる。電力オフセットＡｈｓ＝ｍａｘ（Ａｈｓ１，Ａｈｓ２）が決定されてもよい。ＷＴＲＵは、Ａｈｓを、拡散係数１２８でのＨＳ−ＤＰＣＣＨ１およびＨＳ−ＤＰＣＣＨ２の連結でありうる、ＨＳ−ＤＰＣＣＨ  ＨＡＲＱ  ＡＣＫスロットに適用してもよい。ＷＴＲＵは、Ａｈｓを、ＳＦ２５６でのＨＳ−ＤＰＣＣＨ１およびＨＳ−ＤＰＣＣＨ２の重ね合わせでありうる、ＨＳ−ＤＰＣＣＨ  ＨＡＲＱ  ＡＣＫスロットに適用してもよい。一実施形態では、異なる電力オフセットが、２つのフィードバックチャネルに独立して適用されてもよい。
【０１８４】
電力オフセットルールは、２つのＨＡＲＱ−ＡＣＫコードワード、または、ＨＳ−ＤＰＣＣＨ１およびＨＳ−ＤＰＣＣＨ２のＨＡＲＱ−ＡＣＫに独立して適用されてもよい。これらの２つのうち最大の電力オフセットを、タイムスロット内で送信のために使用することができる。表１８および１９のルールは、ＨＳ−ＤＰＣＣＨ内のＨＡＲＱ−ＡＣＫフィールドの電力オフセットを設定するためのルールの例である。これにより、２つの異なる電力オフセットが第１のＨＡＲＱ−ＡＣＫコードワードおよび第２のＨＡＲＱ−ＡＣＫコードワード（または、ＨＳ−ＤＰＣＣＨ１およびＨＳ−ＤＰＣＣＨ２のＨＡＲＱ−ＡＣＫ）に対して使用されることになる場合、ＷＴＲＵがハーフスロットで送信電力を変更することを防ぐことができる。
【０１８５】
一実施形態では、電力オフセット設定が動的に調整されてもよい。例えば、ルールの使用は、キャリアアクティブ化／非アクティブ化に基づいてもよい。電力オフセット設定は、フィードバックチャネルに関連付けられたアクティブなセルのＭＩＭＯ構成状況に基づいて選択されてもよい。例えば、ＭＩＭＯを有する１つのキャリアがフィードバックチャネル内で非アクティブ化され、同じフィードバックチャネル内の残りのキャリアがＭＩＭＯにより構成されない時、ＷＴＲＵにおける他のキャリアがＭＩＭＯモードで構成されるかどうかにかかわらず、このフィードバックチャネルの電力オフセット設定は、より低い値に改変されてもよい。最大値を共通設定として使用すると、タイムスロットの途中での急な電力変化を回避することができる。
【０１８６】
【表１９】
0005526242.tif 000020
【０１８７】
表１８では、１Ａ、２Ａおよび３Ａのためのルールは、表１９で規定され、１Ｂ、２Ｂ、３Ｂのためのルールは、表２０で規定される。
【０１８８】
一実施形態では、１つまたは２つのキャリアがアクティブ化される場合、第１のフィードバックチャネル／グループからのフィードバック情報は、第２のフィードバックチャネルに複製されてもよい。同じレベルのＨＳ−ＤＰＣＣＨ送信信頼性を維持するために、より少ない電力が必要とされうる。一実施形態では、ＷＴＲＵが２つのハーフスロットに渡ってＨＡＲＱ−ＡＣＫを繰り返すように構成される時、表１８のルールを使用することができる。これは、例えば、ＷＴＲＵが、１つもしくは２つのアクティブ化されたセル、または、ゼロもしくは１つのセカンダリサービングＨＳ−ＤＳＣＨセルを有する時、起こりうる。電力オフセットは、量子化テーブル内で１ステップダウンだけ低減されてもよい。このステップダウンにより、ＷＴＲＵ側からより少ない送信電力を必要とすることがある反復の使用を補うことができる。
【０１８９】
【表２０】
0005526242.tif 000021
【０１９０】
【表２１】
0005526242.tif 000022
【０１９１】
ルール１Ｂ、２Ｂおよび３Ｂは、Ａhsが、対応する条件を有する表１９における１Ａ、２Ａ、３Ａからそれぞれ計算された後、Ａhsから固定量の電力を調整する（例えば、３ｄＢを低減する）ことによって、導出可能である。
【０１９２】
ＷＴＲＵが、反復を適用するように構成される時、ルール１Ｂ、２Ｂおよび３Ｂは、結果として生じるＡhsを３ｄＢだけ低減することによって、または、量子化テーブルからの固定数のステップダウンによって、実装可能である。例えば、ＷＴＲＵが、２つに満たないセカンダリサービングＨＳ−ＤＳＣＨセルをアクティブで有する場合、Ａhsは、固定されたＸｄＢ（例えば、３ｄＢ）でありうる固定値だけ、または、量子化テーブルのＮ（例えば、１もしくは２）ステップダウンから値を導出することによって、低減されてもよい。
【０１９３】
一実施形態では、３つ以上のセルがアクティブ化されてもよい。ＷＴＲＵが、フィードバックチャネル／グループ内のアクティブなセルのいずれにおいてもＭＩＭＯモードで構成されない場合、２つのアクティブなセルをサポートするフィードバックグループに関連付けられたＨＡＲＱ−ＡＣＫのための電力オフセット設定を、ルール２Ａに従って計算することができ、１つのアクティブなセルをサポートするフィードバックグループに関連付けられたＨＡＲＱ−ＡＣＫのための電力オフセット設定を、ルール１Ａに従って計算することができる。ＷＴＲＵが、グループ内のセルのいずれか１つにおいてＭＩＭＯモードで構成される場合、２つのアクティブなセルをサポートするフィードバックグループに関連付けられたＨＡＲＱ−ＡＣＫのための電力オフセット設定を、ルール３Ａに従って計算することができ、１つのアクティブなセルをサポートするフィードバックグループに関連付
けられたＨＡＲＱ−ＡＣＫのための電力オフセット設定を、ルール１Ａに従って計算することができる。
【０１９４】
一実施形態では、２つ、または、２つに満たないセルがアクティブ化されてもよい。ＷＴＲＵが、フィードバックチャネル／グループ内のアクティブなセルのいずれにおいてもＭＩＭＯモードで構成されない場合、２つのアクティブなセルをサポートするフィードバックグループに関連付けられたＨＡＲＱ−ＡＣＫのための電力オフセット設定を、ルール２Ｂに従って計算することができ、１つのアクティブなセルをサポートするフィードバックグループに関連付けられたＨＡＲＱ−ＡＣＫのための電力オフセット設定を、ルール１Ｂに従って計算することができる。アクティブ化される２つ、および、２つに満たないセルがあり、かつ、ＷＴＲＵが、グループ内のセルのいずれか１つにおいてＭＩＭＯモードで構成される場合、２つのアクティブなセルをサポートするフィードバックグループに関連付けられたＨＡＲＱ−ＡＣＫのための電力オフセット設定を、ルール３Ｂに従って計算することができ、１つのアクティブなセルをサポートするフィードバックグループに関連付けられたＨＡＲＱ−ＡＣＫのための電力オフセット設定を、ルール１Ｂに従って計算することができる。
【０１９５】
２つのフィードバックチャネルのための共通設定を計算することができる。例えば、２つのフィードバックチャネルのうち最大の電力オフセット値が、ＨＡＲＱ−ＡＣＫ送信に割り振られたタイムスロット（例えば、図９に示すようなサブフレーム内の第１のスロット）に適用されてもよい。最大値はサブフレーム毎に計算されてもよい。最大値は、テーブル内に格納された値のセットにより事前計算されてもよい。このセットの電力設定値を、ＨＡＲＱ−ＡＣＫスロットへのテーブルルックアップを用いて適用することができる。
【０１９６】
例えば、ＨＡＲＱ  ＡＣＫ電力オフセットを以下のように決定することができる。プライマリキャリア／サービングセルを含むフィードバックグループでは、Ａhs1を、ＨＡＲＱ確認応答を搬送するＨＳ−ＤＰＣＣＨスロットのためのＡhs値として示す。Secondary_Cell_Activeが０である場合、Ａhs1は、対応するＨＡＲＱ−ＡＣＫメッセージがＡＣＫである場合、信号で送られた値ΔACKから変換された量子化された振幅比に等しいことが可能であり、Ａhs1は、対応するＨＡＲＱ−ＡＣＫメッセージがＮＡＣＫである場合、信号で送られた値ΔNACKから変換された量子化された振幅比に等しいことが可能であり、Ａhs1は、対応するＨＡＲＱ−ＡＣＫメッセージがシングルトランスポートブロックの前のＰＲＥ、または、シングルトランスポートブロックの後のＰＯＳＴである場合、信号で送られた値ΔACKおよびΔNACKのうち最大のものから変換された量子化された振幅比に等しいことが可能である。Ａhs1は、対応するＨＡＲＱ−ＡＣＫメッセージがＡＣＫ／ＡＣＫである場合、信号で送られた値ΔACK＋１から変換された量子化された振幅比に等しいことが可能であり、Ａhs1は、対応するＨＡＲＱ−ＡＣＫメッセージがＮＡＣＫ／ＮＡＣＫである場合、信号で送られた値ΔNACK＋１から変換された量子化された振幅比に等しいことが可能であり、Ａhs1は、対応するＨＡＲＱ−ＡＣＫメッセージがＡＣＫ／ＮＡＣＫ、ＮＡＣＫ／ＡＣＫ、デュアルトランスポートブロックの前のＰＲＥ、またはデュアルトランスポートブロックの後のＰＯＳＴである場合、（ΔACK＋１）および（ΔNACK＋１）のうち最大のものから変換された量子化された振幅比に等しいことが可能である。
【０１９７】
Secondary_Cell1_Activeが０でない場合、かつ、ＷＴＲＵがＭＩＭＯモードで構成されない場合、Ａhs1は、対応するＨＡＲＱ−ＡＣＫメッセージが少なくとも１つのＡＣＫを含むが、ＮＡＣＫを含まない場合、信号で送られた値ΔACK＋１から変換された、量子化された振幅比に等しいことが可能であり、Ａhs1は、対応するＨＡＲＱ−ＡＣＫメッセージが少なくとも１つのＮＡＣＫを含むが、ＡＣＫを含まない場合、信号で送られた値ΔNACK＋１から変換された、量子化された振幅比に等しいことが可能であり、Ａhs1は、対応するＨＡＲＱ−ＡＣＫメッセージがＡＣＫおよびＮＡＣＫを共に含むか、または、ＰＲＥもしくはＰＯＳＴである場合、（ΔACK＋１）および（ΔNACK＋１）のうち最大のものから変換された量子化された振幅比に等しいことが可能である。
【０１９８】
Secondary_Cell1_Activeが０でない場合、かつ、ＷＴＲＵがＭＩＭＯモードで構成される場合、Ａhs1は、対応するＨＡＲＱ−ＡＣＫメッセージが少なくとも１つのＡＣＫを含むが、ＮＡＣＫを含まない場合、信号で送られた値ΔACK＋１から変換された量子化された振幅比に等しいことが可能であり、Ａhs1は、対応するＨＡＲＱ−ＡＣＫメッセージが少なくとも１つのＮＡＣＫを含むが、ＡＣＫを含まない場合、信号で送られた値ΔNACK＋１から変換された量子化された振幅比に等しいことが可能であり、Ａhs1は、対応するＨＡＲＱ−ＡＣＫメッセージがＡＣＫおよびＮＡＣＫを共に含むか、または、ＰＲＥもしくはＰＯＳＴである場合、（ΔACK＋１）および（ΔNACK＋１）のうち最大のものから変換された量子化された振幅比に等しいことが可能である。
【０１９９】
プライマリキャリア／サービングセルを含まないフィードバックグループでは、Ａhs2を、ＨＡＲＱ確認応答を搬送するＨＳ−ＤＰＣＣＨスロットのためのＡhs値として示す。Secondary_Cell2_ActiveまたはSecondary_Cell3_Activeが０である場合、Ａhs2は、対応するＨＡＲＱ−ＡＣＫメッセージがＡＣＫである場合、信号で送られた値ΔACKから変換された量子化された振幅比に等しいことが可能であり、Ａhs2は、対応するＨＡＲＱ−ＡＣＫメッセージがＮＡＣＫである場合、信号で送られた値ΔNACKから変換された量子化された振幅比に等しいことが可能であり、Ａhs2は、対応するＨＡＲＱ−ＡＣＫメッセージがシングルトランスポートブロックの前のＰＲＥ、またはシングルトランスポートブロックの後のＰＯＳＴである場合、信号で送られた値ΔACKおよびΔNACKのうち最大のものから変換された量子化された振幅比に等しいことが可能である。Ａhs2は、対応するＨＡＲＱ−ＡＣＫメッセージがＡＣＫ／ＡＣＫである場合、信号で送られた値ΔACK＋１から変換された量子化された振幅比に等しいことが可能であり、Ａhs2は、対応するＨＡＲＱ−ＡＣＫメッセージがＮＡＣＫ／ＮＡＣＫである場合、信号で送られた値ΔNACK＋１から変換された量子化された振幅比に等しいことが可能であり、Ａhs2は、対応するＨＡＲＱ−ＡＣＫメッセージがＡＣＫ／ＮＡＣＫ、ＮＡＣＫ／ＡＣＫ、デュアルトランスポートブロックの前のＰＲＥ、またはデュアルトランスポートブロックの後のＰＯＳＴである場合、（ΔACK＋１）および（ΔNACK＋１）のうち最大のものから変換された量子化された振幅比に等しいことが可能である。
【０２００】
Secondary_Cell2_ActiveまたはSecondary_Cell3_Activeが０でない場合、かつ、ＷＴＲＵがＭＩＭＯモードで構成されない場合、Ａhs2は、対応するＨＡＲＱ−ＡＣＫメッセージが少なくとも１つのＡＣＫを含むが、ＮＡＣＫを含まない場合、信号で送られた値ΔACK＋１から変換された量子化された振幅比に等しいことが可能であり、Ａhs2は、対応するＨＡＲＱ−ＡＣＫメッセージが少なくとも１つのＮＡＣＫを含むが、ＡＣＫを含まない場合、信号で送られた値ΔNACK＋１から変換された量子化された振幅比に等しいことが可能であり、Ａhs2は、対応するＨＡＲＱ−ＡＣＫメッセージがＡＣＫおよびＮＡＣＫを共に含むか、または、ＰＲＥもしくはＰＯＳＴである場合、（ΔACK＋１）および（ΔNACK＋１）のうち最大のものから変換された量子化された振幅比に等しいことが可能である。
【０２０１】
Secondary_Cell2_ActiveまたはSecondary_Cell3_Activeが０でない場合、かつＷＴＲＵがＭＩＭＯモードで構成される場合、Ａhs2は、対応するＨＡＲＱ−ＡＣＫメッセージが少なくとも１つのＡＣＫを含むが、ＮＡＣＫを含まない場合、信号で送られた値ΔACK＋１から変換された量子化された振幅比に等しいことが可能であり、Ａhs2は、対応するＨＡＲＱ−ＡＣＫメッセージが少なくとも１つのＮＡＣＫを含むが、ＡＣＫを含まない場合、信号で送られた値ΔNACK＋１から変換された量子化された振幅比に等しいことが可能であり、Ａhs2は、対応するＨＡＲＱ−ＡＣＫメッセージがＡＣＫおよびＮＡＣＫを共に含むか、またはＰＲＥもしくはＰＯＳＴである場合、（ΔACK＋１）および（ΔNACK＋１）のうち最大のものから変換された量子化された振幅比に等しいことが可能である。
【０２０２】
一実施形態では、Ａhsは、計算された値Ａhs1およびＡhs2のうち最大のものに等しいことが可能である。
【０２０３】
一実施形態では、電力オフセット設定ＨＡＲＱ  ＡＣＫは、シミュレーション結果に基づいてもよい。４Ｃ−ＨＳＤＰＡでは、ＷＴＲＵにおいて構成／アクティブ化されたキャリアの数に基づいて、異なるＨＳ−ＤＰＣＣＨチャネルフォーマットが使用されてもよい。電力オフセットは、ＭＩＭＯが構成されるキャリアの数によって決まってもよい。ＨＡＲＱ  ＡＣＫのための電力オフセットを評価するため、Ｐｅ＿ｓｔｒと示されるストリーム毎、または、Ｐｅ＿ｃｗと示されるコードワード毎でありうる、特定の誤ったアラーム対象のための誤検出確率、および、Ｐｒ＿ＲＬＣと示されるＲＬＣ再送信確率が、メトリックとして使用され、ＨＡＲＱ−ＡＣＫのための電力オフセットルールを設計する時、Ｐｅ＿ｓｔｒ、Ｐｅ＿ｃｗおよびＰｒ＿ＲＬＣのための性能目標は、それぞれ１％、１％および０．０１％である。
【０２０４】
アクティブ化されたキャリアの数、および、ＭＩＭＯが構成されるキャリアの数などの異なる構成として、一致したコードブックのための性能目標をそれぞれ維持するために必要とされた最大電力オフセットが、加法性白色ガウス雑音（ＡＷＧＮ）チャネル内で実行するシミュレーションにより得られ、表２１に要約される。シミュレーションで使用された特定の誤ったアラーム対象は、それぞれ０．０１および０．１である。表２１は、最大電力オフセットシミュレーション結果を示す。
【０２０５】
【表２２】
0005526242.tif 000023
ＨＡＲＱ確認応答を搬送するＨＳ−ＤＰＣＣＨスロットのためのＨＳ−ＤＰＣＣＨ電力設定を、表２１のシミュレーション結果に基づいて決定することができる。例えば、３つまたは４つのキャリアがアクティブ化される４Ｃ−ＨＳＤＰＡシステムについて、Secondary_Cell_Activeが１より大きい時、電力オフセット設定方式をＨＡＲＱ  ＡＣＫフィールドについて後述する。表２１に示すように、Pe_strおよびPe_cwについて必要とされる最大電力オフセットは、類似している。
【０２０６】
一実施形態では、電力オフセットルールは、ストリーム毎、Pe_strに基づいて、ＨＡＲＱ−ＡＣＫについて決定されてもよい。例えば、ＨＳ−ＤＰＣＣＨチャネルは、４Ｃ−ＨＳＤＰＡ内で複数のＤＬデータストリームのためのフィードバックを搬送してもよく、例えば、４つのキャリアがＭＩＭＯにより構成され、ストリームの数が８である時、性能目標は、これらのストリームについて共に満たされうる。
【０２０７】
一実施形態では、ＨＡＲＱ−ＡＣＫ電力オフセット設定方式は、P_fa＝0.01に基づいてもよい。一例では、誤ったアラームの確率P_fa＝0.01、かつ、性能目標Pe_str＝1%である。最も大きい電力を必要とする最悪の場合のシナリオを含む、可能なシナリオについてのＨＡＲＱ−ＡＣＫ性能を保証するため、ＨＡＲＱ−ＡＣＫ電力オフセットは、表２２に示された、シミュレーションによって得られた、必要とされる最大電力オフセットより大きいように設定されてもよい。表２２は、Secondary_Cell_Activeが１より大きい時のＨＡＲＱ−ＡＣＫ電力オフセット設定である、電力オフセット設定方式の例を示す。
【０２０８】
【表２３】
0005526242.tif 000024
一実施形態では、ＨＡＲＱ−ＡＣＫ電力オフセット設定方式は、誤ったアラームの確率P_fa＝0.01、および、性能目標Pe_str＝1%に基づいてもよい。表２３は、Secondary_Cell_Activeが１より大きい、電力オフセット設定方式の例を示す。ＨＡＲＱ−ＡＣＫ電力オフセット設定は、シミュレーションによって得られた、必要とされる最大電力オフセットに十分近くなるように選択されてもよい。
【０２０９】
【表２４】
0005526242.tif 000025
【０２１０】
一実施形態では、ＨＡＲＱ−ＡＣＫ電力オフセット設定方式は、誤ったアラームの確率P_fa＝0.01、および、性能目標Pr_RLC＝0.01%に基づいてもよい。表２４は、Secondary_Cell_Activeが１より大きい、電力オフセット設定方式の例を示す。例えば、ＨＡＲＱ−ＡＣＫ電力オフセットは、ＨＡＲＱ−ＡＣＫ性能が保証可能となるように設定されてもよい。ＨＡＲＱ−ＡＣＫ電力オフセットは、シミュレーションによって得られた、必要とされる最大電力オフセットより大きくなるように設定されてもよい。
【０２１１】
【表２５】
0005526242.tif 000026
【０２１２】
一実施形態では、ＨＡＲＱ−ＡＣＫ電力オフセット設定方式は、誤ったアラームの確率P_fa＝0.01、および、性能目標Pr_RLC＝0.01%に基づいてもよい。表２５は、Secondary_Cell_Activeが１より大きい、電力オフセット設定方式の例を示す。例えば、ＨＡＲＱ−ＡＣＫ電力オフセットは、干渉レベルが増大される可能性がある時、ＨＡＲＱ−ＡＣＫ性能が保証可能となるように設定されてもよい。ＨＡＲＱ−ＡＣＫ電力オフセットは、シミュレーションによって得られた、必要とされる最大電力オフセットに十分近くなるように選択可能であるように、設定されてもよい。
【０２１３】
【表２６】
0005526242.tif 000027
【０２１４】
一実施形態では、ＨＡＲＱ−ＡＣＫ電力オフセット設定方式は、誤ったアラームの確率P_fa＝0.1、および、性能目標Pe_str＝1%に基づいてもよい。表２６は、Secondary_Cell_Activeが１より大きい、電力オフセット設定方式の例を示す。ＨＡＲＱ−ＡＣＫ電力オフセットは、シミュレーションによって得られた、必要とされる最大電力オフセットより大きくなるように設定されてもよい。
【０２１５】
【表２７】
0005526242.tif 000028
【０２１６】
一実施形態では、ＨＡＲＱ−ＡＣＫ電力オフセット設定方式は、誤ったアラームの確率P_fa＝0.1、および、性能目標Pe_str＝1%に基づいてもよい。表２７は、Secondary_Cell_Activeが１より大きい、電力オフセット設定方式の例を示す。ＨＡＲＱ−ＡＣＫ電力オフセットは、シミュレーションによって得られた、必要とされる最大電力オフセットより大きくなるように設定されてもよい。
【０２１７】
【表２８】
0005526242.tif 000029
【０２１８】
一実施形態では、ＨＡＲＱ−ＡＣＫ電力オフセット設定方式は、誤ったアラームの確率P_fa＝0.1、および、性能目標Pe_str＝1%に基づいてもよい。表２８は、Secondary_Cell_Activeが１より大きい、電力オフセット設定方式の例を示す。例えば、ＨＡＲＱ−ＡＣＫ電力オフセットは、干渉レベルが増大される可能性がある時、ＨＡＲＱ−ＡＣＫ性能が保証可能となるように設定されてもよい。ＨＡＲＱ−ＡＣＫ電力オフセットは、シミュレーションによって得られた、必要とされる最大電力オフセットに十分近くなるように設定されてもよい。
【０２１９】
【表２９】
0005526242.tif 000030
【０２２０】
一実施形態では、ＨＡＲＱ−ＡＣＫ電力オフセット設定方式は、誤ったアラームの確率P_fa＝0.1、および、性能目標Pr_RLC＝0.01%に基づいてもよい。表２９は、Secondary_Cell_Activeが１より大きい、電力オフセット設定方式の例を示す。例えば、ＨＡＲＱ−ＡＣＫ電力オフセットは、最も大きい電力が必要とされる時、ＨＡＲＱ−ＡＣＫ性能が保証可能となるように設定されてもよい。ＨＡＲＱ−ＡＣＫ電力オフセットは、シミュレーションによって得られた、必要とされる最大電力オフセットよりも大きくなりうるように設定されてもよい。
【０２２１】
【表３０】
0005526242.tif 000031
【０２２２】
一実施形態では、ＨＡＲＱ−ＡＣＫ電力オフセット設定方式は、誤ったアラームの確率P_fa＝0.1、および、性能目標Pr_RLC＝0.01%に基づいてもよい。表３０は、Secondary_Cell_Activeが１より大きい、電力オフセット設定方式の例を示す。例えば、ＨＡＲＱ−ＡＣＫ電力オフセットは、最も大きい電力が必要とされる時、ＨＡＲＱ−ＡＣＫ性能が保証可能となるように設定されてもよい。ＨＡＲＱ−ＡＣＫ電力オフセットは、シミュレーションによって得られた、必要とされる最大電力オフセットよりも大きくなりうるように設定されてもよい。
【０２２３】
【表３１】
0005526242.tif 000032
【０２２４】
一実施形態では、ＨＡＲＱ−ＡＣＫ電力オフセット設定方式は、誤ったアラームの確率P_fa＝0.1、および、性能目標Pr_RLC＝0.01%に基づいてもよい。表３１は、Secondary_Cell_Activeが１より大きい、電力オフセット設定方式の例を示す。例えば、ＨＡＲＱ−ＡＣＫ電力オフセットは、干渉レベルが増大される時、ＨＡＲＱ−ＡＣＫ性能が保証可能となるように設定されてもよい。ＨＡＲＱ−ＡＣＫ電力オフセットは、シミュレーションによって得られた、必要とされる最大電力オフセットに十分近くなりうるように設定されてもよい。
【０２２５】
【表３２】
0005526242.tif 000033
【０２２６】
３つまたは４つのキャリアがアクティブ化される４Ｃ−ＨＳＤＰＡシステムでは、ＨＳ−ＤＰＣＣＨ１およびＨＳ−ＤＰＣＣＨ２  ＣＱＩスロットのための電力オフセッティングは、表３１に記載されたルールに従ってもよい。電力オフセッティングは、ＨＳ−ＤＰＣＣＨ１およびＨＳ−ＤＰＣＣＨ２上で搬送されたＣＱＩタイプによって決まってもよい。電力オフセッティングは、ＣＱＩレポーティングに適用されたエンコード方式に関連することがある。
【０２２７】
一実施形態では、ＨＳ−ＤＰＣＣＨ  ＣＱＩスロットのための電力オフセットを、以下のように決定することができる。ＨＳ−ＤＰＣＣＨ１  ＣＱＩスロットのための電力オフセットＡhs1を、表３２に記載されたルールに従って決定することができる。ＨＳ−ＤＰＣＣＨ２  ＣＱＩスロットのための電力オフセットＡhs2を、表３２に記載されたルールに従って決定することができる。Ａhs1とＡhs2の間のより大きい方を、ＨＳ−ＤＰＣＣＨ  ＣＱＩスロットのための電力オフセットＡhsとして使用してもよく、例えば、Ａhs＝ｍａｘ（Ａhs1，Ａhs2）である。ＨＳ−ＤＰＣＣＨ  ＣＱＩスロットは、拡散係数１２８でのＨＳ−ＤＰＣＣＨ１およびＨＳ−ＤＰＣＣＨ２の連結、または、ＳＦ２５６でのＨＳ−ＤＰＣＣＨ１およびＨＳ−ＤＰＣＣＨ２の重ね合わせを含んでもよい。
【０２２８】
一実施形態では、異なる電力オフセットが、２つのフィードバックチャネルに独立して適用される。例えば、電力オフセットＡhs1が決定されてもよく、ＨＳ−ＤＰＣＣＨ１  ＰＣＩ／ＣＱＩフィールドに適用されてもよく、電力オフセットＡhs2が決定されてもよく、ＨＳ−ＤＰＣＣＨ２  ＰＣＩ／ＣＱＩフィールドに適用されてもよい。
【０２２９】
一実施形態では、電力オフセット設定が動的に調整されてもよい。例えば、これらのルールの使用は、キャリアアクティブ化／非アクティブ化に基づいてもよい。例えば、これらのルールの使用は、セルの各々に対して使用されたチャネル符号化方式に基づいてもよい。フィードバックグループ／チャネルの中の最大電力オフセット値を共通設定として使用することで、フィードバックチャネル上で均一の電力設定を保つことができる。
【０２３０】
【表３３】
0005526242.tif 000034
【０２３１】
例えば、電力オフセットは、サービングセル毎に独立して決定されてもよい。電力オフセットは、フィードバックグループ内またはフィードバックチャネル内について、独立して決定されてもよい。表３２では、２つのＣＱＩタイプを含む表のセルは、ＣＱＩ／ＰＣＩレポートのための電力オフセットが、フィードバックグループ内の２つのサービングセルの各々毎に別々に決定されうることを、示すことができる。例えば、「１Ｃまたは３Ｃ」を含む表のセルは、ルール１ＣがタイプＡのＣＱＩレポートに適用可能であり、ルール３Ｃが、そのセルがＭＩＭＯモードで構成される場合はタイプＢ、または、そのセルがＭＩＭＯモードで構成されない場合は通常のＣＱＩタイプの、ＣＱＩレポートに適用可能であることを示すことができる。
【０２３２】
表３２における、ルール１Ｃ、２Ｃおよび３Ｃが表３３に記載され、ルール１Ｄ、２Ｄおよび３Ｄが表３４に記載される。２つ以下のキャリアがアクティブである時、ルール１Ｄ、２Ｄおよび３Ｄが適用されてもよく、繰り返された送信が第２のフィードバックチャネル上で行われる。
【０２３３】
例えば、ＷＴＲＵが、ＨＳ−ＤＰＣＣＨの２つのスロットに渡ってＰＣＩ／ＣＱＩを繰り返すように構成される時、表３４のルールを使用することができる。例えば、ＷＴＲＵが、１つもしくは２つのアクティブ化されたセル、または、ゼロもしくは１つのセカンダリサービングＨＳ−ＤＳＣＨセルを有する時、ＰＣＩ／ＣＱＩレポートが、２つのスロットに渡って繰り返されてもよい。一実施形態では、電力オフセットは、例えば、テーブル内で１ステップダウンだけ低減されて、ＷＴＲＵ側からより少ない送信電力を必要とすることがある反復の使用を補うようにしてもよい。
【０２３４】
【表３４】
0005526242.tif 000035
【０２３５】
【表３５】
0005526242.tif 000036
【０２３６】
ルール１Ｄ、２Ｄおよび３Ｄは、Ａhsが、対応する条件を有する表３３における１Ｃ、２Ｃ、３Ｃからそれぞれ計算された後、Ａhsから固定量の電力を調整する（例えば、３ｄＢを低減する）ことによって導出可能である。
【０２３７】
ＷＴＲＵが、反復を適用するように構成される時、ルール１Ｄ、２Ｄおよび３Ｄは、結果として生じるＡhsをＸｄＢだけ低減することによって、または、量子化テーブルからの固定数のステップダウンによって、実装可能である。例えば、ＷＴＲＵが、２つに満たないセカンダリサービングＨＳ−ＤＳＣＨセルをアクティブで有する場合、Ａhsは、固定されたＸｄＢ（例えば、３ｄＢ）でありうる固定値だけ、または、量子化テーブルのＮ（例えば、１もしくは２）ステップダウンから値を導出することによって、低減されてもよい。
【０２３８】
一実施形態では、３つ以上のセルがアクティブ化されてもよい。ＷＴＲＵが、フィードバックチャネル／グループ内のアクティブなセルのいずれにおいてもＭＩＭＯモードで構成されない場合、２つのアクティブなセルをサポートするフィードバックグループに関連付けられたＣＱＩのための電力オフセット設定を、ルール２Ｃに従って計算することができ、１つのアクティブなセルをサポートするフィードバックグループに関連付けられたＣＱＩのための電力オフセット設定を、ルール３Ｃによって計算することができる。ＷＴＲＵが、グループ内のセルのいずれか１つにおいてＭＩＭＯモードで構成される場合、タイプＡのＣＱＩが送信される時、このグループのためのＣＱＩ／ＰＣＩスロットのための電力オフセット設定を、ルール１Ｃに従って計算することができ、タイプＢのＣＱＩが送信される時、このグループのためのＣＱＩ／ＰＣＩスロットのための電力オフセット設定を、ルール３Ｃによって計算することができる。
【０２３９】
一実施形態では、２つ以下のセルがアクティブ化されてもよい。ＷＴＲＵが、アクティブなセルのいずれにおいてもＭＩＭＯモードで構成されない場合、２つのアクティブなセルをサポートするフィードバックグループに関連付けられたＣＱＩのための電力オフセット設定を、ルール２Ｄに従って計算することができ、１つのアクティブなセルをサポートするフィードバックグループに関連付けられたＣＱＩのための電力オフセット設定を、ルール３Ｄに従って計算することができる。ＷＴＲＵが、これらのセルのいずれか１つにおいてＭＩＭＯモードで構成される場合、タイプＡのＣＱＩが送信される時、このグループのためのＣＱＩ／ＰＣＩスロットのための電力オフセット設定を、ルール１Ｄに従って計算することができ、タイプＢのＣＱＩが送信される時、このグループのためのＣＱＩ／ＰＣＩスロットのための電力オフセット設定を、ルール３Ｄに従って計算することができる。
【０２４０】
表３５は、ＣＱＩ電力オフセット設定の実装の一例を示す。
【０２４１】
【表３６】
0005526242.tif 000037
【０２４２】
表３５における２つのＣＱＩタイプを含むセルは、ＣＱＩ／ＰＣＩレポートが２つのセルの各々毎に別々にエンコードかつ送信されうることを示すことができる。例えば、「１Ｃまたは３Ｃ」を含むセルは、ルール１ＣがタイプＡのＣＱＩレポートに適用可能であり、ルール３Ｃが、そのセルがＭＩＭＯモードで構成される場合はタイプＢ、または、そのセルがＭＩＭＯモードで構成されない場合は通常のＣＱＩタイプの、ＣＱＩレポートに適用可能であることを示すことができる。
【０２４３】
例えば、３つ以上のセルがアクティブ化されてもよい。ＷＴＲＵが、アクティブなセルのいずれにおいてもＭＩＭＯモードで構成されない場合、２つのアクティブなセルをサポートするフィードバックグループに関連付けられたＣＱＩのための電力オフセット設定を、ルール２Ｃに従って計算することができ、１つのアクティブなセルをサポートするフィードバックグループに関連付けられたＣＱＩのための電力オフセット設定を、ルール３Ｃに従って計算することができる。ＷＴＲＵが、グループ内のセルのいずれか１つにおいてＭＩＭＯモードで構成される場合、タイプＡのＣＱＩが送信される時、このグループのためのＣＱＩ／ＰＣＩスロットのための電力オフセット設定を、ルール１Ｃに従って計算することができ、タイプＢのＣＱＩが送信される時、このグループのためのＣＱＩ／ＰＣＩスロットのための電力オフセット設定を、ルール３Ｃに従って計算することができる。
【０２４４】
例えば、２つ以下のセルがアクティブ化されてもよい。ＷＴＲＵが、アクティブなセルのいずれにおいてもＭＩＭＯモードで構成されない場合、２つのアクティブなセルをサポートするフィードバックグループに関連付けられたＣＱＩのための電力オフセット設定を、ルール２Ｄに従って計算することができ、１つのアクティブなセルをサポートするフィードバックグループに関連付けられたＣＱＩのための電力オフセット設定を、ルール３Ｄに従って計算することができる。ＷＴＲＵが、これらのセルのいずれか１つにおいてＭＩＭＯモードで構成される場合、タイプＡのＣＱＩが送信される時、このグループのためのＣＱＩ／ＰＣＩスロットのための電力オフセット設定を、ルール１Ｄに従って計算することができ、タイプＢのＣＱＩが送信される時、このグループのためのＣＱＩ／ＰＣＩスロットのための電力オフセット設定を、ルール３Ｄに従って計算することができる。
【０２４５】
表３６は、ＣＱＩ電力オフセット設定の実装の一例を示す。これらのセルのためのＣＱＩ／ＰＣＩレポートは、３つ以上のキャリアがアクティブ化される時、ＴＤＭ方式で個々にエンコードかつ送信されてもよい。
【０２４６】
【表３７】
0005526242.tif 000038
【０２４７】
表３６における２つのＣＱＩタイプを含むセルは、ＣＱＩ／ＰＣＩレポートが２つのセルの各々毎に別々にエンコードかつ送信されうることを示すことができる。例えば、「１Ｃまたは３Ｃ」を含むセルは、ルール１ＣがタイプＡのＣＱＩレポートに適用可能であり、ルール３Ｃが、そのセルがＭＩＭＯモードで構成される場合はタイプＢ、または、そのセルがＭＩＭＯモードで構成されない場合は通常のＣＱＩタイプの、ＣＱＩレポートに適用可能であることを示すことができる。
【０２４８】
表３７は、ＣＱＩ電力オフセット設定の実装の一例を示す。例えば、３つの非ＭＩＭＯキャリアが構成されてもよい。
【０２４９】
【表３８−１】
0005526242.tif 000039
【０２５０】
【表３８−２】
0005526242.tif 000040
【０２５１】
「ＨＳ−ＤＰＣＣＨのＣＱＩタイプ」を示す列は、ＣＱＩレポートのエンコードのために使用されたチャネル符号化方式に関連することが可能である。例えば、ＳＣは（２０，５）リードマラー符号に関連することが可能であり、ＤＣは（２０，１０）符号に関連することが可能であり、ＳＣ−ＭＩＭＯは、タイプＡ  ＣＱＩでは（２０，１０）符号、または、タイプＢ  ＣＱＩレポートでは（２０，７）符号に関連することが可能である。
【０２５２】
一実施形態では、ＨＳ−ＤＰＣＣＨ  ＣＱＩ送信は、４ｍｓの最小フィードバックサイクルおよび異なる処理利得を有して、４Ｃ−ＨＳＤＰＡ内でキャリア毎であってもよい。例えば、拡散係数２５６は、ＭＩＭＯが構成されない３Ｃに対して使用可能であり、拡散係数１２８は、４Ｃ−ＨＳＤＰＡ内の残りの構成に対して使用可能である。ＣＱＩを搬送するＨＳ−ＤＰＣＣＨスロットのためのＨＳ−ＤＰＣＣＨ電力オフセットを、表３８に示すように決定することができる。
【０２５３】
【表３９】
0005526242.tif 000041
【０２５４】
拡散係数１２８による処理利得の損失を控えめに補うために、表３９に示すように、方式１：ＣＱＩを搬送するＨＳ−ＤＰＣＣＨスロットのためのＨＳ−ＤＰＣＣＨ電力設定の、３行目および４行目のための電力オフセットステップに１を加算することによって、方式２を実装することができる。表３９は、方式２：ＣＱＩ電力オフセット設定を示す。
【０２５５】
【表４０】
0005526242.tif 000042
【０２５６】
一実施形態では、ＣＱＩ／ＰＣＩのための電力オフセットを以下のように行うことができる。例えば、３つ以上のセルがアクティブ化されてもよい。ＷＴＲＵが、グループ内のアクティブなセルのいずれにおいてもＭＩＭＯモードで構成されない場合、全てのセルのためのＣＱＩのための電力オフセット設定をルール３Ｃに従って計算することができる。ＷＴＲＵが、グループ内のセルのいずれか１つにおいてＭＩＭＯモードで構成される場合、タイプＡのＣＱＩが送信される時、このグループのためのＣＱＩ／ＰＣＩスロットのための電力オフセット設定を、ルール１Ｃに従って計算することができ、タイプＢのＣＱＩが送信される時、このグループのためのＣＱＩ／ＰＣＩスロットのための電力オフセット設定を、ルール３Ｃに従って計算することができる。
【０２５７】
例えば、２つ以下のセルがアクティブ化されてもよい。ＷＴＲＵが、アクティブなセルのいずれにおいてもＭＩＭＯモードで構成されない場合、２つのアクティブなセルをサポートするフィードバックグループに関連付けられたＣＱＩのための電力オフセット設定を、ルール２Ｄに従って計算することができ、１つのアクティブなセルをサポートするフィードバックグループに関連付けられたＣＱＩのための電力オフセット設定を、ルール３Ｄに従って計算することができる。ＷＴＲＵが、これらのセルのいずれか１つにおいてＭＩＭＯモードで構成される場合、タイプＡのＣＱＩが送信される時、このグループのためのＣＱＩ／ＰＣＩスロットのための電力オフセット設定を、ルール１Ｄに従って計算することができ、タイプＢのＣＱＩが送信される時、このグループのためのＣＱＩ／ＰＣＩスロットのための電力オフセット設定は、ルール３Ｄによって計算される。
【０２５８】
例えば、ＤＬキャリアの対は、プライマリキャリアを含んでもよい。ＣＱＩを搬送するＨＳ−ＤＰＣＣＨスロットのためのＡhsを以下のように決定することができる。タイプＡのＣＱＩが送信される時、Ａhs1は、信号で送られた値ΔCQI＋１から変換された量子化された振幅比に等しいことが可能である。そうでない場合、ＷＴＲＵがＭＩＭＯモードで構成されず、かつ、Secondary_Cell1_Activeが０でない場合、Ａhs1は、信号で送られた値ΔCQI＋１から変換された量子化された振幅比に等しいことが可能である。そうでない場合、Ａhs1は、信号で送られた値ΔCQIから変換された量子化された振幅比に等しいことが可能である。
【０２５９】
ＤＬキャリアの対の残りでは、ＣＱＩを搬送するＨＳ−ＤＰＣＣＨスロットのためのＡhsを、以下のように決定することができる。タイプＡのＣＱＩが送信される時、Ａhs2は、信号で送られた値ΔCQI＋１から変換された量子化された振幅比に等しいことが可能である。そうでない場合、ＷＴＲＵがＭＩＭＯモードで構成されず、かつ、Secondary_Cell2_Activeが０でなく、かつ、Secondary_Cell3_Activeが０でない場合、Ａhs2は、信号で送られた値ΔCQI＋１から変換された量子化された振幅比に等しいことが可能である。そうでない場合、Ａhs2は、信号で送られた値ΔCQIから変換された量子化された振幅比に等しいことが可能である。
【０２６０】
一実施形態では、Ａhsは、計算された値Ａhs1およびＡhs2のうち、最大のものに等しいことが可能である。
【０２６１】
静的な拡散係数切り替えは、ＨＳ−ＤＰＣＣＨの拡散係数が、構成されたキャリアの数に基づくことを意味する。例えば、３つまたは４つのキャリアが構成される時、拡散係数１２８が使用可能であり、２つ以下のキャリアが構成される時、拡散係数２５６が使用可能である。
【０２６２】
拡散係数１２８が、構成された３つまたは４つのキャリアの全ての場合に対して使用される場合、３つまたは４つのキャリアがアクティブ化される時の電力設定ルールは、上記のように従ってもよい。
【０２６３】
例えば、２つまたは３つのキャリアが非アクティブ化されてもよい。コードワード反復は、電力オフセット設定が適用される前に行われてもよい。一実施形態では、表１９および表３２の電力オフセット設定ルールを適用することができ、３ｄＢ電力低減を適用することができる。一実施形態では、ネットワークは、（ΔACK，ΔNACK、ΔCQI）など、２つのセットの電力オフセット値を信号で送ってもよく、１つのセットは拡散係数１２８用、および、１つのセットは拡散係数２５６用である。表１９および表３２に記載された電力オフセット設定ルールを、拡散係数２５６のために信号で送られた（ΔACK，ΔNACK，ΔCQI）の値を使用して、適用することができる。
【０２６４】
拡散係数２５６が、構成された２つ以下のキャリアの場合に対して使用される場合、電力設定ルールは、表１９および表３２に記載されたルールに従ってもよい。
【０２６５】
一実施形態では、動的な拡散係数切り替えが構成されてもよい。例えば、ＨＳ−ＤＰＣＣＨの拡散係数は、アクティブ化されたキャリアの数に基づいて変更されてもよい。例えば、３つまたは４つのキャリアがアクティブ化される時、拡散係数１２８が使用可能であり、２つまたは３つのキャリアが非アクティブ化される時、ＷＴＲＵは、例えば、ＨＳ−ＳＣＣＨオーダーを使用して、拡散係数２５６へ切り替えてもよい。拡散係数１２８が使用される時、上記の電力オフセット設定ルールが適用可能である。拡散係数２５６が使用される時、表１９および表３２に記載されたルールが適用可能である。拡散係数切り替えが起こる時、さらなるΔSF電力ブーストまたは低減が使用されて、切り替え方向（拡散係数１２８へ、または、拡散係数２５６への切り替え）に応じて、Ａhsの最終値が決定されてもよい。値ΔSFは、より高い層によって信号で送られてもよい。値ΔSFは、事前決定されてもよく、または、例えば、３ｄＢなどの固定値であってもよい。
【０２６６】
一実施形態では、電力オフセットは、アクティブ化／非アクティブ化オーダーに基づいて決定されてもよい。ＷＴＲＵが３つ以上のセルにより構成される、ＭＣ−ＨＳＤＰＡシステムなど、マルチキャリアでは、ＨＳ−ＳＣＣＨアクティブ化／非アクティブ化オーダーにより、ＨＳ−ＤＰＣＣＨフレームフォーマットが変化してもよい。例えば、ＨＳ−ＳＣＣＨアクティブ化／非アクティブ化オーダーによって、アクティブなセルの数が２に非アクティブ化されるか、または、２からそれ以上のセルにアクティブ化される時、ＨＡＲＱ−ＡＣＫおよびＣＱＩ／ＰＣＩレポートの両方のためのＨＳ−ＤＰＣＣＨフレームフォーマットが変化することがある。この変化は、反復モードの使用のためであることがある。１つまたは２つのセルがアクティブである場合の反復モード下の電力オフセットは、表１８および表３３に記載されたようなＷＴＲＵ送信電力使用が最適化されうるように、それに応じて改変されてもよい。
【０２６７】
ＨＳ−ＤＰＣＣＨフレームフォーマットの変化が起こる時、ＷＴＲＵおよびノードＢは、ＨＳ−ＤＰＣＣＨを一貫した方法で取り扱うことができるように、同期されてもよい。例えば、ＷＴＲＵが、２つのセルに非アクティブ化するための、または、２つからそれ以上のセルにアクティブ化するための、正しいＨＳ−ＳＣＣＨオーダーを受信する時、ＨＳ−ＤＰＣＣＨ内でレポートされたオーダーに対するＡＣＫの応答が、検出エラーにより、ノードＢによって誤って受信される。この場合、ノードＢは、アクティブなセルのための正しいＨＡＲＱ−ＡＣＫおよびＣＱＩ／ＰＣＩレポートを受信し続けることが困難であることがあり、その理由は、ノードＢがデコードのために使用するフレームフォーマットが、送信器から使用中であるものと一致しないことがあるからである。
【０２６８】
このエラーイベントの発生の確率を低減するため、アクティブ化／非アクティブ化オーダーに対するＡＣＫ応答を搬送する信号上の送信電力のブーストを使用することができる。例えば、ブーストがＨＡＲＱ−ＡＣＫスロット全体に適用されて、２つのフィードバックチャネルのための均一の電力設定を維持できるようにしてもよい。例えば、ブーストは、それを介してＡＣＫ応答が送信されるサブフレームの第１のタイムスロットに適用されてもよい。
【０２６９】
一実施形態では、アクティブ化／非アクティブ化オーダーに対するＡＣＫ応答を搬送するフィードバックチャネルのための電力オフセットを以下のように設定することができる。フィードバックチャネルが１つのセルをサポートする場合、Ａhsは、対応するＨＡＲＱ−ＡＣＫメッセージがＡＣＫである場合、信号で送られた値ΔACK＋１から変換された量子化された振幅比に等しいことが可能であり、Ａhsは、対応するＨＡＲＱ−ＡＣＫメッセージがＡＣＫ／ＡＣＫである場合、信号で送られた値ΔACK＋２から変換された量子化された振幅比に等しいことが可能であり、Ａhsは、対応するＨＡＲＱ−ＡＣＫメッセージがＡＣＫ／ＮＡＣＫ、ＮＡＣＫ／ＡＣＫ、デュアルトランスポートブロックの前のＰＲＥ、または、デュアルトランスポートブロックの後のＰＯＳＴである場合、（ΔACK＋２）および（ΔNACK＋１）のうち最大のものから変換された量子化された振幅比に等しいことが可能である。そうでない場合は、ＷＴＲＵがＭＩＭＯモードで構成されない場合、Ａhsは、対応するＨＡＲＱ−ＡＣＫメッセージが少なくとも１つのＡＣＫを含むが、ＮＡＣＫを含まない場合、信号で送られた値ΔACK＋２から変換された量子化された振幅比に等しいことが可能であり、Ａhsは、対応するＨＡＲＱ−ＡＣＫメッセージがＡＣＫおよびＮＡＣＫを共に含むか、または、ＰＲＥもしくはＰＯＳＴである場合、（ΔACK＋２）および（ΔNACK＋１）のうち最大のものから変換された量子化された振幅比に等しいことが可能である。ＷＴＲＵがＭＩＭＯモードで構成される場合、Ａhsは、対応するＨＡＲＱ−ＡＣＫメッセージが少なくとも１つのＡＣＫを含むが、ＮＡＣＫを含まない場合、信号で送られた値ΔACK＋２から変換された量子化された振幅比に等しいことが可能であり、Ａhsは、対応するＨＡＲＱ−ＡＣＫメッセージがＡＣＫおよびＮＡＣＫを共に含むか、または、ＰＲＥもしくはＰＯＳＴである場合、（ΔACK＋２）および（ΔNACK＋１）のうち最大のものから変換された量子化された振幅比に等しいことが可能である。
【０２７０】
一実施形態では、オーダーに対するＡＣＫ応答を搬送するフィードバックチャネルのためのＡhs値を、上記のように計算することができる。他のフィードバックチャネルのためのＡhs値が計算されてもよい。２つのうちより大きいものが、ＨＡＲＱ−ＡＣＫスロットに適用される共通電力オフセット設定であってもよい。
【０２７１】
この手法は、ＨＳ−ＳＣＣＨアクティブ化／非アクティブ化オーダーに対する、または、１Ｃ／２Ｃから３Ｃ／４Ｃへ、３Ｃ／４Ｃから１Ｃ／２Ｃへの間の移行の結果となるこれらのオーダーに対する、ＡＣＫ応答の場合に適用されてもよい。
【０２７２】
一実施形態では、アクティブ化／非アクティブ化オーダーに対するＡＣＫ応答を搬送するフィードバックチャネルのための電力オフセットを、以下のように設定することができる。２つのアクティブなセルへの非アクティブ化オーダーに対するＡＣＫ応答のためのＡhsを、以下のように決定することができる。フィードバックチャネルが１つのセルをサポートする場合、Ａhsは、対応するＨＡＲＱ−ＡＣＫメッセージがＡＣＫである場合、信号で送られた値ΔACK＋１から変換された、量子化された振幅比に等しいことが可能であり、Ａhsは、対応するＨＡＲＱ−ＡＣＫメッセージがＡＣＫ／ＡＣＫである場合、信号で送られた値ΔACK＋２から変換された量子化された振幅比に等しいことが可能であり、Ａhsは、対応するＨＡＲＱ−ＡＣＫメッセージがＡＣＫ／ＮＡＣＫ、ＮＡＣＫ／ＡＣＫ、デュアルトランスポートブロックの前のＰＲＥ、または、デュアルトランスポートブロックの後のＰＯＳＴである場合、（ΔACK＋２）および（ΔNACK＋１）のうち最大のものから変換された量子化された振幅比に等しいことが可能である。そうでない場合は、ＷＴＲＵがＭＩＭＯモードで構成されない場合、Ａhsは、対応するＨＡＲＱ−ＡＣＫメッセージが少なくとも１つのＡＣＫを含むが、ＮＡＣＫを含まない場合、信号で送られた値ΔACK＋２から変換された量子化された振幅比に等しいことが可能であり、Ａhsは、対応するＨＡＲＱ−ＡＣＫメッセージがＡＣＫおよびＮＡＣＫを共に含むか、または、ＰＲＥもしくはＰＯＳＴである場合、（ΔACK＋２）および（ΔNACK＋１）のうち最大のものから変換された量子化された振幅比に等しいことが可能である。そうでない場合は、Ａhsは、対応するＨＡＲＱ−ＡＣＫメッセージが少なくとも１つのＡＣＫを含むが、ＮＡＣＫを含まない場合、信号で送られた値ΔACK＋２から変換された量子化された振幅比に等しいことが可能であり、Ａhsは、対応するＨＡＲＱ−ＡＣＫメッセージがＡＣＫおよびＮＡＣＫを共に含むか、または、ＰＲＥもしくはＰＯＳＴである場合、（ΔACK＋２）および（ΔNACK＋１）のうち最大のものから変換された量子化された振幅比に等しいことが可能である。
【０２７３】
１つまたは２つから、３つ以上のアクティブなセルへの、アクティブ化オーダーに対するＡＣＫ応答のためのＡhsを、以下のように決定することができる。フィードバックチャネルが１つのセルをサポートする場合、Ａhsは、対応するＨＡＲＱ−ＡＣＫメッセージがＡＣＫである場合、信号で送られた値ΔACKから変換された量子化された振幅比に等しいことが可能であり、Ａhsは、対応するＨＡＲＱ−ＡＣＫメッセージがＡＣＫ／ＡＣＫである場合、信号で送られた値ΔACK＋１から変換された量子化された振幅比に等しいことが可能であり、Ａhsは、対応するＨＡＲＱ−ＡＣＫメッセージがＡＣＫ／ＮＡＣＫ、ＮＡＣＫ／ＡＣＫ、デュアルトランスポートブロックの前のＰＲＥ、または、デュアルトランスポートブロックの後のＰＯＳＴである場合、（ΔACK＋１）およびΔNACKのうちより大きいものから変換された量子化された振幅比に等しいことが可能である。そうでない場合は、ＷＴＲＵがＭＩＭＯモードで構成されない場合、Ａhsは、対応するＨＡＲＱ−ＡＣＫメッセージが少なくとも１つのＡＣＫを含むが、ＮＡＣＫを含まない場合、信号で送られた値ΔACK＋１から変換された量子化された振幅比に等しいことが可能であり、Ａhsは、対応するＨＡＲＱ−ＡＣＫメッセージがＡＣＫおよびＮＡＣＫを共に含むか、または、ＰＲＥもしくはＰＯＳＴである場合、（ΔACK＋１）およびΔNACKのうち最大のものから変換された量子化された振幅比に等しいことが可能である。そうでない場合は、Ａhsは、対応するＨＡＲＱ−ＡＣＫメッセージが少なくとも１つのＡＣＫを含むが、ＮＡＣＫを含まない場合、信号で送られた値ΔACK＋１から変換された量子化された振幅比に等しいことが可能であり、Ａhsは、対応するＨＡＲＱ−ＡＣＫメッセージがＡＣＫおよびＮＡＣＫを共に含むか、または、ＰＲＥもしくはＰＯＳＴである場合、（ΔACK＋１）およびΔNACKのうち最大のものから変換された量子化された振幅比に等しいことが可能である。
【０２７４】
アクティブ化／非アクティブ化オーダーに対する他のＡＣＫ応答では、値Ａhsを電力ブーストなしで計算することができる。
【０２７５】
一実施形態では、オーダーに対するＡＣＫ応答を搬送するフィードバックチャネルのためのＡhsを、上記のように計算することができる。他のフィードバックチャネルのためのＡhsが計算されてもよい。２つのうちより大きいものが、ＨＡＲＱ−ＡＣＫスロットに適用される共通電力オフセット設定であってもよい。
【０２７６】
例えば、ＨＳ−ＳＣＣＨアクティブ化／非アクティブ化オーダーに対する、または、１Ｃ／２Ｃから３Ｃ／４Ｃへ、３Ｃ／４Ｃから１Ｃ／２Ｃへの間の移行の結果となるオーダーに対する、ＡＣＫ応答である時、同じルールを適用して、フィードバックチャネルのための電力オフセット設定を計算することができる。一定の、または事前決定された電力ブースト（例えば、２ｄＢ）が、結果として生じる倍率Ａhsに適用されてもよい。
【０２７７】
一実施形態では、電力ブーストは、２つのアクティブなキャリアに対する非アクティブ化オーダーが受信された後、短期間に渡って延長されてもよい。これにより、前のセクションに記載されたエラーイベントの影響を緩和することができ、その理由は、ＨＳ−ＤＰＣＣＨ電力が既に反復モードで下方へ調整されて、ＷＴＲＵでの送信電力使用が最適化されうるからである。Ｎ個のサブフレームのための非アクティブ化がなかったかのように、同じ電力オフセット設定が維持されて、エラーイベントの場合に適用されたフレームフォーマットが誤りである場合であっても、ノードＢがＨＳ−ＤＰＣＣＨを正しくデコード可能でありうるようにしてもよい。
【０２７８】
例えば、基準時点が定義されてもよい。例えば、基準時間を、ＨＳ−ＳＣＣＨオーダーを受信した後１２．５（または、デュアルアップリンクキャリアが構成される場合、１８．５スロット）として定義することができる。値Ｎは、ノードＢがＭ回のＨＡＲＱ送信に対する応答を受信できるようにすることを目標として、１回の受信（サブフレームで表されたＲＴＴ）のための往復時間の整数：Ｎ＝Ｍ×ＲＲＴとして選択されてもよい。図４２は、延長された電力ブースト期間の図を例示する。
【０２７９】
例示のため、Ａhs,xは、フィードバックチャネルｘに関連付けられたＨＳ−ＤＰＣＣＨのための量子化された振幅比を示すことができ、ｘ＝１，２である。ＨＳ−ＤＰＣＣＨがデュアルフィードバックチャネルモードで動作する時、ΔACK、ΔNACKおよびΔCQIのための値は、より高い層によって設定されてもよく、第１のおよび第２のフィードバックチャネル／グループについて、それぞれ量子化された振幅比Ａhs,1およびＡhs,2に変換されてもよい。
【０２８０】
ＨＡＲＱ確認応答を搬送するＨＳ−ＤＰＣＣＨスロットのため、および、ＨＡＲＱ確認応答を搬送する各フィードバックチャネルのためのＡhsを、以下のように決定することができる。フィードバックチャネルが単一のＨＳ−ＤＳＣＨセルのためのＨＡＲＱ確認応答情報を搬送する場合、Ａhsは、対応するＨＡＲＱ−ＡＣＫメッセージがＡＣＫである場合、信号で送られた値ΔACKから変換された量子化された振幅比に等しいことが可能であり、Ａhsは、対応するＨＡＲＱ−ＡＣＫメッセージがＮＡＣＫである場合、信号で送られた値ΔNACKから変換された量子化された振幅比に等しいことが可能であり、Ａhsは、対応するＨＡＲＱ−ＡＣＫメッセージがシングルトランスポートブロックの前のＰＲＥ、または、シングルトランスポートブロックの後のＰＯＳＴである場合、信号で送られた値ΔACKおよびΔNACKのうち最大のものから変換された量子化された振幅比に等しいことが可能である。Ａhsは、対応するＨＡＲＱ−ＡＣＫメッセージがＡＣＫ／ＡＣＫである場合、信号で送られた値ΔACK＋１から変換された量子化された振幅比に等しいことが可能であり、Ａhsは、対応するＨＡＲＱ−ＡＣＫメッセージがＮＡＣＫ／ＮＡＣＫである場合、信号で送られた値ΔNACK＋１から変換された量子化された振幅比に等しいことが可能であり、Ａhsは、対応するＨＡＲＱ−ＡＣＫメッセージがＡＣＫ／ＮＡＣＫ、ＮＡＣＫ／ＡＣＫ、デュアルトランスポートブロックの前のＰＲＥ、または、デュアルトランスポートブロックの後のＰＯＳＴである場合、（ΔACK＋１）および（ΔNACK＋１）のうち最大のものから変換された量子化された振幅比に等しいことが可能である。そうでない場合は、フィードバックチャネルによってサポートされたＨＳ−ＤＳＣＨセルのいずれもがＭＩＭＯモードで構成されない場合、Ａhsは、対応するＨＡＲＱ−ＡＣＫメッセージが少なくとも１つのＡＣＫを含むが、ＮＡＣＫを含まない場合、信号で送られた値ΔACK＋１から変換された量子化された振幅比に等しいことが可能であり、Ａhsは、対応するＨＡＲＱ−ＡＣＫメッセージが少なくとも１つのＮＡＣＫを含むが、ＡＣＫを含まない場合、信号で送られた値ΔNACK＋１から変換された量子化された振幅比に等しいことが可能であり、Ａhsは、対応するＨＡＲＱ−ＡＣＫメッセージがＡＣＫおよびＮＡＣＫを共に含むか、または、ＰＲＥもしくはＰＯＳＴである場合、（ΔACK＋１）および（ΔNACK＋１）のうち最大のものから変換された量子化された振幅比に等しいことが可能である。そうでない場合は、Ａhsは、対応するＨＡＲＱ−ＡＣＫメッセージが少なくとも１つのＡＣＫを含むが、ＮＡＣＫを含まない場合、信号で送られた値ΔACK＋１から変換された量子化された振幅比に等しいことが可能であり、Ａhsは、対応するＨＡＲＱ−ＡＣＫメッセージが少なくとも１つのＮＡＣＫを含むが、ＡＣＫを含まない場合、信号で送られた値ΔNACK＋１から変換された量子化された振幅比に等しいことが可能であり、Ａhsは、対応するＨＡＲＱ−ＡＣＫメッセージがＡＣＫおよびＮＡＣＫを共に含むか、または、ＰＲＥもしくはＰＯＳＴである場合、（ΔACK＋１）および（ΔNACK＋１）のうち最大のものから変換された量子化された振幅比に等しいことが可能である。Ａhsは、対応するＨＡＲＱ−Ａ���Ｋメッセージが少なくとも１つのＡＣＫを含むが、ＮＡＣＫを含まない場合、信号で送られた値ΔACK＋２から変換された量子化された振幅比に等しいことが可能であり、Ａhsは、対応するＨＡＲＱ−ＡＣＫメッセージが少なくとも１つのＮＡＣＫを含むが、ＡＣＫを含まない場合、信号で送られた値ΔNACK＋２から変換された量子化された振幅比に等しいことが可能であり、Ａhsは、対応するＨＡＲＱ−ＡＣＫメッセージがＡＣＫおよびＮＡＣＫを共に含むか、または、ＰＲＥもしくはＰＯＳＴである場合、ΔACK＋２）および（ΔNACK＋２）のうち最大のものから変換された量子化された振幅比に等しいことが可能である。
【０２８１】
２つ以上のフィードバックチャネルが使用される場合、かつ、変換された量子化された振幅比が第１のフィードバックチャネルに関連付けられる場合、Ａhs,1がＡhsに等しいことが可能である。２つ以上のフィードバックチャネルが使用される場合、かつ、変換された、量子化された振幅比が第２のフィードバックチャネルに関連付けられる場合、Ａhs,2がＡhsに等しいことが可能である。
【０２８２】
ＨＳ−ＤＰＣＣＨスロットが各フィードバックチャネル上でＣＱＩを搬送する時、電力オフセットを以下のように決定することができる。タイプＡのＣＱＩが送信される時、Ａhsは、信号で送られた値ΔCQI＋１から変換された量子化された振幅比に等しいことが可能である。そうでない場合、フィードバックチャネルによってサポートされたＨＳ−ＤＳＣＨセルのいずれもがＭＩＭＯモードで構成されない場合、Ａhsは、信号で送られた値ΔCQI＋１から変換された量子化された振幅比に等しいことが可能である。そうでない場合、Ａhsは、信号で送られた値ΔCQIから変換された量子化された振幅比に等しいことが可能である。
【０２８３】
２つ以上のフィードバックチャネルが使用される場合、かつ、変換された量子化された振幅比が第１のフィードバックチャネルに関連付けられる場合、Ａhs,1がＡhsに等しいことが可能である。２つ以上のフィードバックチャネルが使用される場合、かつ、変換された量子化された振幅比が第２のフィードバックチャネルに関連付けられる場合、Ａhs,2がＡhsに等しいことが可能である。
【０２８４】
圧縮されていないフレームでは、個々のフィードバックチャネルの各々のための利得係数でありうる、βhs,1およびβhs,2を、以下に従って計算することができる。  
βhs,1＝βc・Ａhs,1，
βhs,1＝βc・Ａhs,2
ただし、少なくとも１つのＤＰＤＣＨが構成される場合、βc値は、より高い層によって信号で送られてもよく、または、計算されてもよい。ＤＰＤＣＨが構成されない場合、βc値は、非特許文献３の５．１．２．５Ｃ節に記載されたように設定されてもよい。
【０２８５】
Ａhs,1およびＡhs,2のうちより大きいものを適用して、両方のフィードバックチャネルのために共通の利得係数を計算することができる。圧縮されていないフレームでは、以下に従って計算することができる利得係数を示すことができるβhsは、
βhs＝βc・Ａhsであり、
ただし、Ａhsは、２つのフィードバックチャネルから得られたＡhs,1およびＡhs,2のうちより大きいものであってもよく、βc値は、少なくとも１つのＤＰＤＣＨが構成される場合、より高い層によって信号で送られてもよく、または、計算されてもよい。ＤＰＤＣＨが構成されない場合、βc値は、非特許文献３の５．１．２．５Ｃ節に記載されたように設定されてもよい。
【０２８６】
一実施形態では、異なるフィードバックチャネルのためのＣＱＩ／ＰＣＩスロットのため別々の電力設定を保ちながら、両方のフィードバックチャネルのためのＨＡＲＱ−ＡＣＫスロットへの共通電力オフセット設定である。例えば、Ａhs,1およびＡhs,2を、ＨＡＲＱ−ＡＣＫフィードバックについて上記で記載されたルールに従って、個々に計算することができる。２つのうちより大きいものが、ＨＡＲＱ−ＡＣＫスロットのための電力オフセット設定Ａhsとして選択されてもよい。ＣＱＩ／ＰＣＩに割り振られたＨＳ−ＤＰＣＣＨスロットでは、Ａhs,1およびＡhs,2を、ＣＱＩ／ＰＣＩフィードバックについて上述されたルールに従って、個々に計算することができる。Ａhs,1およびＡhs,2を、第１および第２のフィードバックチャネルにそれぞれ割り振られたＨＳ−ＤＰＣＣＨスロットに、個々に適用することができる。
【０２８７】
キャリアアクティブ化状況が変化する、例えば、いくつかのキャリアまたはセルが、ＨＳ−ＳＣＣＨアクティブ化／非アクティブ化オーダーによってアクティブ化または非アクティブ化される時、ＨＳ−ＤＰＣＣＨスロットの各々のための電力オフセット設定を再計算することができる。例えば、フィードバックチャネル内のセルの数が減少または増加されることがあり、使用中の符号化方式の変更につながることがある。ＣＱＩレポーティングのためのフィードバックチャネルの各々毎に異なる電力設定を可能にすることは、タイムスロット毎のＡhsの動的な更新のために必要であることがある。
【０２８８】
一実施形態では、Ａhs,1およびＡhs,2が、あらゆるタイムスロットについて計算されてもよく、タイムスロットがＨＡＲＱ−ＡＣＫ送信のために割り振られる場合、ＷＴＲＵにおける最大値が識別されてもよい。一実施形態では、可能な電力設定値のセットをキャリアアクティブ化状況に基づいて事前計算することができる。事前計算された値は、ＷＴＲＵがアクティブ化／非アクティブ化オーダーを受信する時にテーブルに格納されてもよい。この値のセットは、ＨＳ−ＳＣＣＨスロット状況に従って、以下のサブフレーム内で、テーブルルックアップ方法によって、各タイムスロットに動的に適用される。事前計算のタイミングは、ＨＳ−ＳＣＣＨアクティブ化／非アクティブ化オーダーがＷＴＲＵに配信された直後の、１２スロット、または、デュアルアップリンクキャリアでは１８スロットの間隔であってもよく、この間にダウンリンク送信アクティブ化は仮定されない。
【０２８９】
フィードバックフィールドおよびまたはチャネルスロットは、ダウンリンクキャリアに関連付けられてもよい。ＷＴＲＵは、２つまたは３つのセカンダリサービングＨＳ−ＤＳＣＨセルにより、ＲＲＣシグナリングを介して、ネットワークによって構成されてもよい。例示のため、サービングＨＳ−ＤＳＣＨセルをセル１と示すことがある。セカンダリサービングＨＳ−ＤＳＣＨセルには、ＲＲＣメッセージ内の関連付けられた情報要素の位置に従って、ラベルが付けられる。例えば、ＲＲＣメッセージ内で構成された第１のセカンダリサービングＨＳ−ＤＳＣＨセルには、セル２というラベルが付けられ、構成された第２および第３のセカンダリサービングＨＳ−ＤＳＣＨセルには、それぞれセル３およびセル４というラベルが付けられる。
【０２９０】
例示のため、ＨＡＲＱ−ＡＣＫフィールドのためのフィードバックチャネルスロットを、Ｆfc,nと示すことができ、ただし、ｆｃ＝１，２は、フィードバックチャネルインデックスであり、ｎ＝１，２は、フィードバックチャネル内のＨＡＲＱ−ＡＣＫフィールドのインデックスである。例えば、セカンダリサービングＨＳ−ＤＳＣＨセルがアクティブであり、かつ、ＷＴＲＵがＭＩＭＯモードで構成される時、ＨＡＲＱ−ＡＣＫフィールドのための２つのフィードバックスロットがありうる。第１のスロットは、インデックスｎ＝１によって示され、サービングＨＳ−ＤＳＣＨセルに関連付けられてもよい。第２のスロットは、インデックスｎ＝２によって示すことができるセカンダリサービングＨＳ−ＤＳＣＨセルに関連付けられてもよい。１つのセカンダリサービングＨＳ−ＤＳＣＨセルがアクティブであり、かつ、ＷＴＲＵがＭＩＭＯで構成される時、サービングＨＳ−ＤＳＣＨセルのためのフィードバックチャネルスロットを、Ｆ1,1によって示すことができ、セカンダリサービングＨＳ−ＤＳＣＨのためのフィードバックチャネルスロットを、Ｆ1,2によって示すことができる。
【０２９１】
一実施形態では、構成されたＨＳ−ＤＳＣＨセルとフィードバックチャネルスロットの間の関連付けは、表４０に例示されるような、ＲＲＣメッセージ内のＨＳ−ＤＳＣＨセルの構成順序に基づいてもよい。
【０２９２】
【表４１】
0005526242.tif 000043
【０２９３】
一実施形態では、個々の各セカンダリＨＳ−ＤＳＣＨセルのアクティブ化／非アクティブ化状況にかかわらず、関連付けが固定されてもよい。一実施形態では、関連付けは動的であってもよく、各ＨＳ−ＤＳＣＨセルのアクティブ化／非アクティブ化状況によって決まってもよい。例えば、関連付けは、構成順序によって決まってもよく、非アクティブ化されたＨＳ−ＤＳＣＨセルのためのエントリが、構成順序を保ちながら、リストから除去可能になるようにしてもよい。表４１は、１つのＨＳ−ＤＳＣＨセルが非アクティブ化される時の関連付けの例を示す。
【０２９４】
【表４２】
0005526242.tif 000044
【０２９５】
表４２は、２つのキャリアまたはＨＳ−ＤＳＣＨセルが非アクティブ化される時の関連付けの例を示す。
【０２９６】
【表４３】
0005526242.tif 000045
【０２９７】
２つのセカンダリサービングＨＳ−ＤＳＣＨセルが構成される時、セル１、セル２およびセル３は、フィードバックチャネルスロットに関連付けられてもよい。表４３は、２つのセカンダリサービングＨＳ−ＤＳＣＨセルが構成される時の関連付けの例を示す。
【０２９８】
【表４４】
0005526242.tif 000046
【０２９９】
一実施形態では、ＣＱＩレポートは、伝送時間間隔（ＴＴＩ）毎のＣＱＩ送信パターンに基づいて生成かつ送信されてもよい。例えば、ＣＱＩレポートは、ＣＱＩフィードバックサイクルパラメータ、ｋ、および、ＣＱＩ反復係数パラメータ、N_cqi_transmitに従って、生成かつ送信されてもよい。ＣＱＩフィードバックサイクルパラメータ、ｋ、および、反復係数パラメータ、N_cqi_transmitは、ＷＴＲＵおよびノードＢ内のより高い層から構成されてもよい。
【０３００】
一実施形態では、ＣＱＩフィードバックサイクルは、キャリア固有に構成されてもよい。キャリアの各々のためのＣＱＩフィードバックサイクルは、異なるＣＱＩ反復係数により、独立して構成されてもよい。独立した構成は、個々の各キャリア上で行われうる特定の性能最適化のための柔軟性を提供することができる。例えば、別々のパラメータが、セカンダリキャリア毎に構成されてもよい。ｋ1、ｋ2、ｋ3を、それぞれのキャリア毎のＣＱＩフィードバックサイクルパラメータとして示す。N_cqi_transmit_1、N_cqi_transmit_2、N_cqi_transmit_3を、それぞれのキャリア毎のＣＱＩ反復係数パラメータとして示す。これらのパラメータはＷＴＲＵおよびノードＢ内のより高い層から構成されてもよい。
【０３０１】
これらのキャリアは、対にグループ化されてもよい。同じフィードバックチャネルを共有するキャリアの対毎に、ＣＱＩ／ＰＣＩフィードバックが、第１のキャリアの反復係数によって表されたＴＴＩの数に等しいことが可能である、２つのキャリアの間の一定の時間オフセットを有して送信されてもよい。例示のため、ｋ、N_cqi_transmitを、この対内の第１のキャリアのためのパラメータ設定として、および、ｋ1、N_cqi_transmit_1を、この対内の第２のキャリアのために示す。以下の公式を適用して、ＣＱＩ送信パターンを決定することができる。グループ内の第１のキャリアのためのＣＱＩ／ＰＣＩは、以下の公式を満たすことができるサブフレーム内で送信されてもよい。
【０３０２】
【数１】
0005526242.tif 000047
【０３０３】
同じＣＱＩ／ＰＣＩ情報が、次のN_cqi_transmit−１個の連続サブフレームに渡って繰り返されてもよい。グループ内の第２のキャリアのためのＣＱＩ／ＰＣＩは、以下の公式を満たすサブフレーム内で送信されてもよい。
【０３０４】
【数２】
0005526242.tif 000048
【０３０５】
同じＣＱＩ／ＰＣＩ情報が、次のN_cqi_transmit_1−１個の連続サブフレームに渡って繰り返されてもよい。
【０３０６】
以下の制約を、構成パラメータに課すことができる。  
ｍｉｎ（ｋ’，ｋ’1）≧（N_cqi_transmit＋N_cqi_transmit_1）、式（３）  
また、ｍａｘ（ｋ，ｋ1）は、ｍｉｎ（ｋ，ｋ1）により除算可能であることが必要である。これにより、異なるＣＱＩフィードバックサイクル設定による、２つのキャリアからのＣＱＩ／ＰＣＩ情報の間の重複を回避することができる。
【０３０７】
２つのフィードバックチャネル内のＣＱＩ／ＰＣＩの送信は、キャリア毎に規定された異なるフィードバックサイクルおよび反復係数パラメータを使用して、上記で記載されたルールに従って、独立して行うことができる。ＷＴＲＵおよびｅノードＢは共に、同じルールに従って、送信におけるＣＱＩ／ＰＣＩの位置を計算するので、ＣＱＩ／ＰＣＩ情報へのキャリア関連付けを一意に識別することができる。
【０３０８】
図４３は、一対のキャリアのためのキャリア固有のフィードバックサイクルの一例を示す。各ブロックは、１つのサブフレーム内で送信されたＣＱＩ／ＰＣＩ情報を表すことができる。使用されるパラメータには、ｋ＝８ｍｓ、ｋ1＝１６ｍｓ、N_cqi_transmit＝１、および、N_cqi_transmit_1＝３が含まれうる。図４３の破線のブロックは、第１のキャリアのためのＣＱＩ／ＰＣＩが、より長いフィードバックサイクルのために送信されないことがあることを、表すことができる。
【０３０９】
３つのキャリアの場合、１つのフィードバックチャネルは、１つのキャリアのための情報を含んでもよい。２つのキャリアをサポートする他のフィードバックチャネルを、２つのキャリアのための情報を含むフィードバックチャネルに関して上述されたように取り扱うことができる。
【０３１０】
一例では、ＷＴＲＵは、ＭＩＭＯモードで構成されなくてもよい。非特許文献４における６Ａ．３節の規定を例外として、ＣＱＩ／ＰＣＩは、以下のようにレポートされてもよい。ＷＴＲＵは、サービングＨＳ−ＤＳＣＨセルのためのＣＱＩ値を、非特許文献４における６Ａ．２．１節に定義されるように導出することができる。Secondary_Cell_Activeが１である場合、ＷＴＲＵは、セカンダリサービングＨＳ−ＤＳＣＨセルのためのＣＱＩ値を、非特許文献４における６Ａ．２．１節に定義されるように導出することができる。ＣＱＩレポートは、ＣＱＩ値から構築されてもよい。サービングＨＳ−ＤＳＣＨおよびセカンダリサービングＨＳ−ＤＳＣＨセルからのＣＱＩ値は、２つのセットにグループ化されてもよい。
【０３１１】
各セットのＣＱＩは、２つのＨＳ−ＤＰＣＣＨフィードバックチャネルのうち１つを通じて送信されてもよい。フィードバックチャネルの各々において、第１のＨＳ−ＤＳＣＨセルのためのＣＱＩフィードバックサイクルおよび反復係数は、それぞれｋおよびN_cqi_transmitであり、第２のＨＳ−ＤＳＣＨセルでは、それぞれｋ1およびN_cqi_transmit_1であると仮定する。例えば、ｋ＝０である時、ＷＴＲＵは、ＣＱＩレポートを送信しないことがある。DTX_DRX_STATUSがTRUEでない時、ｋ＞０では、ＷＴＲＵは、第１のＨＳ−ＤＳＣＨセルのＣＱＩレポートを、関連付けられたアップリンクＤＰＣＣＨフレームの開始後、ｍ×２５６チップを開始する、各サブフレーム内で送信してもよく、ｍは以下を満たす。
【０３１２】
【数３】
0005526242.tif 000049
【０３１３】
ただし、ＣＦＮは、関連付けられたＤＰＣＨのための接続フレーム番号を示し、ｍの５つの可能な値のセットが計算される。DTX_DRX_STATUSがTRUEである時、ｋ＞０では、ＷＴＲＵは、ＣＱＩ送信パターンに基づいて、第１のＨＳ−ＤＳＣＨセルのＣＱＩレポートを送信してもよい。ＣＱＩ送信パターンは、そのＨＳ−ＤＰＣＣＨ不連続送信無線フレーム番号ＣＦＮ＿ＤＲＸおよびサブフレーム番号Ｓ＿ＤＲＸが以下を証明する、ＨＳ−ＤＰＣＣＨサブフレームのセットである。  
（（５＊CFN_DRX−WTRU_DTX_DRX_Offset＋S_DRX）ＭＯＤ  ｋ’）＝０、ｋ’＝ｋ／（２ｍｓ）である。
【０３１４】
ＷＴＲＵは、１）において導出された第１のＨＳ−ＤＳＣＨセルのＣＱＩレポートの送信を、ＣＱＩにそれぞれ割り振られたスロット内の次の（N_cqi_transmit−１）個の連続ＨＳ−ＤＰＣＣＨサブフレームに渡って、繰り返すことができる。
【０３１５】
ｋ1＝０では、ＷＴＲＵは、ＣＱＩレポートを送信しないことがある。DTX_DRX_STATUSがTRUEでない時、ｋ1＞０では、ＷＴＲＵは、第２のＨＳ−ＤＳＣＨセルのＣＱＩレポートを、関連付けられたアップリンクＤＰＣＣＨフレームの開始後、ｍ×２５６チップを開始する、各サブフレーム内で送信してもよく、ｍは以下を満たす。
【０３１６】
【数４】
0005526242.tif 000050
【０３１７】
ただし、ＣＦＮは、関連付けられたＤＰＣＨのための接続フレーム番号を示し、ｍの５つの可能な値のセットが計算される。DTX_DRX_STATUSがTRUEである時、ｋ＞０では、ＷＴＲＵは、ＣＱＩ送信パターンに基づいて、第２のＨＳ−ＤＳＣＨセルのＣＱＩレポートを送信してもよい。ＣＱＩ送信パターンは、そのＨＳ−ＤＰＣＣＨ不連続送信無線フレーム番号ＣＦＮ＿ＤＲＸおよびサブフレーム番号Ｓ＿ＤＲＸが以下を証明する、ＨＳ−ＤＰＣＣＨサブフレームのセットであってもよい。  
（（５＊CFN_DRX−UE_DTX_DRX_Offset＋S_DRX）ＭＯＤ  ｋ1’）＝N_cqi_transmit、ｋ’1＝ｋ1／（２ｍｓ）である。
【０３１８】
ＷＴＲＵは、１）において導出された第２のＨＳ−ＤＳＣＨセルのＣＱＩレポートの送信を、ＣＱＩにそれぞれ割り振られたスロット内の次の（N_cqi_transmit_1−１）個の連続ＨＳ−ＤＰＣＣＨサブフレームに渡って、繰り返すことができる。ＷＴＲＵは、ｍｉｎ（ｋ’，ｋ’1）≧（N_cqi_transmit＋N_cqi_transmit_1）を満たさない場合をサポートしないことがある。
【０３１９】
一実施形態では、ＷＴＲＵは、上記のシナリオ以外の他のサブフレーム内でＣＱＩを送信しないことがある。
【０３２０】
他のフィードバックチャネルのためのＣＱＩレポーティング手順は、上記で定義されたものと同じルールに従うことができるが、ＣＱＩフィードバックサイクルおよび反復係数パラメータがｋ２、ｋ３、N_cqi_transmit_2、および、N_cqi_transmit_3として、異なって定義されることを除く。
【０３２１】
ＣＱＩ／ＰＣＩレポーティングは、ＷＴＲＵがＭＩＭＯモードで構成される時、以下のように実装されてもよい。一実施形態では、ＣＱＩフィードバックサイクルは、グループ固有であってもよい。例えば、２つのセットのＣＱＩ構成パラメータが、フィードバックチャネルの各々について規定されてもよく、第１のフィードバックチャネルのためのｋ、N_cqi_transmit、および、第２のフィードバックチャネルのためのｋ１、N_cqi_transmit_1である。
【０３２２】
キャリアを、それらのＣＱＩ情報をフィードバックチャネルにマップするためにグループ化する時、ＣＱＩ送信は、以下のように行われてもよい。例えば、同じ帯域内のキャリアは、同じフィードバックチャネルを共有してもよい。例えば、ＭＩＭＯ構成されたキャリアが、フィードバックチャネル内でグループ化されてもよく、非ＭＩＭＯキャリアが、フィードバックチャネル内でグループ化されてもよい。例えば、類似のサービス品質（ＱｏＳ）要件を有するデータのキャリアは、同じフィードバックチャネルにグループ化されてもよい。これらのキャリアの中の様々なレベルの性能要件に、関連したフィードバックチャネルに割り当てられた異なるＣＱＩ構成パラメータによって対処することができる。
【０３２３】
フィードバックチャネル毎に、ＣＱＩ／ＰＣＩレポーティングルールが、そのフィードバックチャネルに対して定義されたパラメータセットを使用して、ＣＱＩ／ＰＣＩフィードバックの送信に独立して適用されてもよい。フィードバックチャネル内の２つのキャリアのためのＣＱＩの反復は、異なる方法で実装可能である。第１のキャリアのＣＱＩが、N_cqi_transmit（または、N_cqi_transmit_1）個の連続サブフレーム内で繰り返され、その後に続いて、第２のキャリアのＣＱＩを次のN_cqi_transmit（または、N_cqi_transmit_1）個のサブフレーム内で繰り返すことであってもよい。例えば、第１および第２のキャリアのＣＱＩは、N_cqi_transmit（または、N_cqi_transmit_1）回に渡って繰り返されてもよい。例えば、第１のキャリアのＣＱＩは、Ｎ個のサブフレームに渡って繰り返されてもよく、ただし、Ｎは、事前構成または事前定義されたパラメータであり、セカンダリキャリアのためのＣＱＩは、Ｎ個のサブフレームに渡って繰り返されてもよい。この手順は、反復係数に達するまで継続してもよい。
【０３２４】
例えば、ＷＴＲＵは、ＭＩＭＯモードで構成されなくてもよい。非特許文献４における６Ａ．３節の規定を例外として、ＷＴＲＵがＭＩＭＯモードで構成されない時、ＣＱＩ／ＰＣＩは、以下のようにレポートされてもよい。ＷＴＲＵは、サービングＨＳ−ＤＳＣＨセルのためのＣＱＩ値を導出することができる。Secondary_Cell_Activeが１である場合、ＷＴＲＵは、セカンダリサービングＨＳ−ＤＳＣＨセルのためのＣＱＩ値を、６Ａ．２．１節に定義されるように導出することができる。ＣＱＩレポートは、ＣＱＩ値から構築される。サービングＨＳ−ＤＳＣＨおよびセカンダリサービングＨＳ−ＤＳＣＨセルからのＣＱＩ値は、２つのセットにグループ化されてもよい。各セットは、２つのＨＳ−ＤＰＣＣＨフィードバックチャネルのうち１つを通じて送信されてもよい。
【０３２５】
第１のフィードバックチャネル内のＨＳ−ＤＳＣＨセルでは、ｋ＝０では、ＷＴＲＵは、ＣＱＩレポートを送信しないことがある。DTX_DRX_STATUSがTRUEでない時、ｋ＞０では、ＷＴＲＵは、第１のＨＳ−ＤＳＣＨセルのＣＱＩレポートを、関連付けられたアップリンクＤＰＣＣＨフレームの開始後、ｍ×２５６チップを開始する、各サブフレーム内で送信してもよく、ｍは以下を満たす。
【０３２６】
【数５】
0005526242.tif 000051
【０３２７】
ただし、ＣＦＮは、関連付けられたＤＰＣＨのための接続フレーム番号を示し、ｍの５つの可能な値のセットが計算可能である。DTX_DRX_STATUSがTRUEである時、ｋ＞０では、ＷＴＲＵは、ＣＱＩ送信パターンに基づいて、第１のＨＳ−ＤＳＣＨセルのＣＱＩレポートを送信してもよい。ＣＱＩ送信パターンは、そのＨＳ−ＤＰＣＣＨ不連続送信無線フレーム番号CFN_DRXおよびサブフレーム番号S_DRXが以下を証明する、ＨＳ−ＤＰＣＣＨサブフレームのセットであってもよい。
【０３２８】
（（５＊CFN_DRX−UE_DTX_DRX_Offset＋S_DRX）ＭＯＤ  ｋ’）＝０、ｋ’＝ｋ／（２ｍｓ）である。
【０３２９】
ＷＴＲＵは、１）において導出された第１のＨＳ−ＤＳＣＨセルのＣＱＩレポートの送信を、ＣＱＩにそれぞれ割り振られたスロット内の次の（N_cqi_transmit−１）個の連続ＨＳ−ＤＰＣＣＨサブフレームに渡って、繰り返すことができる。ＷＴＲＵは、１）において導出された第２のＨＳ−ＤＳＣＨセルのＣＱＩレポートの送信を、ＣＱＩにそれぞれ割り振られたスロット内の次のN_cqi_transmit個の連続ＨＳ−ＤＰＣＣＨサブフレームに渡って、繰り返すことができる。ＷＴＲＵは、ｋ’＜N_cqi_transmitの場合をサポートしない。
【０３３０】
他のフィードバックチャネルのためのＣＱＩレポーティング手順は、上記のものに従うことができるが、ＣＱＩフィードバックサイクルおよび反復係数パラメータが、ｋ1およびN_cqi_transmit_1によって構成されてもよいことを除く。上記のものは、ＷＴＲＵがＭＩＭＯモードで構成される場合のＣＱＩレポーティング手順に適用されてもよい。
【０３３１】
一実施形態では、１つのセットのＣＱＩ構成パラメータが、キャリアに対して設定されてもよい。２つのキャリアのためのＣＱＩが、フィードバックチャネル内で繰り返されてもよい。例えば、第１のキャリアのＣＱＩが、N_cqi_transmit（または、N_cqi_transmit_1）個の連続サブフレーム内で繰り返され、その後に続いて、第２のキャリアのＣＱＩを次のN_cqi_transmit（または、N_cqi_transmit_1）個のサブフレーム内で繰り返すことであってもよい。例えば、第１および第２のキャリアのＣＱＩは、N_cqi_transmit（または、N_cqi_transmit_1）回に渡って繰り返されてもよい。例えば、第１のキャリアのＣＱＩは、Ｎ個のサブフレームに渡って繰り返されてもよく、ただし、Ｎは、事前構成または事前定義されたパラメータである。セカンダリキャリアのためのＣＱＩは、Ｎ個のサブフレームに渡って繰り返されてもよい。この繰り返しは、必要とされた反復係数に達するまで継続してもよい。
【０３３２】
例えば、ＷＴＲＵは、ＭＩＭＯモードで構成されなくてもよい。非特許文献４における６Ａ．３節の規定を例外として、ＷＴＲＵがＭＩＭＯモードで構成されない時、ＣＱＩ／ＰＣＩは、以下のようにレポートされてもよい。ＷＴＲＵは、サービングＨＳ−ＤＳＣＨセルのためのＣＱＩ値を導出することができる。Secondary_Cell_Activeが１である場合、ＷＴＲＵは、セカンダリサービングＨＳ−ＤＳＣＨセルのためのＣＱＩ値を導出することができる。ＣＱＩレポートは、ＣＱＩ値から構築されてもよい。サービングＨＳ−ＤＳＣＨおよびセカンダリサービングＨＳ−ＤＳＣＨセルからのＣＱＩ値は、２つのセットにグループ化されてもよい。各セットは、２つのＨＳ−ＤＰＣＣＨフィードバックチャネルのうち１つを通じて送信されてもよい。
【０３３３】
フィードバックチャネルの各々において、ｋ＝０では、ＷＴＲＵは、ＣＱＩレポートを送信しないことがある。ｋ＞０では、DTX_DRX_STATUSがTRUEでない時、ＷＴＲＵは、第１のＨＳ−ＤＳＣＨセルのＣＱＩレポートを、関連付けられたアップリンクＤＰＣＣＨフレームの開始後、ｍ×２５６チップを開始する、各サブフレーム内で送信してもよく、ｍは以下を満たす。
【０３３４】
【数６】
0005526242.tif 000052
【０３３５】
ただし、ＣＦＮは、関連付けられたＤＰＣＨのための接続フレーム番号を示し、ｍの５つの可能な値のセットが計算される。DTX_DRX_STATUSがTRUEである時、ｋ＞０では、ＷＴＲＵは、ＣＱＩ送信パターンに基づいて、第１のＨＳ−ＤＳＣＨセルのＣＱＩレポートを送信してもよい。ＣＱＩ送信パターンは、そのＨＳ−ＤＰＣＣＨ不連続送信無線フレーム番号CFN_DRXおよびサブフレーム番号S_DRXが以下を証明する、ＨＳ−ＤＰＣＣＨサブフレームのセットであってもよい。
（（５＊CFN_DRX−UE_DTX_DRX_Offset＋S_DRX）ＭＯＤ  ｋ’）＝０、ｋ’＝ｋ／（２ｍｓ）である。
【０３３６】
ＷＴＲＵは、１）において導出された第１のＨＳ−ＤＳＣＨセルのＣＱＩレポートの送信を、［１］に定義されたように、ＣＱＩにそれぞれ割り振られたスロット内の次の（N_cqi_transmit-1）個の連続ＨＳ−ＤＰＣＣＨサブフレームに渡って、繰り返すことができる。ＷＴＲＵは、１）において導出された第２のＨＳ−ＤＳＣＨセルのＣＱＩレポートの送信を、ＣＱＩにそれぞれ割り振られたスロット内の次のN_cqi_transmit個の連続ＨＳ−ＤＰＣＣＨサブフレームに渡って、繰り返すことができる。ＷＴＲＵは、ｋ’＜N_cqi_transmitの場合をサポートしない。
【０３３７】
上記のものは、ＷＴＲＵがＭＩＭＯモードで構成される場合のＣＱＩレポーティング手順に適用されてもよい。
【０３３８】
一実施形態では、ＣＱＩフィードバックサイクルは、２つ以上のサブフレームに渡ってもよい。ＷＴＲＵが、２つ、または、３つ以上のサブフレームに等しい（例えば、≧４ｍｓ）ＣＱＩフィードバックサイクルパラメータにより構成される時、グループ化（または対にされた）ＣＱＩは、時分割多重化（ＴＤＭ）方式でレポートされてもよい。例えば、各サービングＨＳ−ＤＳＣＨセルのためのＣＱＩフィードバックは、個々にエンコードされ、異なるサブフレーム内で送信されてもよい。例えば、ＷＴＲＵが、同じフィードバックチャネルによって関連付けられ、サポートされたセルのいずれにおいてもＭＩＭＯモードで構成されない場合、ＷＴＲＵは、２つのＣＱＩレポートを合同でエンコードさせ、１つのサブフレーム内で共に送信させてもよい。次のサブフレームは、いかなるＣＱＩをも送信しないことがある。
【０３３９】
一実施形態では、ＣＱＩレポーティングスロットフォーマットは、ＷＴＲＵのＭＩＭＯ構成状況に基づいてもよい。例えば、ＷＴＲＵがＭＩＭＯモードで構成されない、例えば、多重キャリア動作において、構成されたＨＳ−ＤＳＣＨセルのいずれもがＭＩＭＯモードで構成されない場合、これらのセルからのＣＱＩレポートは、対にグループ化されてもよい。ＣＱＩレポートの各対は、（２０，１０）リードマラー符号によって合同でエンコードされてもよい。結果として生じるコードワードは、ネットワークによって構成されたＣＱＩフィードバックサイクルおよびＣＱＩ反復係数パラメータに関して、関連付けられたフィードバックグループに割り振られたタイムスロット内で送信されてもよい。３つのセルが構成される時、一対のＣＱＩレポートは、合同で符号化され、フィードバックグループに割り振られたタイムスロット内で送信されてもよい。第３のセルのためのＣＱＩレポートは、（２０，５）リードマラー符号により個々にエンコードされてもよく、別のフィードバックグループに割り振られたタイムスロット内で送信されてもよい。
【０３４０】
ＷＴＲＵがＭＩＭＯモードで構成される場合、例えば、多重キャリア動作において、構成されたサービングＨＳ−ＤＳＣＨセルのいずれかがＭＩＭＯモードで構成される時、これらのセルのためのＣＱＩ／ＰＣＩレポートは、関連付けられたセルのＭＩＭＯ構成状況に応じて、（２０，７／１０）または（２０，５）リードマラー符号によって個々にエンコードされてもよい。結果として生じるコードワードは、セルに関して対にグループ化されてもよい。対にされたコードワードは、ネットワークによって構成されたＣＱＩフィードバックサイクルおよびＣＱＩ反復係数パラメータに関して、関連付けられたフィードバックグループまたはフィードバックチャネルに割り振られたタイムスロット内の、２つの異なる（場合によっては、連続）サブフレーム内で、ＴＤＭ方式で送信されてもよい。
【０３４１】
図４４〜４８は、様々なキャリア構成のためのＨＳ−ＤＰＣＣＨレイアウトの例を示す。例示のため、Ｃ１を、プライマリサービングＨＳ−ＤＳＣＨセルとして、Ｃ２、Ｃ３、Ｃ４を、第１、第２および第３のセカンダリサービングＨＳ−ＤＣＳＣＨセルとして、それぞれ示す。図４４〜４８に示す例は、拡散係数１２８で実装される。２つのフィードバックグループに割り振られたタイムスロットは、表１に定義されたスロットフォーマットと連結されてもよい。
【０３４２】
図４４は、４つのセルが、いずれもＭＩＭＯモードで構成されることなく、構成される時の一例を示す。薄い陰影で示されるようなサブフレーム１のスロット２は、第１のフィードバックグループに対して割り振られてもよい。濃い陰影で示されるようなサブフレーム１のスロット３は、第２のフィードバックグループに対して割り振られてもよい。これらのセルのためのＣＱＩレポートは、合同でエンコードされてもよい。例えば、Ｃ１およびＣ２のためのＣＱＩレポートは、（２０，１０）リードマラー符号によって合同でエンコードされて、共通コードワードが形成される。Ｃ１／Ｃ２コードワードは、サブフレーム１のスロット２内で送信されてもよい。Ｃ３およびＣ４のためのＣＱＩレポートは、同じチャネル符号化方式によって合同でエンコードされてもよい。Ｃ３／Ｃ４コードワードは、同じサブフレーム内のスロット３内で送信されてもよい。一実施形態では、Ｃ３／Ｃ４コードワードは、サブフレーム２のスロット３内、または、第２のフィードバックグループに割り振られたタイムスロット内の他のサブフレーム内で送信されてもよい。
【０３４３】
図４５は、４つのセルが構成され、プライマリサービングセルがＭＩＭＯモードで構成される時の、もう１つの例を示す。ＷＴＲＵは、ＭＩＭＯモードで検討されてもよい。これらのセルのためのＣＱＩレポートは、個々にエンコードされてもよく、ＴＤＭ方式で送信されてもよい。Ｃ１のためのＣＱＩレポートは、ＰＣＩ情報を含んでもよい。Ｃ１のためのＣＱＩ／ＰＣＩレポートは、タイプＡ  ＣＱＩでは（２０，１０）、または、タイプＢ  ＣＱＩでは（２０，７）符号によってエンコードされてもよい。セルの残りのためのＣＱＩレポートは、（２０，５）符号によってエンコードされる。結果として生じるＣ１およびＣ２のコードワードは、共にグループ化されてもよく、ＴＤＭの方法で送信されてもよい。例えば、Ｃ１およびＣ２のコードワードは、図において薄い陰影でマークが付けられたような、フィードバックグループ１に割り振られたタイムスロット内で二者択一的に送信されてもよい。結果として生じるＣ３およびＣ４のコードワードは、グループ化されてもよく、図において濃い陰影でマークが付けられたような、フィードバックグループ２に割り振られたタイムスロット内で二者択一的に送信されてもよい。
【０３４４】
図４６は、３つのセルが構成され、これらのセルのいずれもがＭＩＭＯモードで構成されない時の、サブフレームフォーマットの一例を示す。図４７は、３つのセルが構成され、第２のセカンダリセルがＭＩＭＯモードで構成される時の、サブフレームフォーマットの一例を示す。図４８は、３つのセルが構成され、これらの３つのセルがＭＩＭＯモードで構成される時の、サブフレームフォーマットの一例を示す。
【０３４５】
一実施形態では、ＨＡＲＱ−ＡＣＫのためのチャネル符号化が、グループ毎に別々に定義されてもよい。例えば、ＷＴＲＵが、グループ内のセルのいずれにおいてもＭＩＭＯモードで構成されない場合、グループ内で対にされるセルに関連付けられたＨＡＲＱ−ＡＣＫのための符号化は、デュアルキャリア動作のためのコードブックＡ／Ｎ（１０）を使用してもよい。グループ内の１つであるセルのためのＨＡＲＱ−ＡＣＫのための符号化は、シングルキャリア動作のためのコードブックＡ／Ｎ（４）を使用してもよい。ＷＴＲＵが、グループ内のセルのいずれか１つにおいてＭＩＭＯモードで構成される場合、グループ内で対にされるセルに関連付けられたＨＡＲＱ−ＡＣＫのための符号化は、デュアルキャリアＭＩＭＯ動作のために使用されたコードブックＡ／Ｎ（５０）を使用し、グループ内の単一のものであるセルに関連付けられたＨＡＲＱ−ＡＣＫのための符号化は、シングルキャリアＭＩＭＯ動作のために使用されたコードブックＡ／Ｎ（８）を使用してもよい。
【０３４６】
グループ毎のＰＣＩ／ＣＱＩのためのチャネル符号化は、以下のように行われる。ＷＴＲＵがこれらのセルのいずれか１つにおいてＭＩＭＯモードで構成される場合、それに対してＷＴＲＵがシングルキャリアＭＩＭＯ動作のための（２０，１０／７）符号化方式を使用することができるセルに関連付けられた、合成ＰＣＩ／ＣＱＩのための符号化、それに対してＷＴＲＵがＭＩＭＯモードで構成されないセルに関連付けられたＣＱＩのための符号化は、シングルキャリア動作のための（２０，５）符号化方式を使用してもよい。そうでない場合は、グループ内で対にされるセルに関連付けられたＣＱＩのための符号化は、デュアルキャリア動作のための（２０，１０）符号化方式を使用してもよく、グループ内の１つであるセルのためのＣＱＩのための符号化が規定され、シングルキャリア動作のための（２０，５）符号化方式を使用してもよい。
【０３４７】
非特許文献４の６Ａ．３節の規定を例外として、ＷＴＲＵがＭＩＭＯモードで構成されない時、ＣＱＩ／ＰＣＩは以下のようにレポートされてもよい。ＷＴＲＵは、サービングＨＳ−ＤＳＣＨセルのためのＣＱＩ値を導出することができる。Secondary_Cell_Activeが１である場合、ＷＴＲＵは、セカンダリサービングＨＳ−ＤＳＣＨセルのためのＣＱＩ値を導出することができる。ＣＱＩレポートは、ＣＱＩ値から構築される。
【０３４８】
ｋ＝０では、ＷＴＲＵは、ＣＱＩレポートを送信しないことがある。DTX_DRX_STATUSがTRUEでない時、ｋ＞０では、ＷＴＲＵは、ＣＱＩレポートを、関連付けられたアップリンクＤＰＣＣＨフレームの開始後、ｍ×２５６チップを開始する、各サブフレーム内で送信してもよく、ｍは以下を満たす。
【０３４９】
【数７】
0005526242.tif 000053
【０３５０】
ただし、ＣＦＮは、関連付けられたＤＰＣＨのための接続フレーム番号を示し、ｍの５つの可能な値のセットが計算される。DTX_DRX_STATUSがTRUEである時、ｋ＞０では、ＷＴＲＵは、ＣＱＩ送信パターンに基づいて、ＣＱＩレポートを送信してもよい。ＣＱＩ送信パターンは、そのＨＳ−ＤＰＣＣＨ不連続送信無線フレーム番号CFN_DRXおよびサブフレーム番号S_DRXが以下を証明する、ＨＳ−ＤＰＣＣＨサブフレームのセットである。
（（５＊CFN_DRX−UE_DTX_DRX_Offset＋S_DRX）ＭＯＤ  ｋ’）＝０、ｋ’＝ｋ／（２ｍｓ）である。
【０３５１】
ＷＴＲＵは、１）において導出されたＣＱＩレポートの送信を、ＣＱＩにそれぞれ割り振られたスロット内の次の（N_cqi_transmit-1）個の連続ＨＳ−ＤＰＣＣＨサブフレームに渡って、繰り返すことができ、ＷＴＲＵは、ｋ’＜N_cqi_transmitの場合をサポートしない。ＷＴＲＵは、他のサブフレーム内でＣＱＩを送信しないことがある。
一実施形態では、ＷＴＲＵがＭＩＭＯモードで構成される時、合成ＰＣＩ／ＣＱＩレポーティングが送信されてもよい。非特許文献４における６Ａ．３節の規定を例外として、ＷＴＲＵがＭＩＭＯモードで構成されない時、ＣＱＩ／ＰＣＩは、以下のようにレポートされてもよい。ＷＴＲＵは、サービングＨＳ−ＤＳＣＨセルのためのＰＣＩ値を導出することができる。シングルストリーム制限が構成されない時、タイプＡまたはタイプＢ  ＣＱＩ値がレポートされてもよい。シングルストリーム制限が構成される時、サービングＨＳ−ＤＳＣＨセルのためのタイプＢ  ＣＱＩ値がレポートされてもよい。
【０３５２】
Secondary_Cell_Active_jが１であり、ただし、ｊは１、２または３に設定されうる場合、ＷＴＲＵは、セカンダリサービングＨＳ−ＤＳＣＨセルｊのためのＰＣＩ値を導出することができる。シングルストリーム制限が構成されない時、タイプＡまたはタイプＢ  ＣＱＩ値がレポートされてもよい。シングルストリーム制限が構成される時、セカンダリサービングＨＳ−ＤＳＣＨセルｊのためのタイプＢ  ＣＱＩ値がレポートされてもよい。
【０３５３】
ＷＴＲＵは、サービングＨＳ−ＤＳＣＨセル、および、Secondary_Cell_Active_2が以下のように１である場合、セカンダリサービングＨＳ＿ＤＳＣＨセルのための、合成ＰＣＩ／ＣＱＩ値を送信してもよい。ｋ＝０では、ＷＴＲＵは、合成ＰＣＩ／ＣＱＩ値を送信しないことがある。DTX_DRX_STATUSがTRUEでない時、ｋ＞０では（セクション６Ａ．１を参照）、ＷＴＲＵは、サービングＨＳ＿ＤＳＣＨセルのための合成ＰＣＩ／ＣＱＩ値を、関連付けられたアップリンクＤＰＣＣＨフレームの開始後、ｍ×２５６チップを開始する、各サブフレーム内で送信してもよく、ｍは以下を満たす。
【０３５４】
【数８】
0005526242.tif 000054
【０３５５】
ただし、ＣＦＮは、関連付けられたＤＰＣＨのための接続フレーム番号を示し、ｍの５つの可能な値のセットが計算される。シングルストリーム制限が構成されず、かつ、関係
【０３５６】
【数９】
0005526242.tif 000055
【０３５７】
が当てはまる時、ＷＴＲＵは、タイプＡ  ＣＱＩ値をレポートしてもよい。そうでない場合、ＷＴＲＵは、タイプＢ  ＣＱＩ値をレポートしてもよい。
【０３５８】
DTX_DRX_STATUSがTRUEである時、ｋ＞０では、ＷＴＲＵは、ＣＱＩ送信パターンに基づいて、サービングＨＳ−ＤＳＣＨセルのためのＣＱＩ値を送信してもよい。ＣＱＩ送信パターンは、そのＨＳ−ＤＰＣＣＨ不連続送信無線フレーム番号CFN_DRXおよびサブフレーム番号S_DRXが以下を証明する、ＨＳ−ＤＰＣＣＨサブフレームのセットである。
【０３５９】
（（５＊CFN_DRX−UE_DTX_DRX_Offset＋S_DRX）ｍｏｄ  ｋ’）＝０、ｋ’＝ｋ／（２ｍｓ）である。
【０３６０】
シングルストリーム制限が構成されず、かつ、関係
【０３６１】
【数１０】
0005526242.tif 000056
【０３６２】
が当てはまる時、ＷＴＲＵは、タイプＡ  ＣＱＩ値をレポートしてもよい。そうでない場合、ＷＴＲＵは、タイプＢ  ＣＱＩ値をレポートしてもよい。
【０３６３】
ｋ＞０では、導出されたＰＣＩ値は、ＣＱＩ値と共に、合成ＰＣＩ／ＣＱＩ値として送信されてもよい。２５６０がM_cqiの整数の倍数でない場合、タイプＡおよびタイプＢ  ＣＱＩレポートのシーケンスは、ＣＦＮロールオーバーにより周期的でない可能性がある。ＷＴＲＵは、上記で導出されたサービングＨＳ−ＤＳＣＨセルのための合成ＰＣＩ／ＣＱＩ値の送信を、ＣＱＩにそれぞれ割り振られたスロット内の次の（N_cqi_transmit-1）個の連続ＨＳ−ＤＰＣＣＨサブフレームに渡って、繰り返すことができる。ＷＴＲＵは、ｋ’＜N_cqi_transmitの場合をサポートしないことがある。ＷＴＲＵは、他のサブフレーム内でサービングＨＳ−ＤＳＣＨセルのための合成ＰＣＩ／ＣＱＩを送信しないことがある。
【０３６４】
Secondary_Cell_Active_1が１である場合、ＷＴＲＵは、サービングＨＳ−ＤＳＣＨセルのための送信の直後に、N_cqi_transmit個の連続ＨＳ−ＤＰＣＣＨサブフレームに渡って、セカンダリサービングＨＳ−ＤＳＣＨセル１のための合成ＰＣＩ／ＣＱＩ値を送信してもよい。Secondary_Cell_Active_3が１である場合、ＷＴＲＵはまた、セカンダリサービングＨＳ−ＤＳＣＨセル２のための送信の直後に、N_cqi_transmit個の連続ＨＳ−ＤＰＣＣＨサブフレームに渡って、セカンダリサービングＨＳ−ＤＳＣＨセル３のための合成ＰＣＩ／ＣＱＩ値をも送信してもよい。ｊ＝１、２、３の中のSecondary_Cell_Enabled_jのいずれかが１である場合、ＷＴＲＵは、ｋ’＜2・N_cqi_transmitの場合をサポートしないことがある。
【０３６５】
一実施形態では、ＣＱＩレポーティングスロットフォーマットは、フィードバックグループのＭＩＭＯ構成状況に基づいてもよい。例えば、多重キャリアオプションのために構成されたサービングセルからのＣＱＩレポートは、最初にフィードバックグループ内で対にされてもよく、特定のグループのためのＣＱＩレポーティングフォーマットは、そのグループ内のセルのＭＩＭＯ構成状況によって決まる。
【０３６６】
フィードバックグループ内の構成されたサービングＨＳ−ＤＳＣＨセルのいずれもがＭＩＭＯモードで構成されない場合、関連付けられたＣＱＩレポートは、（２０，１０）リードマラーエンコーダによって、合同でエンコードされてもよい。結果として生じるコードワードは、ネットワークによって構成されたＣＱＩフィードバックサイクルおよびＣＱＩ反復係数パラメータに関して、関連付けられたフィードバックグループに割り振られたタイムスロット内で送信されてもよい。
【０３６７】
フィードバックグループ内の構成されたサービングＨＳ−ＤＳＣＨセルのいずれかがＭＩＭＯモードで構成される場合、グループ内の両方のセルのためのＣＱＩ／ＰＣＩレポートは、関連付けられたセルのＭＩＭＯ構成状況に応じて、（２０，７／１０）または（２０，５）リードマラー符号によって、個々にエンコードされてもよい。結果として生じるコードワードは、ネットワークによって構成されたＣＱＩフィードバックサイクルおよびＣＱＩ反復係数パラメータに関して、関連付けられたフィードバックグループに割り振られたタイムスロット内の、２つの異なる（例えば、連続）サブフレーム内で、ＴＤＭ方式で送信されてもよい。
【０３６８】
３つのセルが構成される時、グループ化されないセルのためのＣＱＩレポートは、（２０，５）または（２０，１０／７）リードマラー符号により、個々にエンコードされてもよく、このセルのためにのみ、別のフィードバックグループに割り振られたタイムスロット内で送信されてもよい。
【０３６９】
図４９〜５１は、ＨＳ−ＤＰＣＣＨレイアウトの例を示す。これらのレイアウトの例は、拡散係数が１２８に設定される場合に適用されてもよい。２つのタイムスロットは、２つのフィードバックグループのためのＣＱＩレポートを搬送するサブフレーム内で使用可能でありうる。
【０３７０】
図４９は、４つのセルが構成され、プライマリセルがＭＩＭＯモードで構成される時の、サブフレームフォーマットの一例を示す。図示のように、１つのフィードバックグループのためのＣＱＩは、ＴＤＭで送信されてもよく、他のフィードバックグループは、合同でエンコードされてもよい。
【０３７１】
図５０は、４つのセルが構成され、プライマリセルおよび第２のセカンダリセルがＭＩＭＯモードで構成される時の、サブフレームフォーマットの一例を示す。例えば、両方のフィードバックグループは、ＭＩＭＯが構成されたセルを含んでもよい。ＣＱＩレポートは、個々にエンコードされ、ＴＤＭで送信されてもよい。
【０３７２】
図５１は、３つのセルが構成され、第２のセカンダリセルがＭＩＭＯモードで構成される時の、サブフレームフォーマットの一例を示す。
【０３７３】
一実施形態では、ＣＱＩレポーティングフォーマットは、これらのセルの任意のＭＩＭＯ構成状況によって決まらなくてもよい。例えば、これらのセルのためのＣＱＩ／ＰＣＩレポートは、関連付けられたセルのＭＩＭＯ構成状況に応じて、（２０，７／１０）または（２０，５）リードマラー符号によって、個々にエンコードされてもよい。符号化されたＣＱＩ／ＰＣＩレポートは、フィードバックグループ内で対にされてもよい。グループ内の２つのコードワードは、異なるサブフレーム内の関連付けられたグループのために割り振られたタイムスロット内で、ＴＤＭ方式で送信されてもよい。例えば、２つのコードワードは、連続サブフレーム内で送信されてもよい。
【０３７４】
３つのセルが構成される場合、グループ化されないセルのためのＣＱＩレポートは、（２０，５）または（２０，１０／７）リードマラー符号により、個々にエンコードされ、このセルのためにのみ、フィードバックグループに割り振られたタイムスロット内で送信されてもよい。
【０３７５】
図５２〜５４は、ＨＳ−ＤＰＣＣＨレイアウトの例を示す。図５２〜５４に示された例は、拡散係数が１２８である場合に適用されてもよい。２つのフィードバックグループを、ＣＱＩ送信のためのサブフレーム内の２つのスロット内でマップすることができる。図５２は、４つのセルが構成され、プライマリセルがＭＩＭＯモードで構成される時の、サブフレームフォーマットの一例を示す。図５３は、４つのセルが構成され、プライマリセルおよび第２のセカンダリセルがＭＩＭＯモードで構成される時の、サブフレームフォーマットの一例を示す。図５４は、３つのセルが構成され、第２のセカンダリセルがＭＩＭＯモードで構成される時の、サブフレームフォーマットの一例を示す。
【０３７６】
上記の例は、例示のために提供され、したがって、それに対して関連するＣＱＩレポーティングフォーマットが企図されると仮定される、異なるキャリア構成の結果として生じる全ての可能な組み合わせの網羅的なリストをカバーするように意図されない。
【０３７７】
一実施形態では、フィードバックレポーティングは、圧縮モードギャップ中に送信されてもよい。圧縮モードギャップを使用して、（アップリンクおよびダウンリンクの両方のための）測定のための機会を提供することができる。アップリンク上では、圧縮モードギャップは、ＷＴＲＵが周波数間測定を行うことができるように、ネットワークによって定義されてもよい。圧縮モードギャップ中に、ＷＴＲＵは、無線周波数（ＲＦ）回路を調整し直して、異なる周波数上でリッスンし、測定することができる。
【０３７８】
一実施形態では、ＷＴＲＵは、ＨＳ−ＤＰＣＣＨの第１のスロット（ＨＡＲＱ−ＡＣＫを搬送するスロット）が、アップリンク送信ギャップと重なる時、ＨＳ−ＤＰＣＣＨの第１のスロットを送信しない（ＤＴＸ）ことがある。ＨＳ−ＤＰＣＣＨ内のＣＱＩフィールドに割り振られた２つのスロットのパートが圧縮モードギャップと重なる時、ＷＴＲＵは、ＣＱＩ（または、そのサブフレーム上の合成ＰＣＩ／ＣＱＩ情報）を送信しないことがある。
【０３７９】
関連付けられたＤＰＣＨまたはＦ−ＤＰＣＨ上の圧縮モード中に、ＨＳ−ＤＰＣＣＨの送信、および／または、ＨＳ−ＳＣＣＨおよびＨＳ−ＰＤＳＣＨの受信について、ＷＴＲＵについて以下が当てはまる。ＨＡＲＱ−ＡＣＫに割り振られたＨＳ−ＤＰＣＣＨスロットのパートが、関連付けられたＤＰＣＨ上のアップリンク送信ギャップと重なる場合、ＷＴＲＵは、そのＨＳ−ＤＰＣＣＨスロット内のＨＳ−ＤＰＣＣＨ上でＤＴＸを使用してもよい。ＨＳ−ＤＰＣＣＨサブフレーム内で、ＣＱＩ情報のために割り振られたスロットのパートが、関連付けられたＤＰＣＨ上のアップリンク送信ギャップと重なる場合、ＷＴＲＵは、そのサブフレーム内でＣＱＩまたは合成ＰＣＩ／ＣＱＩ情報を送信しないことがある。
【０３８０】
図５５は、ＨＳ−ＤＰＣＣＨ構造の例を例示する。例えば、各フィードバックチャネルのためのＣＱＩまたは合成ＰＣＩ／ＣＱＩは、（例えば、ＣＱＩ  ＡまたはＣＱＩ  Ｂにおいて）１つのスロット内で搬送されてもよい。一実施形態では、圧縮モードギャップ中に、アップリンクギャップのパートが、単一のＰＣＩ／ＣＱＩ情報レポートをＨＳ−ＤＰＣＣＨ上で搬送するスロットのパートと重なる場合、そのタイムスロット上のＨＳ−ＤＰＣＣＨは送信されない（例えば、ＤＴＸされる）ことがある。ＰＣＩ／ＣＱＩがＨＳ−ＤＰＣＣＨの１つのスロット内に内蔵される時、ＣＱＩフィードバックフィールドのパートは、ＤＴＸされてもよい。一実施形態では、隣接したスロット内でＰＣＩ／ＣＱＩの反復がある時、ＣＱＩフィールドの電力設定を調整して、反復を仮定した信頼性を保証することができる。
【０３８１】
例えば、関連付けられたＤＰＣＨまたはＦ−ＤＰＣＨ上の圧縮モード中に、ＨＳ−ＤＰＣＣＨの送信、並びに、ＨＳ−ＳＣＣＨおよびＨＳ−ＰＤＳＣＨの受信について、ＷＴＲＵについて以下が当てはまることがある。ＷＴＲＵが、２つに満たないセカンダリサービングＨＳ−ＤＳＣＨセルにより構成される場合、かつ、ＨＳ−ＤＰＣＣＨサブフレーム内で、ＣＱＩ情報のために割り振られたスロットのパートが、関連付けられたＤＰＣＨ上のアップリンク送信ギャップと重なる場合、ＷＴＲＵは、そのサブフレーム内でＣＱＩまたは合成ＰＣＩ／ＣＱＩ情報を送信しないことがある。ＷＴＲＵが、２つ以上のセカンダリサービングＨＳ−ＤＳＣＨセルにより構成される場合、かつ、ＨＳ−ＤＰＣＣＨサブフレーム内で、ＣＱＩ情報のために割り振られたスロットのパートが、関連付けられたＤＰＣＨ上のアップリンク送信ギャップと重なる場合、ＷＴＲＵは、そのスロット内でＣＱＩまたは合成ＰＣＩ／ＣＱＩ情報を送信しないことがある。
【０３８２】
一実施形態では、条件がキャリアアクティブ化にリンクされてもよい。関連付けられたＤＰＣＨまたはＦ−ＤＰＣＨ上の圧縮モード中に、ＨＳ−ＤＰＣＣＨの送信、並びに、ＨＳ−ＳＣＣＨおよびＨＳ−ＰＤＳＣＨの受信について、ＷＴＲＵについて以下が当てはまることがある。ＷＴＲＵが、アクティブ化された２つに満たないセカンダリサービングＨＳ−ＤＳＣＨセルを有する場合、かつ、ＨＳ−ＤＰＣＣＨサブフレーム内で、ＣＱＩ情報のために割り振られたスロットのパートが、関連付けられたＤＰＣＨ上のアップリンク送信ギャップと重なる場合、ＷＴＲＵは、そのサブフレーム内でＣＱＩまたは合成ＰＣＩ／ＣＱＩ情報を送信しないことがある。ＷＴＲＵが、アクティブ化された２つ以上のセカンダリサービングＨＳ−ＤＳＣＨセルを有する場合、かつ、ＨＳ−ＤＰＣＣＨサブフレーム内で、ＣＱＩ情報のために割り振られたスロットのパートが、関連付けられたＤＰＣＨ上のアップリンク送信ギャップと重なる場合、ＷＴＲＵは、そのスロット内でＣＱＩまたは合成ＰＣＩ／ＣＱＩ情報を送信しないことがある。
【０３８３】
一実施形態では、ＰＣＩ／ＣＱＩ情報は、異なるダウンリンクセルに関連する２つのスロット中に送信されてもよい。ＷＴＲＵがＰＣＩ／ＣＱＩを繰り返し中である場合、ＰＣＩ／ＣＱＩフィールド全体（例えば、ＨＳ−ＤＰＣＣＨフレームフォーマットの最後の２つのスロット）がＤＴＸされてもよい。これにより、ＰＣＩ／ＣＱＩを、ノードＢで十分な信頼性を有して受信可能にすることができる。例えば、関連付けられたＤＰＣＨまたはＦ−ＤＰＣＨ上の圧縮モード中に、ＨＳ−ＤＰＣＣＨの送信、並びに、ＨＳ−ＳＣＣＨおよびＨＳ−ＰＤＳＣＨの受信について、ＷＴＲＵについて以下が当てはまる。ＷＴＲＵが、アクティブ化された２つに満たないセカンダリサービングＨＳ−ＤＳＣＨセルを有する場合、かつ、ＨＳ−ＤＰＣＣＨサブフレーム内で、ＣＱＩ情報のために割り振られたスロットのパートが、関連付けられたＤＰＣＨ上のアップリンク送信ギャップと重なる場合、ＷＴＲＵは、そのサブフレーム内でＣＱＩまたは合成ＰＣＩ／ＣＱＩ情報を送信しないことがある。ＷＴＲＵが、アクティブ化された２つ以上のセカンダリサービングＨＳ−ＤＳＣＨセルを有する場合、かつ、ＨＳ−ＤＰＣＣＨサブフレーム内で、ＣＱＩ情報のために割り振られたスロットのパートが、関連付けられたＤＰＣＨ上のアップリンク送信ギャップと重なる場合、ＷＴＲＵは、そのスロット内でＣＱＩまたは合成ＰＣＩ／ＣＱＩ情報を送信しないことがある。
【０３８４】
一実施形態では、ＷＴＲＵが４つのセルにより構成される時、または、ＷＴＲＵが３つのキャリアにより構成され、少なくとも１つのキャリアがＭＩＭＯモードで構成される時、ＷＴＲＵは、ＣＱＩを個々に、ＨＳ−ＤＰＣＣＨ  ＣＱＩフィールドの各スロット内で送信してもよい。関連付けられたＤＰＣＨまたはＦ−ＤＰＣＨ上の圧縮モード中に、ＨＳ−ＤＰＣＣＨの送信、並びに、ＨＳ−ＳＣＣＨおよびＨＳ−ＰＤＳＣＨの受信について、ＷＴＲＵについて以下が当てはまることがある。ＨＡＲＱ−ＡＣＫに割り振られたＨＳ−ＤＰＣＣＨスロットのパートが、関連付けられたＤＰＣＨ上のアップリンク送信ギャップと重なる場合、ＷＴＲＵは、そのＨＳ−ＤＰＣＣＨスロット内のＨＳ−ＤＰＣＣＨ上でＤＴＸを使用してもよい。ＨＳ−ＤＰＣＣＨサブフレーム内で、ＣＱＩ情報のために割り振られたスロットのパートが、関連付けられたＤＰＣＨ上のアップリンク送信ギャップと重なる場合、次いで、Secondary_Cell_Enableが３であるか、または、Secondary_Cell_Enableが２であり、かつ、少なくとも１つのセルがＭＩＭＯモードで構成され、かつ、Secondary_Cell_Activeが２または３である場合、ＷＴＲＵは、そのスロット内でＣＱＩまたは合成ＰＣＩ／ＣＱＩを送信しないことがあり、そうでない場合は、ＷＴＲＵは、そのサブフレーム内でＣＱＩまたは合成ＰＣＩ／ＣＱＩ情報を送信しないことがある。
【０３８５】
関連付けられたＤＰＣＨまたはＦ−ＤＰＣＨ上の圧縮モード中に、ＨＳ−ＤＰＣＣＨの送信、並びに、ＨＳ−ＳＣＣＨおよびＨＳ−ＰＤＳＣＨの受信について、ＷＴＲＵについて以下が当てはまることがある。ＨＡＲＱ−ＡＣＫに割り振られたＨＳ−ＤＰＣＣＨスロットのパートが、関連付けられたＤＰＣＨ上のアップリンク送信ギャップと重なる場合、ＷＴＲＵは、そのＨＳ−ＤＰＣＣＨスロット内のＨＳ−ＤＰＣＣＨ上でＤＴＸを使用してもよい。
【０３８６】
ＨＳ−ＤＰＣＣＨサブフレーム内で、ＣＱＩ情報のために割り振られたスロットのパートが、関連付けられたＤＰＣＨ上のアップリンク送信ギャップと重なる場合、ＷＴＲＵがＨＳ−ＤＰＣＣＨスロットフォーマット１を使用し、かつ、Secondary_Cell_Activeが２または３である場合、ＷＴＲＵは、そのスロット内でＣＱＩまたは合成ＰＣＩ／ＣＱＩを送信しないことがある。そうでない場合は、ＷＴＲＵは、そのサブフレーム内でＣＱＩまたは合成ＰＣＩ／ＣＱＩ情報を送信しないことがある。
【０３８７】
ＰＲＥ／ＰＯＳＴコードワードが、HARQ_preamble_mode＝１で、ネットワークによって使用可能にされる時、ノードＢは、ＰＲＥの後かつＰＯＳＴの前のサブフレームについて、ＡＣＫ／ＮＡＣＫをＤＴＸ（すなわち、いかなる信号の送信もない）と区別しないことがある。ＰＲＥ／ＰＯＳＴの使用により、ＡＣＫ／ＮＡＣＫ検出性能を向上させることができる。
【０３８８】
一実施形態では、サブフレームｎで、ＨＳ−ＳＣＣＨ上で受信された情報が廃棄されない場合、ＷＴＲＵは、ＡＣＫもしくはＮＡＣＫ、または、ＡＣＫおよびＮＡＣＫの任意の組み合わせがサブフレームｎ−１内で送信されることになっていない限り、サブフレームｎ−１でＰＲＥを送信してもよい。ＡＣＫもしくはＮＡＣＫ、または、ＡＣＫおよびＮＡＣＫの任意の組み合わせがサブフレームｎ内で送信され、かつ、N_acknack_transmit＝１である場合、ＷＴＲＵは、ＡＣＫもしくはＮＡＣＫもしくはＰＲＥ、または、ＡＣＫおよびＮＡＣＫの任意の組み合わせがこのサブフレーム内で送信されることになっていない限り、ＰＯＳＴをサブフレームｎ＋１内で送信してもよい。ＡＣＫもしくはＮＡＣＫ、または、ＡＣＫおよびＮＡＣＫの任意の組み合わせがサブフレームｎ内で送信され、かつ、N_acknack_transmit＞１である場合、ＷＴＲＵは、ＡＣＫもしくはＮＡＣＫもしくはＰＲＥ、または、ＡＣＫおよびＮＡＣＫの任意の組み合わせがこのサブフレーム内で送信されることになっていない限り、ＰＯＳＴをサブフレームｎ＋２×N_acknack_transmit−２内で送信してもよい。
【０３８９】
ＭＣ−ＨＳＤＰＡ内で、２つのフィードバックチャネル（または、２つのＨＡＲＱ−ＡＣＫメッセージ）をサブフレーム内の１つのＨＡＲＱ−ＡＣＫスロット内に導入して、より多くのＡＣＫ／ＮＡＣＫ情報を搬送する必要性に対処することができる。ＤＣＷという名称のＤＴＸコードワードをコードブック内に含めて、ハーフスロット送信を回避することができる。ＨＡＲＱ−ＡＣＫスロット内で信号を送信することのない真のＤＴＸは、ＤＴＸがＨＡＲＱ−ＡＣＫメッセージの両方においてレポートされる場合、起こりうる。１つのＨＡＲＱ−ＡＣＫメッセージが、そのフィードバックチャネル内のセルサポートのためのＤＴＸ状態情報を搬送中である場合、ＤＴＸコードワードＤＣＷが送信され、割り当てられたハーフスロット内の信号の送信がないことが回避可能となるようにしてもよい。
【０３９０】
HARQ_preamble_modeおよびN_acknack_transmitなど、ＰＲＥ／ＰＯＳＴ送信に関連することが可能である、２つのパラメータがありうる。HARQ_preamble_modeがネットワークによって１に設定される時、ＷＴＲＵは、送信されているＰＲＥ／ＰＯＳＴがＡＣＫ／ＮＡＣＫ検出性能を最適化できるようにするモードに入ることができる。N_acknack_transmitは、それに渡ってＡＣＫ／ＮＡＣＫメッセージを繰り返すことができる、サブフレームの数を制御することができるパラメータであってもよい。
【０３９１】
一実施形態では、共通パラメータ設定が、それらのセルに対して使用されてもよい。例えば、上記のパラメータの１つのセットが、ネットワークによって構成されてもよく、全てのセルが同じ設定に従ってもよい。N_acknack_transmitによるＡＣＫ／ＮＡＣＫ情報の反復が、ＨＡＲＱ−ＡＣＫメッセージの両方のために（例えば、同じサブフレーム内で）同時に開始してもよい。異なるＨＡＲＱ−ＡＣＫメッセージのため、または、差異セルのための反復を開始する時、いくつかのサブフレームがオフセットされてもよい。
【０３９２】
実施形態の一例では、N_acknack_transmitは、同じフィードバックチャネル（または、ＨＡＲＱ−ＡＣＫメッセージ）内でサポートされるセルの対毎に構成されてもよく、または、セル毎に構成されてもよい。これにより、ＡＣＫ／ＮＡＣＫ送信において異なるレベルの保護を提供することができる。
【０３９３】
一実施形態では、フィードバックチャネル内のＰＲＥまたはＰＯＳＴの送信は、他のフィードバックチャネルから独立してもよく、近隣のサブフレームに渡る、このフィードバックチャネル上で送信されたＨＡＲＱ  ＡＣＫメッセージの内容に基づいて、決定されてもよい。関連ルールを、以下のように定義することができる。
【０３９４】
サブフレームｎで、同じフィードバックチャネルによってサポートされるセルまたはセルの対のためにＨＳ−ＳＣＣＨ上で受信された情報が廃棄されない場合、ＷＴＲＵは、ＡＣＫもしくはＮＡＣＫ、または、ＡＣＫおよびＮＡＣＫの任意の組み合わせが、サブフレームｎ−１内で、このフィードバックチャネル内で送信されることになっていない限り、ＰＲＥをサブフレームｎ−１で、このフィードバックチャネル上で送信してもよい。
【０３９５】
ＡＣＫもしくはＮＡＣＫ、または、ＡＣＫおよびＮＡＣＫの任意の組み合わせが、サブフレームｎ内で、同じフィードバックチャネルによってサポートされるセルまたはセルの対のために送信され、かつ、N_acknack_transmit＝１である場合、ＷＴＲＵは、ＡＣＫもしくはＮＡＣＫもしくはＰＲＥ、または、ＡＣＫおよびＮＡＣＫの任意の組み合わせがこのサブフレーム内で、このフィードバックチャネル上で送信されることになっていない限り、ＰＯＳＴをサブフレームｎ＋１内で、このフィードバックチャネル上で送信してもよい。
【０３９６】
ＡＣＫもしくはＮＡＣＫ、または、ＡＣＫおよびＮＡＣＫの任意の組み合わせが、サブフレームｎ内で、同じフィードバックチャネルによってサポートされるセルまたはセルの対のために送信され、かつ、N_acknack_transmit＞１である場合、ＷＴＲＵは、ＡＣＫもしくはＮＡＣＫもしくはＰＲＥ、または、ＡＣＫおよびＮＡＣＫの任意の組み合わせがこのサブフレーム内で、このフィードバックチャネル上で送信されることになっていない限り、ＰＯＳＴをサブフレームｎ＋２×N_acknack_transmit−２内で、このフィードバックチャネル上で送信してもよい。
【０３９７】
図５６は、レポートされるＡＣＫ／ＮＡＣＫ情報の例を示し、図５７は、この例のための実際の送信された信号を示す。図５６は、ＷＴＲＵが一連のサブフレームに渡ってノードＢへ搬送することができる、ＡＣＫ／ＮＡＣＫ情報のセットを例示する。実際の送信された信号は、図５７で生成される。複数のＰＲＥおよびＰＯＳＴから、ノードＢは、どのサブフレームに渡って真のＤＴＸの検出が必要とされないかを決定することができる。図５７に示すように、真のＤＴＸの検出は、サブフレームｎからｎ＋４まで必要とされないことがある。
【０３９８】
図５８は、レポートされるＡＣＫ／ＮＡＣＫ情報のもう１つの例を示し、図５９は、この例のための実際の送信された信号を示す。図５８は、ＷＴＲＵが一連のサブフレームに渡ってノードＢへ搬送することができる、ＡＣＫ／ＮＡＣＫ情報のセットを例示する。ノードＢは、どのサブフレームに渡って真のＤＴＸの検出を回避することができるかの判断を下すことができる。
【０３９９】
一実施形態では、ＰＲＥまたはＰＯＳＴの送信は、近隣のサブフレームに渡る、フィードバックチャネル上のＡＣＫ／ＮＡＣＫ情報に従って、合同で決定されてもよい。一実施形態では、ＰＲＥまたはＰＯＳＴの送信は、アクティブなセルのためのＡＣＫ／ＮＡＣＫ情報に従って、合同で決定されてもよい。ＰＲＥまたはＰＯＳＴは、同じサブフレームのＨＡＲＱ−ＡＣＫスロット内のＨＡＲＱ−ＡＣＫメッセージの両方において、同時に送信されてもよい。
【０４００】
サブフレームｎ内で、任意のセルからＨＳ−ＳＣＣＨ上で受信された情報が廃棄されない場合、ＷＴＲＵは、ＡＣＫもしくはＮＡＣＫ、または、ＡＣＫおよびＮＡＣＫの任意の組み合わせが、サブフレームｎ−１内の任意のセルのために送信されることになっていない限り、ＰＲＥをサブフレームｎ−１で、ＨＡＲＱ−ＡＣＫメッセージ上で送信してもよい。
【０４０１】
ＡＣＫもしくはＮＡＣＫ、または、ＡＣＫおよびＮＡＣＫの任意の組み合わせが、サブフレームｎ内の任意のセルのために送信される場合、ＷＴＲＵは、ＡＣＫもしくはＮＡＣＫもしくはＰＲＥ、または、ＡＣＫおよびＮＡＣＫの任意の組み合わせがこのサブフレーム内の任意のセルのために送信されることになっていない限り、ＰＯＳＴをサブフレームｎ＋２×N_acknack_transmit−１内の全てのＨＡＲＱ−ＡＣＫメッセージ上で送信してもよい。
【０４０２】
ＡＣＫもしくはＮＡＣＫ、または、ＡＣＫおよびＮＡＣＫの任意の組み合わせが、サブフレームｎ内の任意のセルのために送信され、かつ、N_acknack_transmit＞１である場合、ＷＴＲＵは、ＡＣＫもしくはＮＡＣＫもしくはＰＲＥ、または、ＡＣＫおよびＮＡＣＫの任意の組み合わせがこのサブフレーム内の任意のセルのために送信されることになっていない限り、ＰＯＳＴをサブフレームｎ＋２×N_acknack_transmit−２内の全てのＨＡＲＱ−ＡＣＫメッセージ上で送信してもよい。
【０４０３】
図６０は、図５８に記載された例のための、ＰＲＥ／ＰＯＳＴが満たされている、実際の送信された信号を例示する。
【０４０４】
図６１は、第１のＨＡＲＱ−ＡＣＫメッセージ上の送信ＰＲＥ／ＰＯＳＴを示す。ＰＲＥ／ＰＯＳＴは、前半スロットまたは後半スロット上の送信に限定されてもよく、これにより、プライマリセルのためのＡＣＫ／ＮＡＣＫ情報を搬送してもよい。ＰＲＥ／ＰＯＳＴは、第１のＨＡＲＱ−ＡＣＫメッセージ上の送信に限定されてもよい。他方のハーフスロット上で、ＤＣＷが送信されてもよい。
【０４０５】
一実施形態では、コードブックを最適化することができる。例えば、コードブックのサイズを縮小して、マルチキャリア動作に関連付けられたフィードバックの量を低減できるようにしてもよい。例えば、同じフィードバックコードワードを多数の異なるイベントに関連付けることによって、コードブックのサイズを縮小してもよい。多対１のマッピングを通じて、受信側、例えば、この場合は基地局など、は、イベント間の区別ができないことがある。適切なセットの制限またはグループ化が使用される時、この曖昧さの影響が最小になりうる。
【０４０６】
表４４Ａは、ＭＩＭＯのない３つのキャリアのためのＨＡＲＱ−ＡＣＫ状態の組み合わせの例を示す。最適化のない最初の設計では、３つのキャリアを介した同時送信は、表４４Ａにリストされるように、コードブックのＨＡＲＱ−ＡＣＫ状態の総数が３3−１＝２６に等しい結果となる。
【０４０７】
【表４５】
0005526242.tif 000057
【０４０８】
一実施形態では、キャリアＤＴＸ制限を適用して、コードブックを最適化することができる。例えば、ある特定のキャリア上の不連続送信動作は、他の構成されたキャリアもまたＤＴＸ状態でない限り、可能にされないことがある。例えば、アンカーキャリアが、それを介したデータ送信がある場合により高い優先順位でスケジュールされる、この特定のキャリアとして選択されてもよい。ＷＴＲＵが、他のキャリアのいずれかにおいて成功しながら、このキャリア上でＨＳ−ＳＣＣＨを検出することができない場合、ＷＴＲＵは、それが実際にＤＴＸされないことを知りながら、このキャリアのためのそのフィードバック内でＤＴＸをＮＡＣＫへマップしてもよい。
【０４０９】
レポートされたＨＡＲＱ−ＡＣＫ状態の最適化されたセットの一例を表４４Ｂに示す。例えば、状態の総数を、２６から１８へ減らすことができる。
【０４１０】
【表４６】
0005526242.tif 000058
【０４１１】
表４９は、４つの非ＭＩＭＯキャリアのための、レポートされたＨＡＲＱ−ＡＣＫ状態の最適化されたセットの例を示す。最適化の前の元のコードブックサイズは８０である。キャリアＤＴＸ制限最適化を適用すると、有効サイズを、表４９に示すように、５４に減らすことができる。
【０４１２】
【表４７】
0005526242.tif 000059
【０４１３】
一実施形態では、順序付きのＤＴＸ制限を適用して、コードブックを最適化することができる。例えば、構成されたキャリアは、特定の順序で配置されてもよい。ネットワークが、ダウンリンクデータ送信のためのいくつかのキャリアをＤＴＸすることを決定する時、低（または高）ランクのものを最初に順次選択してもよい。いくつかのキャリアは、低（または高）ランクのキャリアのＤＴＸ状況から暗示または推論されるように、ＷＴＲＵによって、送信するように知られることがある。ＷＴＲＵが、これらのキャリア上でＨＳ−ＳＣＣＨを検出することができない場合、ＷＴＲＵは、それらが実際にＤＴＸされないことを知りながら、これらのキャリアのためのフィードバック内でＤＴＸをＮＡＣＫで置き換えてもよい。
【０４１４】
表４４Ｃは、ＭＩＭＯのない３つのキャリアのためのＨＡＲＱ−ＡＣＫ状態の、最適化されたセットの例を示す。結果として生じる、レポートされたＨＡＲＱ−ＡＣＫ状態の表を表４４Ｃに示し、表のサイズは１５である。
【０４１５】
【表４８】
0005526242.tif 000060
【０４１６】
表５０は、ＭＩＭＯのない４つのキャリアのためのＨＡＲＱ−ＡＣＫ状態の、最適化されたセットの一例を示す。順序付きのＤＴＸ制限最適化を適用すると、コードブックサイズを、表５０に示すように、３０に減らすことができる。
【０４１７】
【表４９】
0005526242.tif 000061
【０４１８】
一実施形態では、レポートされたＨＡＲＱ−ＡＣＫ状態は、表４５で規定されるように、１０ビットのバイナリコードワードによって直接エンコードされてもよい。表４５で、２進数の各行は、ｃ１からｃ２６までのラベルが付けられるコードワードを表す。例えば、表４４Ａに記載されたＨＡＲＱ−ＡＣＫ状態は、ある組み合わせで、表４５のバイナリコードワードにマップされてもよい。マッピングの一例を表４６に示す。このマッピングにより、非特許文献１の規格との後方互換性を維持することができ、その理由は、ｃ１からｃ８は実際に、その規格のレガシーコードブックと同一になるように、意図的に配置されるからである。
【０４１９】
【表５０】
0005526242.tif 000062
【０４２０】
【表５１】
0005526242.tif 000063
【０４２１】
表４７は、ＰＲＥおよびＰＯＳＴ状態のためのバイナリコードワードマッピングによる、完全なＨＡＲＱ−ＡＣＫコードブックの設計を示す。
【０４２２】
【表５２】
0005526242.tif 000064
【０４２３】
一実施形態では、状態毎のＤＴＸ制限を適用して、コードブックを最適化することができる。構成されたキャリアのＤＴＸ状況の組み合わせに関連することが可能である、特定のキャリアＤＴＸ状態のセットが定義されてもよい。このセット内の状態のうち１つまたは複数は、ネットワークスケジューリング内で発生しないように制限されてもよい。いくつかのキャリア内のＨＳ−ＳＣＣＨの誤検出のために、このセットにおけるある組み合わせがＵＥで検出される場合、ＵＥは、それらが実際にＤＴＸされないことを知りながら、これらのキャリアのためのフィードバック内でＤＴＸをＮＡＣＫで置き換えてもよい。
【０４２４】
一実施形態では、キャリアＤＴＸ制限最適化が、状態毎のＤＴＸ制限最適化と共に使用されてもよい。表５１は、ＭＩＭＯのない４つのキャリアのためのＨＡＲＱ−ＡＣＫ状態の、最適化されたセットの一例を示す。表５１に示すように、点および網状の陰影でマークが付けられたＨＡＲＱ−ＡＣＫ状態を、元のテーブルから除去することができる。この手法は、ＰＲＥ／ＰＯＳＴ状態を除いて、４８以下のレポートされたＨＡＲＱ−ＡＣＫ状態の表サイズを有することによって、リリース９で規定されるように、ＭＩＭＯと組み合わせたデュアルキャリア動作のためのエンコード方式を活用することができる。網状の陰影でマークが付けられた状態を、制限されたＤＴＸ状態、ＴＸ／ＤＴＸ／ＴＸ／ＴＸから得ることができる。例えば、他の３つのキャリアが送信中である時、第２のキャリアがＤＴＸされてもよい。キャリアＤＴＸ制限最適化を使用して得られた、点でマークが付けられた状態である。
【０４２５】
【表５３】
0005526242.tif 000065
【０４２６】
後述の設計のケースは例示的であり、全ての組み合わせの網羅的なリストを提供するようには意図されない。
【０４２７】
例えば、低減された拡散係数１２８を、ＨＳ−ＤＰＣＣＨチャネルに対して使用して、ＨＳ−ＤＰＣＣＨスロット毎のデータビットの数を、２５６の拡散係数を有するデュアルキャリアＨＳＤＰＡシステムと比較して、倍にすることができるようにしてもよい。４つのキャリアが構成される時、セカンダリキャリアが非アクティブ化されてもよく、ＨＳ−ＤＰＣＣＨは、１２８の拡散係数を使用してもよい。キャリアが多入力多出力（ＭＩＭＯ）で構成されるか、非ＭＩＭＯモードで構成されるか、および、非ＭＩＭＯキャリアの数は、ＨＳ−ＤＰＣＣＨチャネル符号化設計に影響を与えることがある。
【０４２８】
例えば、これにより、各ＨＳ−ＤＰＣＣＨサブフレーム内で、１つのスロットまたは１つのサブスロットが未使用の結果となることがある。一実施形態では、反復符号化を行い、空きスロットが使用可能となるようにすることができる。図６２は、エンコード処理の一例を示す。図６２に示すように、同じ情報ビットが、２つの同じエンコーダを通過することができ、１つはスロットｉ用、他方はスロットｉ＋１用である。しかし、デコードの複雑さを著しく増すことなく、単純な符号反復よりも効率的な解決法を研究することが望ましい。
【０４２９】
図６３は、エンコード処理の一例を示す。図示のように、エンコーダをスロットｉ＋１で適用する前に、マッパは、得られた、スロットｉ＋１のための符号化されたビットが、スロットｉのための符号化されたビットと組み合わせて、ある基準を満たすことができるようにする方法で、情報ビットをマップしてもよい。例えば、情報ビットは、最適なデコード性能を達成できるようにマップされてもよい。スロットｉ＋１におけるエンコーダは、スロットｉに対して使用されたエンコーダと同じであってもよい。
【０４３０】
図６４は、エンコーダが（ｍ，ｎ）ブロック符号である時の、符号化方式の一例を示す。図６３の２つの（ｍ，ｎ）ブロック符号化を、単一の（２ｍ，ｎ）ブロック符号化として扱うことができるので、マッパのための１つの設計基準は、（２ｍ，ｎ）ブロック符号の最小コードワード距離の最大化であってもよい。
【０４３１】
図６５は、ＨＳ−ＤＰＣＣＨレイアウトへの例を示す。４ミリ秒（ｍｓ）の最小ＣＱＩフィードバックサイクルの結果として、図６５に示すように、ＣＱＩがエンコードされてもよい。例えば、ジョイントセルＣＱＩエンコードおよび繰り返し（反復ありのシングルのデュアルセル（ＤＣ）ＣＱＩ符号化）が実装されてもよい。例えば、セル毎の独立したＣＱＩエンコード（デュアルのシングルセル（ＳＣ）ＣＱＩ符号化）が実装されてもよい。
【０４３２】
図６６は、符号化方式の一例を示す。例えば、マッパの１つのタイプである、スクランブラが、この実装で使用される。
【０４３３】
図６７は、符号化方式の一例を示す。例えば、インターリーバを使用して、（２０，１０）ブロック符号を適用する前に、１０ビット情報をマップすることができる。
【０４３４】
図６８は、反復符号化を介したこの方式の性能向上を示す。コンピュータ探索を使用すると、（４０，１０）コードワードの最小重みを最大化する、インターリーバ［１０  ９  ８  ５  ３  ７  ６  ２  １  ４］（例えば、入力［ｓ１  ｓ２  ｓ３  ｓ４  ｓ５  ｓ６  ｓ７  ｓ８  ｓ９  ｓ１０］であれば、インターリーバ出力は、［ｓ１０  ｓ９  ｓ８  ｓ５  ｓ３  ｓ７  ｓ６  ｓ２  ｓ１  ｓ４］となりうる）を、シミュレーションで使用することができる。
【０４３５】
特徴および要素が特定の組み合わせで上述されるが、各特徴または要素を単独で、または、他の特徴および要素との任意の組み合わせで使用できることは、当業者には理解されよう。加えて、本明細書に記載の方法は、コンピュータまたはプロセッサによる実行のためにコンピュータ可読媒体に組み込まれた、コンピュータプログラム、ソフトウェアまたはファームウェアにおいて実装可能である。コンピュータ可読媒体の例には、電子信号（有線または無線接続を介して送信される）およびコンピュータ可読記憶媒体が含まれる。コンピュータ可読記憶媒体の例には、限定されないが、ＲＯＭ、ＲＡＭ、レジスタ、キャッシュメモリ、半導体メモリデバイス、内蔵ハードディスクおよびリムーバブルディスクなどの磁気媒体、光磁気媒体、並びに、ＣＤ−ＲＯＭディスクおよびＤＶＤなどの光媒体が含まれる。ソフトウェアに関連したプロセッサは、ＷＴＲＵ、ＵＥ、端末、基地局、ＲＮＣ、または任意のホストコンピュータにおいて使用するために、無線周波数トランシーバを実装するために使用可能である。
【図１Ａ】
0005526242.tif 000066
【図１Ｂ】
0005526242.tif 000067
【図１Ｃ】
0005526242.tif 000068
【図２Ａ】
0005526242.tif 000069
【図２Ｂ】
0005526242.tif 000070
【図２Ｃ】
0005526242.tif 000071
【図２Ｄ】
0005526242.tif 000072
【図３】
0005526242.tif 000073
【図４】
0005526242.tif 000074
【図５】
0005526242.tif 000075
【図６】
0005526242.tif 000076
【図７】
0005526242.tif 000077
【図８】
0005526242.tif 000078
【図９】
0005526242.tif 000079
【図１０】
0005526242.tif 000080
【図１１】
0005526242.tif 000081
【図１２】
0005526242.tif 000082
【図１３】
0005526242.tif 000083
【図１４】
0005526242.tif 000084
【図１５】
0005526242.tif 000085
【図１６】
0005526242.tif 000086
【図１７】
0005526242.tif 000087
【図１８】
0005526242.tif 000088
【図１９】
0005526242.tif 000089
【図２０】
0005526242.tif 000090
【図２１】
0005526242.tif 000091
【図２２】
0005526242.tif 000092
【図２３】
0005526242.tif 000093
【図２４】
0005526242.tif 000094
【図２５】
0005526242.tif 000095
【図２６】
0005526242.tif 000096
【図２７】
0005526242.tif 000097
【図２８】
0005526242.tif 000098
【図２９】
0005526242.tif 000099
【図３０】
0005526242.tif 000100
【図３１】
0005526242.tif 000101
【図３２】
0005526242.tif 000102
【図３３】
0005526242.tif 000103
【図３４】
0005526242.tif 000104
【図３５】
0005526242.tif 000105
【図３６】
0005526242.tif 000106
【図３７】
0005526242.tif 000107
【図３８】
0005526242.tif 000108
【図３９】
0005526242.tif 000109
【図４０】
0005526242.tif 000110
【図４１】
0005526242.tif 000111
【図４２】
0005526242.tif 000112
【図４３】
0005526242.tif 000113
【図４４】
0005526242.tif 000114
【図４５】
0005526242.tif 000115
【図４６】
0005526242.tif 000116
【図４７】
0005526242.tif 000117
【図４８】
0005526242.tif 000118
【図４９】
0005526242.tif 000119
【図５０】
0005526242.tif 000120
【図５１】
0005526242.tif 000121
【図５２】
0005526242.tif 000122
【図５３】
0005526242.tif 000123
【図５４】
0005526242.tif 000124
【図５５】
0005526242.tif 000125
【図５６】
0005526242.tif 000126
【図５７】
0005526242.tif 000127
【図５８】
0005526242.tif 000128
【図５９】
0005526242.tif 000129
【図６０】
0005526242.tif 000130
【図６１】
0005526242.tif 000131
【図６２】
0005526242.tif 000132
【図６３】
0005526242.tif 000133
【図６４】
0005526242.tif 000134
【図６５】
0005526242.tif 000135
【図６６】
0005526242.tif 000136
【図６７】
0005526242.tif 000137
【図６８】
0005526242.tif 000138